(57)【要約】【課題】本発明は、携帯型記録装置２０の使い勝手を向上させる。【解決手段】本発明は、回動形態切換部４６により、個別に回動可能なように保持された一方及び他方の指向性マイクロホン２２及び２３の回動形態を、個別に回動可能な第１の回動形態と、連動回動部４５により連動させて回動させる第２の回動形態とのうちから所望の回動形態に切り換えることにより、外部音声の集音時、ユーザの要望に応じて一方及び他方の指向性マイクロホン２２及び２３の回動形態を第１の回動形態と第２の回動形態とのうち所望の回動形態に切り換えて、当該一方及び他方の指向性マイクロホン２２及び２３を第１の回動形態と第２の回動形態との何れでもそれぞれ所望の回動角度まで回動させることができ、かくして携帯型記録装置２０の使い勝手を向上させることができる。【選択図】図７
2009171249.tif 000002
【特許請求の範囲】
【請求項１】
個別に回動可能なように筐体に保持された一方及び他方の指向性マイクロホンと、
上記一方及び他方の指向性マイクロホンを連動させて回動させる連動回動部と、
上記一方及び他方の指向性マイクロホンの回動形態を、当該一方及び他方の指向性マイクロホンを個別に回動可能な第１の回動形態と、上記連動回動部により連動させて回動させる第２の回動形態とのうちから所望の回動形態に切り換える回動形態切換部と
を具えることを特徴とする集音装置。
【請求項２】
上記一方及び他方の指向性マイクロホンは、
一方及び他方の先端部の向く方向を示す仮想の各々の方向線を互いに交差させ、また当該各々の方向線を交差させないように回動可能に保持された
ことを特徴とする請求項１に記載の集音装置。
【請求項３】
上記一方及び他方の指向性マイクロホンにより集音されている外部音声に基づき右チャンネル用のオーディオデータと左チャンネル用のオーディオデータとを生成するデータ生成部と、
上記一方及び他方の指向性マイクロホンにより上記外部音声が集音されながら上記データ生成部により上記右チャンネル用のオーディオデータと上記左チャンネル用のオーディオデータとが生成されている間、上記一方及び他方の指向性マイクロホンの回動角度に基づいて、上記右チャンネル用のオーディオデータを左チャンネル用とし、かつ上記左チャンネル用のオーディオデータを右チャンネル用とするように、上記右チャンネル用のオーディオデータと上記左チャンネル用のオーディオデータとを入れ替えるデータ入替部と
を具えることを特徴とする請求項２に記載の集音装置。
【請求項４】
上記一方及び他方の指向性マイクロホンの回動角度を検出する角度検出部と、
上記一方及び他方の指向性マイクロホンにより上記外部音声が集音されながら上記データ生成部により上記右チャンネル用のオーディオデータと上記左チャンネル用のオーディオデータとが生成されている間、当該右チャンネル用のオーディオデータと上記左チャンネル用のオーディオデータとを入れ替えるための基準となる入替基準角度と、上記角度検出部により検出された上記回動角度とを比較し、当該比較結果に基づき、上記Ｒチャンネル用のオーディオデータと上記Ｌチャンネル用のオーディオデータとを入れ替えるか否かを検出する入替検出部と
を具え、
上記データ入替部は、
上記入替検出部により、上記右チャンネル用のオーディオデータと上記左チャンネル用のオーディオデータとを入れ替えるように検出されると、上記データ生成部により生成されている上記右チャンネル用のオーディオデータと上記左チャンネル用のオーディオデータとを入れ替える
ことを特徴とする請求項３に記載の集音装置。
【請求項５】
上記一方及び他方の指向性マイクロホンにより上記外部音声が集音されながら上記データ生成部により上記右チャンネル用のオーディオデータと上記左チャンネル用のオーディオデータとが生成されている間、当該生成された上記右チャンネル用のオーディオデータと上記左チャンネル用のオーディオデータとに基づきステレオ音声を出力する音声出力部と、
上記音声出力部から上記ステレオ音声が出力されながら、上記一方及び他方の指向性マイクロホンの上記一方及び他方の先端部が所望の方向に向けられたときに上記角度検出部によって検出された上記回動角度を、上記入替基準角度として選択するために用いられる基準角度選択部と、
上記基準角度選択部を介して上記入替基準角度が選択されると、上記入替検出部に対し、上記回動角度を、上記選択された上記入替基準角度と比較するように設定する角度設定部と
を具えることを特徴とする請求項４に記載の集音装置。
【請求項６】
上記一方及び他方の指向性マイクロホンにより特定の集音環境で上記外部音声が集音されるときに、上記一方及び他方の先端部を所望の方向へ向けるための上記一方及び他方の指向性マイクロホンの回動角度を集音条件として記憶する条件記憶部と、
上記条件記憶部により記憶された上記集音条件が選択されると、上記一方及び他方の指向性マイクロホンを上記選択された上記集音条件が示す上記回動角度まで自動で回動させるように制御する回動制御部と
を具えることを特徴とする請求項５に記載の集音装置。
【請求項７】
上記音声出力部から上記ステレオ音声が出力されながら、上記一方及び他方の指向性マイクロホンの上記一方及び他方の先端部が所望の方向に向けられたときに上記角度検出部によって検出された上記回動角度を、上記一方及び他方の指向性マイクロホンにより上記特定の集音環境で上記外部音声が集音されるときに上記一方及び他方の先端部を所望の方向へ向けるための上記一方及び他方の指向性マイクロホンの上記回動角度として選定するために用いられる角度選定部
を具え、
上記条件記憶部は、
上記角度選定部を介して選定された上記回動角度を上記集音条件として記憶する
ことを特徴とする請求項６に記載の集音装置。
【請求項８】
上記条件記憶部は、
上記一方及び他方の指向性マイクロホンにより上記特定の集音環境で上記外部音声を集音するために推奨された、当該一方及び他方の指向性マイクロホンの上記回動角度を上記集音条件として記憶する
ことを特徴とする請求項６に記載の集音装置。
【請求項９】
上記一方及び他方の指向性マイクロホンにより特定の集音環境で上記外部音声が集音されるときに、上記一方及び他方の先端部を所望の方向へ向けるための上記一方及び他方の指向性マイクロホンの回動角度を集音条件として記憶する条件記憶部と、
上記条件記憶部により記憶された上記集音条件が選択されると、上記一方及び他方の指向性マイクロホンを上記選択された上記集音条件が示す上記回動角度まで回動させるように支援する回動支援部と
を具えることを特徴とする請求項５に記載の集音装置。
【請求項１０】
上記音声出力部から上記ステレオ音声が出力されながら、上記一方及び他方の指向性マイクロホンの上記一方及び他方の先端部が所望の方向に向けられたときに上記角度検出部によって検出された上記回動角度を、上記一方及び他方の指向性マイクロホンにより上記特定の集音環境で上記外部音声が集音されるときに上記一方及び他方の先端部を所望の方向へ向けるための上記一方及び他方の指向性マイクロホンの上記回動角度として選定するために用いられる角度選定部
を具え、
上記条件記憶部は、
上記角度選定部を介して選定された上記回動角度を上記集音条件として記憶する
ことを特徴とする請求項９に記載の集音装置。
【請求項１１】
上記条件記憶部は、
上記一方及び他方の指向性マイクロホンにより上記特定の集音環境で上記外部音声を集音するために推奨された、当該一方及び他方の指向性マイクロホンの上記回動角度を上記集音条件として記憶する
ことを特徴とする請求項９に記載の集音装置。
【請求項１２】
個別に回動可能なように筐体に保持された一方及び他方の指向性マイクロホンと、
上記一方及び他方の指向性マイクロホンを連動させて回動させる連動回動部と、
上記一方及び他方の指向性マイクロホンの回動形態を、当該一方及び他方の指向性マイクロホンを個別に回動可能な第１の回動形態と、上記連動回動部により連動させて回動させる第２の回動形態とのうちから所望の回動形態に切り換える回動形態切換部と、
上記所望の回動形態で所望の回動角度まで回動した上記一方及び他方の指向性マイクロホンによって集音された外部音声に基づき、右チャンネル用のオーディオデータと左チャンネル用のオーディオデータとを生成するデータ生成部と、
上記データ生成部により生成された右チャンネル用のオーディオデータと左チャンネル用のオーディオデータとを記録する記録部と
を具えることを特徴とする記録装置。
【請求項１３】
上記一方及び他方の指向性マイクロホンは、
一方及び他方の先端部の向く方向を示す仮想の各々の方向線を互いに交差させ、また当該各々の方向線を交差させないように回動可能に保持された
ことを特徴とする請求項１２に記載の記録装置。
【請求項１４】
上記一方及び他方の指向性マイクロホンの回動角度を検出する角度検出部と、
上記一方及び他方の指向性マイクロホンにより上記外部音声が集音されながら上記データ生成部により上記右チャンネル用のオーディオデータと上記左チャンネル用のオーディオデータとが生成されている間、上記右チャンネル用のオーディオデータを左チャンネル用とし、かつ上記左チャンネル用のオーディオデータを右チャンネル用とするように上記右チャンネル用のオーディオデータと上記左チャンネル用のオーディオデータとを入れ替えるための基準となる入替基準角度と、上記角度検出部により検出された上記回動角度とを比較し、当該比較結果に基づき、上記右チャンネル用のオーディオデータと上記左チャンネル用のオーディオデータとを入れ替えるか否かを検出する入替検出部と、
上記一方及び他方の指向性マイクロホンにより上記外部音声が集音されながら上記データ生成部により上記右チャンネル用のオーディオデータと上記左チャンネル用のオーディオデータとが生成されている間、上記入替検出部により、上記右チャンネル用のオーディオデータと上記左チャンネル用のオーディオデータとを入れ替えるように検出されると、上記データ生成部により生成されている上記右チャンネル用のオーディオデータと上記左チャンネル用のオーディオデータとを入れ替えるデータ入替部と
を具えることを特徴とする請求項１３に記載の記録装置。
【請求項１５】
上記一方及び他方の指向性マイクロホンにより上記外部音声が集音されながら上記データ生成部により上記右チャンネル用のオーディオデータと上記左チャンネル用のオーディオデータとが生成されている間、当該生成された上記右チャンネル用のオーディオデータと上記左チャンネル用のオーディオデータとに基づきステレオ音声を出力する音声出力部と、
上記音声出力部から上記ステレオ音声が出力されながら、上記一方及び他方の指向性マイクロホンの上記一方及び他方の先端部が所望の方向に向けられたときに上記角度検出部によって検出された上記回動角度を、上記入替基準角度として選択するために用いられる基準角度選択部と、
上記基準角度選択部を介して上記入替基準角度が選択されると、上記入替検出部に対し、上記回動角度を、上記選択された上記入替基準角度と比較するように設定する角度設定部と
を具えることを特徴とする請求項１４に記載の記録装置。
【請求項１６】
上記一方及び他方の指向性マイクロホンにより特定の集音環境で上記外部音声が集音されるときに、上記一方及び他方の先端部を所望の方向へ向けるための上記一方及び他方の指向性マイクロホンの回動角度を集音条件として記憶する条件記憶部と、
上記条件記憶部により記憶された上記集音条件が選択されると、上記一方及び他方の指向性マイクロホンを上記選択された上記集音条件が示す上記回動角度まで自動で回動させるように制御する回動制御部と
を具えることを特徴とする請求項１５に記載の記録装置。
【請求項１７】
上記一方及び他方の指向性マイクロホンにより特定の集音環境で上記外部音声が集音されるときに、上記一方及び他方の先端部を所望の方向へ向けるための上記一方及び他方の指向性マイクロホンの回動角度を集音条件として記憶する条件記憶部と、
上記条件記憶部により記憶された上記集音条件が選択されると、上記一方及び他方の指向性マイクロホンを上記選択された上記集音条件が示す上記回動角度まで回動させるように支援する回動支援部と
を具えることを特徴とする請求項１５に記載の記録装置。
【請求項１８】
個別に回動可能なように筐体に保持された一方及び他方の指向性マイクロホンの回動形態を、当該一方及び他方の指向性マイクロホンを個別に回動可能な第１の回動形態と、連動回動部により上記一方及び他方の指向性マイクロホンを連動させて回動させる第２の回動形態とのうちから、要求に応じて所望の回動形態に切り換える回動形態切換ステップと、
上記所望の回動形態で所望の回動角度まで回動した上記一方及び他方の指向性マイクロホンによって集音された外部音声に基づき、右チャンネル用のオーディオデータと左チャンネル用のオーディオデータとを生成すると共に、当該生成した右チャンネル用のオーディオデータと左チャンネル用のオーディオデータとを記録する記録ステップと
を具えることを特徴とする記録方法。
【発明の詳細な説明】
【技術分野】
【０００１】
本発明は集音装置、記録装置及び記録方法に関し、例えば一方及び他方の指向性マイクロホンにより、外部で発せられている人や動物の声、生演奏の音楽等のような種々の外部音（以下、これを外部音声とも呼ぶ）を集音して録音可能な携帯型の記録装置（以下、これを携帯型記録装置とも呼ぶ）に適用して好適なものである。
【背景技術】
【０００２】
従来のカメラ用集音装置は、２本の回動軸が平行に設けられ、これら２本の回動軸にそれぞれ指向性マイクロホンが取り付けられている。
【０００３】
またカメラ用集音装置は、一方の回動軸にモータの出力軸が連結されると共に、歯車が取り付けられ、その歯車に他方の回動軸に取り付けられた歯車を歯合させている。
【０００４】
そしてカメラ用集音装置は、被写体を撮像する際の画角の調整に合せてモータを駆動することにより、そのモータを介して一方の回動軸を回転させると共に、その回転に連動させて他方の回動軸を一方の回動軸の回転方向とは反対方向に回転させる。
【０００５】
よってカメラ用集音装置は、モータの駆動に応じて一方及び他方の指向性マイクロホンも互いに反対方向に回転させる。
【０００６】
これによりカメラ用集音装置は、例えば、被写体を撮像するために画角が狭められた（すなわち、ズーミングされた）ときには、一方及び他方の指向性マイクロホンを平行にしてカメラ用集音装置の真正面の被写体に当該一方及び他方の指向性マイクロホンの先端部を向けていた。
【０００７】
またカメラ用集音装置は、例えば、被写体を撮像するために画角が広げられた（すなわち、パンニングされた）ときには、一方及び他方の指向性マイクロホンをＶ字状に開いてカメラ用集音装置の正面の右側及び左側に一方及び他方の指向性マイクロホンの先端部を向けていた（例えば、特許文献１参照）。
【０００８】
一方、従来のマイクロホンの指向方向変更装置は、２つの指向性マイクロホンの根本部分にそれぞれ歯車が取り付けられると共に、これら歯車同士を歯合させている。
【０００９】
そして、かかる指向方向変更装置は、一方の指向性マイクロホンに取り付けられた一方の歯車を駆動部により回転させることにより、当該一方の歯車の回転に連動させて、他方の指向性マイクロホンに取り付けられている他方の歯車を、一方の歯車の回転方向とは反対方向に回転させる。
【００１０】
これにより指向方向変更装置は、駆動部の駆動に応じて一方及び他方の指向性マイクロホンも互いに反対方向に回転させ、当該一方及び他方の指向性マイクロホンの先端部を適宜、同一方向や互いに異なる方向へ向けさせていた（例えば、特許文献２参照）。
【特許文献１】特開昭５４−１２２０３０号公報
【特許文献２】実開昭５８−７３６９１号公報
【発明の開示】
【発明が解決しようとする課題】
【００１１】
ところが、かかる構成のカメラ用集音装置や指向方向変更装置は、上述したように一方の指向性マイクロホンと他方の指向性マイクロホンとを連動させて回転させている。
【００１２】
すなわち、カメラ用集音装置や指向方向変更装置では、一方の指向性マイクロホンを所定の回転角度まで回転させると、他方の指向性マイクロホンを、当該一方の指向性マイクロホンの回転角度に応じて一意に決まる所定の回転角度まで強制的に回転させている。
【００１３】
このため、かかるカメラ用集音装置や指向方向変更装置では、外部音声の集音時、ユーザにより、装置と音源との位置関係等に応じて、一方及び他方の指向性マイクロホンを個別にそれぞれ所望の回転角度まで回転させて互いの先端部をそれぞれ所望の方向へ向けるように要望されても、これら一方及び他方の指向性マイクロホンを個別には回転させ得ないため、使い勝手がわるいという問題があった。
【００１４】
本発明は以上の点を考慮してなされたもので、集音装置及び記録装置の使い勝手を向上し得る集音装置、記録装置及び記録方法を提案しようとするものである。
【課題を解決するための手段】
【００１５】
かかる課題を解決するため本発明においては、集音装置において、個別に回動可能なように筐体に保持された一方及び他方の指向性マイクロホンと、一方及び他方の指向性マイクロホンを連動させて回動させる連動回動部と、一方及び他方の指向性マイクロホンの回動形態を、当該一方及び他方の指向性マイクロホンを個別に回動可能な第１の回動形態と、連動回動部により連動させて回動させる第２の回動形態とのうちから所望の回動形態に切り換える回動形態切換部とを設けるようにした。
【００１６】
従って本発明では、集音装置において外部音声の集音時、ユーザの要望に応じて一方及び他方の指向性マイクロホンの回動形態を第１の回動形態と第２の回動形態とのうち所望の回動形態に切り換えて、当該一方及び他方の指向性マイクロホンを第１の回動形態と第２の回動形態との何れでもそれぞれ所望の回動角度まで回動させることができる。
【００１７】
また本発明においては、記録装置及び記録方法において、個別に回動可能なように筐体に保持された一方及び他方の指向性マイクロホンの回動形態を、当該一方及び他方の指向性マイクロホンを個別に回動可能な第１の回動形態と、連動回動部により一方及び他方の指向性マイクロホンを連動させて回動させる第２の回動形態とのうちから、要求に応じて所望の回動形態に切り換えるようにし、当該所望の回動形態で所望の回動角度まで回動した一方及び他方の指向性マイクロホンによって集音された外部音声に基づき、右チャンネル用のオーディオデータと左チャンネル用のオーディオデータとを生成すると共に、当該生成した右チャンネル用のオーディオデータと左チャンネル用のオーディオデータとを記録するようにした。
【００１８】
従って本発明では、記録装置及び記録方法において外部音声の記録時、ユーザの要望に応じて一方及び他方の指向性マイクロホンの回動形態を第１の回動形態と第２の回動形態とのうち所望の回動形態に切り換えて、当該一方及び他方の指向性マイクロホンを第１の回動形態と第２の回動形態との何れでもそれぞれ所望の回動角度まで回動させたうえで外部音声を集音し右チャンネル用のオーディオデータ及び左チャンネル用のオーディオデータとして記録することができる。
【発明の効果】
【００１９】
本発明によれば、集音装置において、個別に回動可能なように筐体に保持された一方及び他方の指向性マイクロホンと、一方及び他方の指向性マイクロホンを連動させて回動させる連動回動部と、一方及び他方の指向性マイクロホンの回動形態を、当該一方及び他方の指向性マイクロホンを個別に回動可能な第１の回動形態と、連動回動部により連動させて回動させる第２の回動形態とのうちから所望の回動形態に切り換える回動形態切換部とを設けるようにしたことにより、外部音声の集音時、ユーザの要望に応じて一方及び他方の指向性マイクロホンの回動形態を第１の回動形態と第２の回動形態とのうち所望の回動形態に切り換えて、当該一方及び他方の指向性マイクロホンを第１の回動形態と第２の回動形態との何れでもそれぞれ所望の回動角度まで回動させることができ、かくして使い勝手を向上し得る集音装置を実現することができる。
【００２０】
また本発明によれば、記録装置及び記録方法において、個別に回動可能なように筐体に保持された一方及び他方の指向性マイクロホンの回動形態を、当該一方及び他方の指向性マイクロホンを個別に回動可能な第１の回動形態と、連動回動部により一方及び他方の指向性マイクロホンを連動させて回動させる第２の回動形態とのうちから、要求に応じて所望の回動形態に切り換えるようにし、当該所望の回動形態で所望の回動角度まで回動した一方及び他方の指向性マイクロホンによって集音された外部音声に基づき、右チャンネル用のオーディオデータと左チャンネル用のオーディオデータとを生成すると共に、当該生成した右チャンネル用のオーディオデータと左チャンネル用のオーディオデータとを記録するようにしたことにより、外部音声の記録時、ユーザの要望に応じて一方及び他方の指向性マイクロホンの回動形態を第１の回動形態と第２の回動形態とのうち所望の回動形態に切り換えて、当該一方及び他方の指向性マイクロホンを第１の回動形態と第２の回動形態との何れでもそれぞれ所望の回動角度まで回動させたうえで外部音声を集音し右チャンネル用のオーディオデータ及び左チャンネル用のオーディオデータとして記録することができ、かくして記録装置の使い勝手を向上し得る記録装置及び記録方法を実現することができる。
【発明を実施するための最良の形態】
【００２１】
以下図面について、本発明の一実施の形態を詳述する。
【００２２】
（１）本発明による集音装置の概要
図１において、１は全体として本発明による集音装置の構成の概要を示す。かかる集音装置１において一方及び他方の指向性マイクロホン２及び３は、個別に回動可能なように筐体に保持されている。
【００２３】
また集音装置１において連動回動部４は、一方及び他方の指向性マイクロホン２及び３を連動させて回動させることができる。
【００２４】
さらに集音装置１において回動形態切換部５は、一方及び他方の指向性マイクロホン２及び３の回動形態を、当該一方及び他方の指向性マイクロホン２及び３を個別に回動可能な第１の回動形態と、連動回動部４により連動させて回動させる第２の回動形態とのうちから所望の回動形態に切り換える。
【００２５】
かかる構成により集音装置１は、外部音声の集音時、ユーザの要望に応じて一方及び他方の指向性マイクロホン２及び３の回動形態を第１の回動形態と第２の回動形態とのうち所望の回動形態に切り換えて、当該一方及び他方の指向性マイクロホン２及び３を第１の回動形態と第２の回動形態との何れでもそれぞれ所望の回動角度まで回動させることができる。よって集音装置１は、使い勝手を格段的に向上させることができる。
【００２６】
（２）本発明による記録装置の概要
図２において、１０は全体として本発明による記録装置の構成の概要を示す。かかる記録装置１０において一方及び他方の指向性マイクロホン１１及び１２は、個別に回動可能なように筐体に保持されている。また記録装置１０において連動回動部１３は、一方及び他方の指向性マイクロホン１１及び１２を連動させて回動させることができる。
【００２７】
さらに記録装置１０において回動形態切換部１４は、一方及び他方の指向性マイクロホン１１及び１２の回動形態を、当該一方及び他方の指向性マイクロホン１１及び１２を個別に回動可能な第１の回動形態と、連動回動部１３により連動させて回動させる第２の回動形態とのうちから所望の回動形態に切り換える。
【００２８】
さらに記録装置１０においてデータ生成部１５は、所望の回動形態で所望の回動角度まで回動した一方及び他方の指向性マイクロホン１１及び１２によって集音された外部音声に基づき、右チャンネル用のオーディオデータと左チャンネル用のオーディオデータとを生成する。
【００２９】
そして記録装置１０において記録部１６は、データ生成部１５により生成された右チャンネル用のオーディオデータと左チャンネル用のオーディオデータとを記録する。
【００３０】
かかる構成により記録装置１０は、外部音声の記録時、ユーザの要望に応じて一方及び他方の指向性マイクロホン１１及び１２の回動形態を第１の回動形態と第２の回動形態とのうち所望の回動形態に切り換えて、当該一方及び他方の指向性マイクロホン１１及び１２を第１の回動形態と第２の回動形態との何れでもそれぞれ所望の回動角度まで回動させたうえで外部音声を集音し右チャンネル用のオーディオデータ及び左チャンネル用のオーディオデータとして記録することができる。よって記録装置１０は、使い勝手を格段的に向上させることができる。
【００３１】
（３）携帯型記録装置の構成
（３−１）携帯型記録装置の機械構成
図３及び図４において、２０は全体として本発明を適用した携帯型記録装置の外観構成を示す。かかる携帯型記録装置２０は、略直方体状の筐体（以下、これを装置筐体とも呼ぶ）２１を有している。
【００３２】
以下の説明では、装置筐体２１において、当該装置筐体２１の長手方向の一端から他端までの幅広な一面を筐体正面２１Ａとも呼び、当該筐体正面２１Ａの裏側の他面を筐体背面２１Ｂとも呼ぶ。
【００３３】
また装置筐体２１において、筐体正面２１Ａを正面に見たときの右側に位置する一方の側面を筐体右側面２１Ｃとも呼び、同様に左側に位置する他方の側面を筐体左側面２１Ｄとも呼ぶ。さらに装置筐体２１において、装置筐体２１の長手方向の一端側の端面を筐体上面２１Ｅとも呼ぶ。
【００３４】
因みに、以下の説明では、装置筐体２１の長手方向を筐体長手方向とも呼ぶ。そして、以下の説明では、装置筐体２１において筐体長手方向の一端を、筐体一端とも呼び、当該筐体長手方向の他端を筐体他端とも呼ぶ。
【００３５】
また、以下の説明では、装置筐体２１の筐体右側面２１Ｃから筐体左側面２１Ｄへの短手方向（すなわち、筐体正面２１Ａや筐体背面２１Ｂの幅に沿った方向）を筐体短手方向とも呼ぶ。さらに、以下の説明では、装置筐体２１の厚みに沿った筐体正面２１Ａから筐体背面２１Ｂへの方向を筐体厚み方向とも呼ぶ。
【００３６】
装置筐体２１の筐体上面２１Ｅには、外部音声をステレオ音声として集音するための例えば、それぞれ単一指向性を有する一方及び他方のマイクロホン（以下、これを一方及び他方の指向性マイクロホンとも呼ぶ）２２及び２３が、筐体短手方向に沿って所定の間隔を介して並べて設けられている。
【００３７】
因みに、外部音声としては、人の声、鳥のさえずりのような動物の声、川のせせらぎの音、アーティストの演奏する音楽、乗り物の発する音等のように、種々の音がある。
【００３８】
そして一方及び他方の指向性マイクロホン２２及び２３は、これら種々の外部音声の集音に利用することができる。
【００３９】
また筐体上面２１Ｅには、保護フレーム２４が設けられている。かかる保護フレーム２４は、略コ字状の棒材でなる一対の平行な正面側フレーム２４Ａ及び背面側フレーム２４Ｂの一端部間、中央部間及び他端部間それぞれに連結棒２４Ｃ乃至２４Ｅが架け渡されて形成されている。
【００４０】
そして保護フレーム２４は、正面側フレーム２４Ａ及び背面側フレーム２４Ｂの一端が筐体上面２１Ｅの右端部に取り付けられ、当該正面側フレーム２４Ａ及び背面側フレーム２４Ｂの他端が筐体上面２１Ｅの左端部に取り付けられている。
【００４１】
これにより保護フレーム２４は、一方及び他方の指向性マイクロホン２２及び２３を囲むように正面側フレーム２４Ａを筐体正面２１Ａ側に位置させると共に、背面側フレーム２４Ｂを筐体背面２１Ｂ側に位置させる。
【００４２】
よって保護フレーム２４は、例えば、携帯型記録装置２０の待ち運びの際に、ユーザの手のひらや衣服等が一方及び他方の指向性マイクロホン２２及び２３に直接触れて破損するようなことを回避し得るようになされている。
【００４３】
装置筐体２１の筐体正面２１Ａには、中央部よりも筐体一端側に、液晶ディスプレイ等の表示部２５の表示パネル２５Ａが配置されている。
【００４４】
また筐体正面２１Ａには、表示パネル２５Ａよりも筐体一端寄りに、一方及び他方の指向性マイクロホン２２及び２３それぞれに対応させて、当該一方及び他方の指向性マイクロホン２２及び２３により外部音声を集音して得られる個々のオーディオデータのレベルを通知するためのレベル通知ランプ２６及び２７が設けられている。
【００４５】
かかるレベル通知ランプ２６及び２７は、それぞれ対応する指向性マイクロホン２２及び２３を介して得られるオーディオデータのレベルが、予め設定されている推奨レベルの範囲であるときに点灯する第１のランプと、そのオーディオデータのレベルが推奨レベルの範囲を超えたときに点灯する第２のランプとを有している。
【００４６】
さらに筐体正面２１Ａには、中央部よりも筐体他端側に、それぞれ押下操作の可能な複数の操作ボタン２８Ａ乃至２８Ｋが配置されている。
【００４７】
因みに、筐体正面２１Ａには、操作ボタン２８Ａ乃至２８Ｋとして、表示部２５の表示パネル２５Ａにメニュー画面を表示するためのメニューボタン２８Ａや、表示パネル２５Ａを背面から照明するバックライトの点灯及び消灯を切り換えるためのライトボタン２８Ｂが配置されている。
【００４８】
また筐体正面２１Ａには、外部音声を録音するための録音ボタン２８Ｃ、録音した音声の再生や、メニュー画面等で項目の選択を決定するための再生ボタン２８Ｄも配置されている。
【００４９】
さらに筐体正面２１Ａには、外部音声の録音や音声の再生を停止させるための停止ボタン２８Ｅ、外部音声の録音や音声の再生を一時停止させるための一時停止ボタン２８Ｆ、再生中の音声のオーディオデータを任意に分割するための分割ボタン２８Ｇも配置されている。
【００５０】
さらに筐体正面２１Ａには、再生中の音声の早送りや、メニュー画面上で選択する項目を筐体一端側に切り換えるための早送りボタン２８Ｈ、再生中の音声の早戻しや、メニュー画面上で選択する項目を筐体他端側に切り換えるための早戻しボタン２８Ｉも配置されている。
【００５１】
さらに筐体正面２１Ａには、１又は複数の音声を繰り返し（リピート）再生するための繰返ボタン２８Ｊや、録音中及び再生中に表示パネル２５Ａに表示される録音時間や再生時間を、録音日時や再生日時等の他の情報に切り換えるための表示切換ボタン２８Ｋも配置されている。
【００５２】
装置筐体２１の筐体右側面２１Ｃには、中央部よりもわずかに筐体一端寄りに、録音時の外部音声の音量を調整するための録音音量調整ダイヤル２９が設けられている。
【００５３】
また筐体右側面２１Ｃには、録音音量調整ダイヤル２９よりも筐体一端側に、外部の再生機器から音楽や声等のオーディオデータを入力するための入力ジャック３０と、外部のマイクロホンを接続するためのマイクロホンジャック３１とが順に設けられている。
【００５４】
さらに筐体右側面２１Ｃには、録音音量調整ダイヤル２９及び入力ジャック３０よりも筐体背面２１Ｂ寄りに、半導体メモリを搭載したカード型の記録メディアを抜差可能なメディアスロット３２も設けられている。
【００５５】
さらに筐体右側面２１Ｃには、録音音量調整ダイヤル２９よりも筐体他端側に、電源をオン／オフするための電源スイッチ３３が設けられている。因みに、装置筐体２１の筐体背面２１Ｂには、筐体他端寄りに、バッテリ３４が取り付けられている。
【００５６】
装置筐体２１の筐体左側面２１Ｄには、中央部よりもわずかに筐体一端寄りに、再生時の音声の音量を調整するための再生音量調整ダイヤル３５が設けられている。
【００５７】
また筐体左側面２１Ｄには、再生音量調整ダイヤル３５よりも筐体一端側に、外部のヘッドホンを接続するためのヘッドホンジャック３６と、外部の再生機器にオーディオデータを出力するための出力ジャック３７とが順に設けられている。
【００５８】
さらに筐体左側面２１Ｄには、出力ジャック３７よりも筐体背面２１Ｂ寄りに、録音時に音声の入力元を、一方及び他方の指向性マイクロホン２２及び２３、又は外部のマイクロホンと、外部の再生機器とのいずれか一方を任意に選択するための入力切換スイッチ３８が設けられている。
【００５９】
さらに筐体左側面２１Ｄには、ヘッドホンジャック３６よりも筐体背面２１Ｂ寄りに、一方及び他方の指向性マイクロホン２２及び２３による外部音声の入力感度を切り換える感度切換スイッチ３９が設けられいてる。
【００６０】
さらに筐体左側面２１Ｄには、再生音量調整ダイヤル３５よりも筐体背面２１Ｂ寄りに、ＵＳＢ（Universal Serial Bus）規格に準じて通信可能なパーソナルコンピュータのような外部機器とＵＳＢケーブルを介して接続するためのＵＳＢコネクタ４０や、ＤＣ（Direct Current）ジャック４１が設けられている。
【００６１】
因みに、携帯型記録装置２０は、例えば、ＤＣジャック４１にＡＣ／ＤＣ（Alternating Current/Direct Current）アダプタ（図示せず）を介して商用電源が接続されると、その商用電源からＡＣ／ＤＣアダプタを介して供給される直流電源に応じて動作し、またバッテリ３４を充電し得るようになされている。
【００６２】
さらに筐体左側面２１Ｄには、再生音量調整ダイヤル３５よりも筐体他端側に、上述した操作ボタン２８Ａ乃至２８Ｋに対する押下操作の有効化／無効化を切り換えるためのホールドスイッチ４２が設けられている。
【００６３】
さらに筐体左側面２１Ｄには、ホールドスイッチ４２よりも筐体他端側に、音声の再生速度を、通常再生速度とは異なる事前に設定された任意の再生速度（通常再生速度よりもけ遅く再生速度や速い再生速度）に切り換えるための速度切換スイッチ４３が設けられている。
【００６４】
さらに筐体左側面２１Ｄには、速度切換スイッチ４３よりも筐体他端側に、外部のリモートコマンダを接続するためのリモートジャック４４が設けられている。
【００６５】
これにより携帯型記録装置２０は、述した操作ボタン２８Ａ乃至２８Ｋや各種スイッチに対する操作のみならず、外部のリモートコマンダの操作に応じても動作し得るようになされている。
【００６６】
ところで、図５に示すように、一方及び他方の指向性マイクロホン２２及び２３は、ほぼ同様の構成でなり、それぞれ円筒状の根本部（以下、これをマイク根本部とも呼ぶ）２２Ａ及び２３Ａの側面所定位置に、略円筒状の先端部（以下、これをマイク先端部とも呼ぶ）２２Ｂ及び２３Ｂが取り付けられて形成された略Ｔ字状の外装ケース２２Ｃ及び２３Ｃを有している。
【００６７】
外装ケース２２Ｃ及び２３Ｃにおいてマイク先端部２２Ｂ及び２３Ｂの側面には、マイク根本部２２Ａ及び２３Ａとの接合側に複数の孔が穿設されている。
【００６８】
またマイク先端部２２Ｂ及び２３Ｂの先端面（以下、これをマイク先端面とも呼ぶ）２２ＢＸ及び２３ＢＸにも、複数の孔が穿設されている。
【００６９】
さらに外装ケース２２Ｃ及び２３Ｃは、マイク先端部２２Ｂ及び２３Ｂ内に、外部音声を集音するための振動板や回路素子等が収納されている。
【００７０】
これにより一方及び他方の指向性マイクロホン２２及び２３は、マイク先端部２２Ｂ及び２３Ｂの複数の孔を介して外部音声を集音し、当該集音した外部音声をオーディオ信号として出力し得るようになされている。
【００７１】
一方、図６に示すように、装置筐体２１の筐体上面２１Ｅには、右端部側において筐体正面２１Ａとの縁部と、筐体背面２１Ｂとの縁部とに、円板状に形成された一対のマイクロホン保持部２１ＥＡ及び２１ＥＢが、その円板状の面を対向させて設けられている。
【００７２】
そして装置筐体２１は、筐体上面２１Ｅにおいて一対のマイクロホン保持部２１ＥＡ及び２１ＥＢにより、一方の指向性マイクロホン２２のマイク根本部２２Ａをその両端から挟み込むようにして当該マイク根本部２２Ａの中心軸を筐体厚み方向と平行にしている。
【００７３】
これにより装置筐体２１は、筐体上面２１Ｅにおいて一対のマイクロホン保持部２１ＥＡ及び２１ＥＢにより、一方の指向性マイクロホン２２をマイク根本部２２Ａの中心軸を中心にしてマイク先端部２２Ｂを筐体右側面２１Ｃ側へ倒すように回転させるような一方向（以下、これを右回転方向とも呼ぶ）及び、これとは逆の筐体左側面２１Ｄ側へ倒すように回転させるような他方向（以下、これを左回転方向とも呼ぶ）へ回動可能に保持している。
【００７４】
また装置筐体２１の筐体上面２１Ｅには、左端部側にも筐体正面２１Ａとの縁部と、筐体背面２１Ｂとの縁部とに、円板状に形成された一対のマイクロホン保持部２１ＥＣ及び２１ＥＤが、その円板状の面を対向させて設けられている。
【００７５】
そして装置筐体２１は、筐体上面２１Ｅにおいて、一対のマイクロホン保持部２１ＥＣ及び２１ＥＤにより、他方の指向性マイクロホン２３のマイク根本部２３Ａをその両端から挟み込むようにして当該マイク根本部２３Ａの中心軸を筐体厚み方向と平行にしている。
【００７６】
これにより装置筐体２１は、筐体上面２１Ｅにおいて一対のマイクロホン保持部２１ＥＣ２及び２１ＥＤにより、他方の指向性マイクロホン２３をマイク根本部２３Ａの中心軸を中心にしてマイク先端部２３Ｂを筐体右側面２１Ｃ側へ倒すように回転させるような右回転方向及び、これとは逆の筐体左側面２１Ｄ側へ倒すように回転させるような左回転方向へ回動可能に保持している。
【００７７】
ところで、例えば、筐体上面２１Ａには、一方及び他方の指向性マイクロホン２２及び２３に対する右回転方向及び左回転方向への回動範囲を規制する回動規制部（図示せず）が設けられている。
【００７８】
因みに、一方及び他方の指向性マイクロホン２２及び２３が右回転方向へ回転したときの回転角度と左回転方向へ回転したときの回転角度とは、回転方向にかかわらずに１の基準からの角度で表されるものである。
【００７９】
しかしながら、以下の説明では、一方及び他方の指向性マイクロホン２２及び２３の回転方向を右回転方向や左回転方向として特には区別する必要のない場合、当該一方及び他方の指向性マイクロホン２２及び２３が右回転方向へ回転したときの回転角度と左回転方向へ回転したときの回転角度とを、まとめて回動角度とも呼ぶ。
【００８０】
これにより一方の指向性マイクロホン２２は、例えば、マイク先端部２２Ｂを筐体上面２１Ｅと垂直にした回動角度を仮に基準の０度とすると、その回動角度（以下、これを基準回動角度とも呼ぶ）から右回転方向へは60度の回転角度まで回転し、左回転方向へは45度の回転角度まで回転し得るようになされている。
【００８１】
また他方の指向性マイクロホン２３は、例えば、マイク先端部２３Ｂを筐体上面２１Ｅと垂直にした回動角度を仮に基準の０度とすると、その基準回動角度から右回転方向へは45度の回転角度まで回転し、左回転方向へは60度の回転角度まで回転し得るようになされている。
【００８２】
このようにして一方及び他方の指向性マイクロホン２２及び２３は、筐体短手方向と垂直で、かつ筐体上面２１Ｅの中央を通るような仮想平面に対して、対称的な傾きとなり得るような角度範囲（例えば、 105度の角度範囲）で回動し得るようになされている。
【００８３】
さらに図７並びに図８（Ａ）及び（Ｂ）に示すように、装置筐体２１の内部には、筐体上面２１Ｅの近傍に、一方及び他方の指向性マイクロホン２２及び２３を連動させて互いに反対方向（すなわち、右回転方向及び左回転方向）へ回動させるための連動回動機構４５が設けられている。
【００８４】
また装置筐体２１の内部には、筐体上面２１Ｅ側に、一方及び他方の指向性マイクロホン２２及び２３の回動形態を、当該一方及び他方の指向性マイクロホン２２及び２３を個別に回動可能な第１の回動形態（以下、これを個別回動形態とも呼ぶ）と、当該一方及び他方の指向性マイクロホン２２及び２３を連動回動機構４５により連動させて回動させる第２の回動形態（以下、これを連動回動形態とも呼ぶ）とのうちから、所望の回動形態に切り換えるための回動形態切換部４６も設けられている。
【００８５】
かかる、連動回動機構４５は、筐体厚み方向と平行な状態で右回転方向及び左回転方向に回動可能に保持された回動軸５０を有している。
【００８６】
回動軸５０は、一端側が円柱状のプーリ５１の中心に穿設された貫通孔に圧入されて一体化され、これにより自己の回動に合せてプーリ５１を右回転方向及び左回転方向へ回動させ得るようになされている。
【００８７】
また回動軸５０は、他端側が円柱状のローラ５２の中心に穿設された貫通孔に挿入され、当該ローラ５２を自己の回動には同期させずに個別に右回転方向及び左回転方向へ回動させ得るようになされている。
【００８８】
そしてローラ５２には、一方の指向性マイクロホン２２のマイク根本部２２Ａ内に設けられたプーリ５１に掛けられている回動ベルト５３が、何らねじらずに張った状態で掛けられている。
【００８９】
これにより連動回動機構４５は、ローラ５２を一方の指向性マイクロホン２２と回動ベルト５３を介して連動させて、当該一方の指向性マイクロホン２２が右回転方向へ回転したときにはローラ５２も右回転方向へ回転させ、一方の指向性マイクロホン２２が左回転方向へ回転したときにはローラ５２も左回転方向へ回転させ得るようになされている。
【００９０】
またプーリ５１には、他方の指向性マイクロホン２３のマイク根本部２３Ａ内に設けられたプーリ５１に掛けられている回動ベルト５４が、数字の「８」の字を描くように一度ねじられて張った状態で掛けられている。
【００９１】
これにより連動回動機構４５は、プーリ５１を他方の指向性マイクロホン２３と回動ベルト５４を介して連動させて、当該他方の指向性マイクロホン２３が右回転方向へ回転したときにはプーリ５１を逆の左回転方向へ回転させ、他方の指向性マイクロホン２３が左回転方向へ回転したときにはプーリ５１を逆の右回転方向へ回転させ得るようになされている。
【００９２】
これに加えて、連動回動機構４５においてプーリ５１は、ローラ５２側の一端面５１Ａに、例えば、略長方形状の凸部５１ＡＸと、略円形の凸部５１ＡＹとが所定位置に突設されている。
【００９３】
また連動回動機構４５においてローラ５２は、プーリ５１側の一端面５２Ａに、当該プーリ５１の凸部５１ＡＸ及び５１ＡＹに対応する略長方形状の凹部５２ＡＸと、略円形の凹部５２ＡＹとが設けられている。
【００９４】
そして、連動回動機構４５は、例えば、一方の指向性マイクロホン２２が左回転方向にめいっぱい回転し、かつ他方の指向性マイクロホン２３が右回転方向へめいっぱい回転したときのように、上述した仮想平面に対し対称的な傾きとなる回動角度まで回動したとき、プーリ５１の凸部５１ＡＸ及び５１ＡＹと、ローラ５２の対応する凹部５２ＡＸ及び５２ＡＹとを対向させるように、これらプーリ５１及びローラ５２が位置合せてして設けられている。
【００９５】
さらにローラ５２の他端面５２Ｂの中央部には、一端にフランジでなる係止片が設けられた円筒状の変位用係止部５２ＢＸの他端が、その孔部に回動軸５０を通した状態で固定されている。
【００９６】
一方、回動形態切換部４６は、筐体短手方向と平行に配置された円柱状の切換操作軸５５を有している。かかる切換操作軸５５は、一端寄りの所定部分を、連動回動機構４５のローラ５２に設けられた変位用係止部５２ＢＸの近傍に位置させた状態で、一端部が、装置筐体２１の内部に設けられた軸受部（図示せず）に保持されている。
【００９７】
また切換操作軸５５の他端部は、例えば筐体右側面２１Ｃに穿設された円形の孔を介して外部に突出し、当該外部に突出した他端部には、円板状の切換操作つまみ５６の中心部が取り付けられている。
【００９８】
これにより切換操作軸５５は、切換操作つまみ５６の中心部を中心にした回動操作に応じて時計回り方向及びこれとは逆の反時計回り方向の何れにも回動し得るようになされている。
【００９９】
さらに切換操作軸５５の一端寄りの所定部分には、「く」の字状に屈曲した２本の係止歯５５Ａが平行に設けられ、当該係止歯５５Ａの先端部が、間にローラ５２の変位用係止部５２ＢＸの円筒部分を介在させた状態で当該ローラ５２の他端面５２Ｂと、変位用係止部５２ＢＸの係止片との間に差し込まれている。
【０１００】
従って図９（Ａ）及び（Ｂ）に示すように、回動形態切換部４６は、切換操作つまみ５６に対する反時計回り方向への回動操作に応じて、切換操作軸５５よりも係止歯５５Ａの先端部を筐体背面２１Ｂ側へ位置させるように当該切換操作軸５５を反時計回り方向へ回転させたとき、その係止歯５５Ａの先端部をローラ５２の他端面５２Ｂに押し付ける。
【０１０１】
よって回動形態切換部４６は、例えば、一方の指向性マイクロホン２２が基準回動角度よりも左回転方向へ45度の回転角度まで回転し、かつ他方の指向性マイクロホン２３が基準回動角度よりも右回転方向へ45度の回転角度まで回転している状態のように、一方及び他方の指向性マイクロホン２２及び２３が対称的な傾きとなる回動角度に回動している状態で、切換操作つまみ５６が反時計回り方向へ回動操作されると、これに応じてローラ５２を回動軸５０に沿って筐体背面２１Ｂ側へ変位させる。
【０１０２】
これにより回動形態切換部４６は、連動回動機構４５において、ローラ５２の一端面５２Ａの各凹部５２ＡＸ及び５２ＡＹ内にプーリ５１の一端面５１Ａの対応する凸部５１ＡＸ及び５１ＡＹを嵌合させる。
【０１０３】
このようにして連動回動機構４５は、プーリ５１にローラ５２が連結されると、回動軸５０と共にプーリ５１及びローラ５２を同一の右回転方向や左回転方向へ回動させることができる。
【０１０４】
よって図１０に示すように、連動回動機構４５は、プーリ５１にローラ５２が連結された場合、これらが同一の方向へ回動することにより、例えば、ユーザの手で一方の指向性マイクロホン２２が左回転方向へ（又は、他方の指向性マイクロホン２３が右回転方向へ）45度の回転角度まで回転されると、これに連動させて他方の指向性マイクロホン２３を右回転方向へ（又は、一方の指向性マイクロホン２２を左回転方向へ）45度の回転角度まで回転させることができる。
【０１０５】
そして連動回動機構４５は、このように一方及び他方の指向性マイクロホン２２及び２３を、逆Ｖ字を描くように傾斜させると、一方及び他方のマイク先端部２２Ｂ及び２３Ｂ側のみを近接させる。
【０１０６】
これにより連動回動機構４５は、一方の指向性マイクロホン２２のマイク先端部２２Ｂを、筐体上面２１Ｅの向く方向（以下、これを上面前方とも呼ぶ）よりも斜め左前方へ向けると共に、他方の指向性マイクロホン２３のマイク先端部２３Ｂを上面前方よりも斜め右前方へ向けることができる。
【０１０７】
また図１１に示すように、連動回動機構４５は、プーリ５１にローラ５２が連結された場合、例えば、ユーザの手で一方の指向性マイクロホン２２（又は、他方の指向性マイクロホン２３）を筐体上面２１Ｅに対し垂直となるように基準回動角度まで回動されると、これに連動させて他方の指向性マイクロホン２３（又は、一方の指向性マイクロホン２２）も筐体上面２１Ａに対し垂直となるように基準回動角度まで回動させることができる。
【０１０８】
そして連動回動機構４５は、このように一方及び他方の指向性マイクロホン２２及び２３を平行にすると、互いのマイク先端部２２Ｂ及び２３Ｂを共に上面前方へ向けることができる。
【０１０９】
さらに図１２に示すように、連動回動機構４５は、プーリ５１にローラ５２が連結された場合、例えば、ユーザの手で一方の指向性マイクロホン２２が右回転方向へ（又は、他方の指向性マイクロホン２３が左回転方向へ）60度の回転角度まで回転されると、これに連動させて他方の指向性マイクロホン２３を左回転方向へ（又は、一方の指向性マイクロホン２２を右回転方向へ）60度の回転角度まで回転させることができる。
【０１１０】
そして連動回動機構４５は、このように一方及び他方の指向性マイクロホン２２及び２３を、Ｖ字を描くように傾斜させると、一方及び他方のマイク先端部２２Ｂ及び２３Ｂを引き離す。
【０１１１】
これにより連動回動機構４５は、一方の指向性マイクロホン２２のマイク先端部２２Ｂを上面前方よりも斜め右前方へ向けると共に、他方の指向性マイクロホン２３のマイク先端部２３Ｂを上面前方よりも斜め左前方へ向けることができる。
【０１１２】
これに対して回動形態切換部４６（図９（Ａ）及び（Ｂ））は、切換操作つまみ５６に対する時計回り方向への回動操作に応じて、切換操作軸５５よりも係止歯５５Ａの先端部を筐体正面２１Ａ側へ位置させるように当該切換操作軸５５を時計回り方向へ回転させたとき、その係止歯５５Ａの先端部をローラ５２の変位用係止部５２ＢＸの係止片に押し付ける。
【０１１３】
よって回動形態切換部４６は、連動回動機構４５においてプーリ５１にローラ５２が連結されている状態で、切換操作つまみ５６が時計回り方向へ回動操作されると、これに応じてローラ５２を回動軸５０に沿って筐体正面２１Ａ側へ変位させる。
【０１１４】
これにより回動形態切換部４６は、連動回動機構４５において、ローラ５２の一端面５２Ａの各凹部５２ＡＸ及び５２ＡＹ内からプーリ５１の一端面５１Ａの対応する凸部５１ＡＸ及び５１ＡＹを引き抜く。
【０１１５】
このようにして連動回動機構４５は、プーリ５１からローラ５２が引き離されて連結が解除されると、プーリ５１とローラ５２とを個別に右回転方向や左回転方向へ回動させることができる。
【０１１６】
そして図１３に示すように、連動回動機構４５は、プーリ５１に対するローラ５２の連結が解除されると、これらを個別に回動させ得ることにより、例えば、ユーザの手で一方及び他方の指向性マイクロホン２２及び２３を個別に左回転方向へ回転させて、これら一方及び他方の指向性マイクロホン２２及び２３のマイク先端部２２Ｂ及び２３Ｂをそれぞれ上面前方よりも斜め右前方へ向けさせることができる。
【０１１７】
また図１４に示すように、連動回動機構４５は、プーリ５１に対するローラ５２の連結が解除されると、例えば、ユーザの手で一方及び他方の指向性マイクロホン２２及び２３を個別に左回転方向へ回転させて、これら一方及び他方の指向性マイクロホン２２及び２３のマイク先端部２２Ｂ及び２３Ｂをそれぞれ上面前方よりも斜め左前方へ向けさせることもできる。
【０１１８】
因みに、連動回動機構４５は、プーリ５１に対するローラ５２の連結が解除されると、ユーザに対し一方及び他方の指向性マイクロホン２２及び２３を図１０乃至図１２について上述したような回動角度へも個別に回動させることができる。
【０１１９】
また図１５に示すように、回動形態切換部４６において切換操作軸５５の他端側には、筐体右側面２１Ｃの内面２１ＣＸに近接するように、平板状の回動体５５Ｂが設けられている。
【０１２０】
かかる回動体５５Ｂは、一端部が切換操作軸５５に固着され、他端部が略三角形状に張り出しており、切換操作軸５５と一体に時計回り方向及び反時計回り方向へ回動する。
【０１２１】
また、筐体右側面２１Ｃの内面２１ＣＸには、切換操作軸５５の反時計回り方向への回転角度を規制する板状の第１の回転規制部５８と、当該切換操作軸５５の時計回り方向への回転角度を規制する板状の第２の回転規制部５９とが突設されている。
【０１２２】
かかる第１の回転規制部５８は、略Ｌ字状に形成され、一方の腕部５８Ａの内側面の所定位置に凹部５８ＡＸが形成されると共に、他方の腕部５８Ｂの内側面は平面状に形成されている。
【０１２３】
そして第１の回転規制部５８は、連動回動機構４５において上述したようにプーリ５１に対しローラ５２を連結させるように切換操作軸５５が反時計回り方向へ所定の回転角度まで回転したときに、一方の腕部５８Ａの凹部５８ＡＸ内に回動体５５Ｂの他端部の最も張り出している先端を位置させ、かつ他方の腕部５８Ｂの内側面を当該回動体５５Ｂの一方の側面に当接させように配置されている。
【０１２４】
また第２の回転規制部５９も、略Ｌ字状に形成され、一方の腕部５９Ａの内側面の所定位置に凹部５９ＡＸが形成されると共に、他方の腕部５９Ｂの内側面は平面状に形成されている。
【０１２５】
そして第２の回転規制部５９は、連動回動機構４５において上述したようにプーリ５１に対するローラ５２の連結を解除させるように切換操作軸５５が時計回り方向へ所定の回転角度まで回転したときに、一方の腕部５９Ａの凹部５９ＡＸ内に回動体５５Ｂの他端部の先端を位置させ、かつ他方の腕部５９Ｂの内側面を当該回動体５５Ｂの他方の側面に当接させるように配置されている。
【０１２６】
実際に回動形態切換部４６は、一方及び他方の指向性マイクロホン２２及び２３の回動形態を個別回動形態から連動回動形態へと切り換えるように切換操作つまみ５６が反時計回り方向へ回動操作されたとき、これに応じて切換操作軸５５も反時計回り方向へ回転させる。
【０１２７】
この際、回動形態切換部４６は、回動体５５Ｂの他端部の先端を、一旦は第１の回転規制部５８の一方の腕部５８Ａの先端隅部に突き当てさせる。
【０１２８】
そして回動形態切換部４６は、切換操作つまみ５６がさらに反時計回り方向へ回動操作されると、回動体５５Ｂの他端部の先端を、第１の回転規制部５８の一方の腕部５８Ａの先端隅部を乗り越えさせて凹部５８ＡＸに入り込ませると共に、その位置まで回転すると、プーリ５１に対しローラ５２を完全に連結させる。
【０１２９】
このようにして回動形態切換部４６は、一方及び他方の指向性マイクロホン２２及び２３の回動形態を個別回動形態から連動回動形態へと切り換える。
【０１３０】
因みに、第１の回転規制部５８は、その際、回動体５５Ｂの他端部の先端が一方の腕部５８Ａの先端隅部を乗り越える間、切換操作つまみ５６の回動に対し一時的に抵抗を与え、その後、当該回動体５５Ｂの他端部の先端が一方の腕部５８Ａの凹部５８ＡＸに入り込むと、その抵抗を解除する。
【０１３１】
これにより第１の回転規制部５８は、ユーザに対し、一方及び他方の指向性マイクロホン２２及び２３の回動形態が個別回動形態から連動回動形態へと切り換わったことを直感的に認識させることができる。
【０１３２】
また第１の回転規制部５８は、このようにして一方及び他方の指向性マイクロホン２２及び２３の回動形態が個別回動形態から連動回動形態へ切り換えられると、そのときユーザにより切換操作つまみ５６を反時計回り方向へさらに回転させるように回動操作されても、回動体５５Ｂの一方の側面を他方の腕部５８Ｂの内側面に突き当てさせる。
【０１３３】
これにより第１の回転規制部５８は、一方及び他方の指向性マイクロホン２２及び２３の回動形態が個別回動形態から連動回動形態へ切り換えられたとき、ユーザの回動操作に応じて切換操作つまみ５６と共に切換操作軸５５が反時計回り方向へ必要以上に回転することを回避している。
【０１３４】
これに対して回動形態切換部４６は、一方及び他方の指向性マイクロホン２２及び２３の回動形態を連動回動形態から個別回動形態へと切り換えるように切換操作つまみ５６が時計回り方向へ回動操作されたとき、これに応じて切換操作軸５５も時計回り方向へ回転させる。
【０１３５】
この際、回動形態切換部４６は、回動体５５Ｂの他端部の先端を、一旦は第２の回転規制部５９の一方の腕部５９Ａの先端隅部に突き当てさせる。
【０１３６】
そして回動形態切換部４６は、切換操作つまみ５６がさらに時計回り方向へ回動操作されると、回動体５５Ｂの他端部の先端を、第２の回転規制部５９の一方の腕部５９Ａの先端隅部を乗り越えさせて凹部５９ＡＸに入り込ませると共に、プーリ５１に対するローラ５２の連結を完全に解除させる。
【０１３７】
このようにして回動形態切換部４６は、一方及び他方の指向性マイクロホン２２及び２３の回動形態を連動回動形態から個別回動形態へと切り換える。
【０１３８】
因みに、第２の回転規制部５９は、その際、回動体５５Ｂの他端部の先端が一方の腕部５９Ａの先端隅部を乗り越える間、切換操作つまみ５６の回動に対し一時的に抵抗を与え、その後、回動体５５Ｂの他端部の先端が一方の腕部５９Ａの凹部５９ＡＸに入り込むと、その抵抗を解除する。
【０１３９】
これにより第２の回転規制部５９は、ユーザに対し、一方及び他方の指向性マイクロホン２２及び２３の回動形態が連動回動形態から個別回動形態へと切り換わったことを直感的に認識させることができる。
【０１４０】
また第２の回転規制部５９は、このようにして一方及び他方の指向性マイクロホン２２及び２３の回動形態が連動回動形態から個別回動形態へ切り換えられると、そのときユーザにより切換操作つまみ５６を時計回り方向へさらに回転させるように回動操作されても、回動体５５Ｂの他方の側面を他方の腕部５９Ｂの内側面に突き当てさせる。
【０１４１】
これにより第２の回転規制部５９は、一方及び他方の指向性マイクロホン２２及び２３の回動形態が連動回動形態から個別回動形態へと切り換えられたとき、ユーザの回動操作に応じて切換操作つまみ５６と共に切換操作軸５５が時計回り方向へ必要以上に回転することを回避している。
【０１４２】
ところで装置筐体２１の内部には、モータが設けられている。また連動回動機構４５は、回動軸５０の一端側においてプーリ５１の他端面よりも突出している部分に、歯車が取り付けられている。
【０１４３】
そして連動回動機構４５は、回動軸５０に取り付けられた歯車に、モータの出力軸に取り付けられた歯車が直接、又は他の１又は複数の歯車を介して歯合されている。
【０１４４】
よって連動回動機構４５は、例えば、プーリ５１に対しローラ５２を連結している場合、モータが駆動され、当該モータの出力軸の回動が少なくとも２つの歯車を介して回動軸５０に伝達されると、これに応じて当該回動軸５０と共にプーリ５１及びローラ５２を回動させる。
【０１４５】
これにより連動回動機構４５は、一方及び他方の指向性マイクロホン２２及び２３を連動させて自動で右回転方向及び左回転方向へ回動させることもできるようになされている。
【０１４６】
このようにして携帯型記録装置２０は、一方及び他方の指向性マイクロホン２２及び２３を連結すると（すなわち、連動回動機構４５のプーリ５１及びローラ５２を介して連結すると）、当該一方及び他方の指向性マイクロホン２２及び２３を連動させて手動や自動で右回動方向及び左回転方向へ所望の回動角度まで回動させることができる。
【０１４７】
また携帯型記録装置２０は、連動回動機構４５による一方及び他方の指向性マイクロホン２２及び２３の連結を解除すると、当該一方及び他方の指向性マイクロホン２２及び２３を、手動で個別に右回転方向及び左回転方向へ所望の回動角度まで回動させることができる。
【０１４８】
ところで、一方及び他方の指向性マイクロホン２２及び２３は、上述したように単一指向性を有している。
【０１４９】
このため、図１６に示すように、一方及び他方の指向性マイクロホン２２及び２３は、マイク先端部２２Ｂ及び２３Ｂの向く方向に沿って外部音声を高い感度で集音し得るものの、当該マイク先端部２２Ｂ及び２３Ｂの向いた方向とは異なる他の方向については感度がおちて外部音声を拾いにくいような、例えば、マイク先端部２２Ｂ及び２３Ｂの向いた方向に伸びる略楕円体の領域ＲＡ１及びＲＡ２内で外部音声を集音可能な指向特性を有している。
【０１５０】
因みに、以下の説明では、一方の指向性マイクロホン２２により外部音声を集音可能な領域を一方の集音可能領域ＲＡ１とも呼び、他方の指向性マイクロホン２３により外部音声を集音可能な領域を他方の集音可能領域ＲＡ２とも呼ぶ。
【０１５１】
また、以下の説明では、便宜上、一方の指向性マイクロホン２２のマイク先端面２２ＢＸに垂直で、当該マイク先端面２２ＢＸからマイク先端部２２Ｂの向く方向に伸びる仮想の直線を、マイク先端部２２Ｂの向く方向を示す一方の方向線ＤＡ１とも呼ぶ。
【０１５２】
さらに、以下の説明では、便宜上、他方の指向性マイクロホン２３のマイク先端面２３ＢＸに垂直で、当該マイク先端面２３ＢＸからマイク先端部２３Ｂの向く方向へ伸びる仮想の直線を、マイク先端部２３Ｂの向く方向を示す他方の方向線ＤＡ２とも呼ぶ。
【０１５３】
そして携帯型記録装置２０は、図１０に示したように、個別回動形態や連動回動形態で手動により又は自動的に一方の指向性マイクロホン２２を基準回動角度よりも左回転方向へ45度の回転角度まで回転させ、かつ他方の指向性マイクロホン２３を基準回動角度よりも右回転方向へ45度の回転角度まで回転させて、これら一方及び他方の指向性マイクロホン２２及び２３が逆Ｖ字を描くようにして、互いのマイク先端部２２Ｂ及び２３Ｂのみを近接させると、全体として図１７に示すような指向特性を得ることができる。
【０１５４】
因みに、以下の説明では、便宜上、一方及び他方の指向性マイクロホン２２及び２３の中間を通り、筐体上面２１Ｅに垂直な仮想の直線を中心線ＣＬとも呼ぶ。
【０１５５】
すなわち、携帯型記録装置２０は、一方及び他方の指向性マイクロホン２２及び２３を、逆Ｖ字を描くように回動させると、中心線ＣＬに対し左回転方向及び右回転方向へそれぞれ45度の角度に傾いた一方及び他方の方向線ＤＡ１及びＤＡ２を、互いのマイク先端部２２Ｂ及び２３Ｂの近傍で直交（すなわち、90度の角度で交差）させる。
【０１５６】
よって携帯型記録装置２０は、一方及び他方の指向性マイクロホン２２及び２３により、マイク先端部２２Ｂ及び２３Ｂ寄りで一部を重ねたような、斜め左前方に伸びる一方の集音可能領域ＲＡ１と斜め右前方に伸びる他方の集音可能領域ＲＡ２とで外部音声を集音可能な指向特性を得ることができる。
【０１５７】
これにより携帯型記録装置２０は、一方及び他方の指向性マイクロホン２２及び２３の両方によって上面前方の外部音声を集音し得ると共に、上面前方よりも斜め右前方や斜め左前方の外部音声についても他方の指向性マイクロホン２３や一方の指向性マイクロホン２２によって集音し得るようになる。
【０１５８】
そして携帯型記録装置２０は、このように一方及び他方の指向性マイクロホン２２及び２３を、逆Ｖ字を描くように回動させると、外部音声を集音する際、かかる指向特性により奥行き感のあるステレオ音像を得ることができる。因みに、図１７に示すような指向特性は、独奏等を集音する場合に適している。
【０１５９】
また携帯型記録装置２０は、図１１に示したように、個別回動形態や連動回動形態で手動により又は自動的に一方及び他方の指向性マイクロホン２２及び２３を基準回動角度まで回動させて、これら一方及び他方の指向性マイクロホン２２及び２３の一方及び他方のマイク先端部２２Ｂ及び２３Ｂを平行にすると、全体として図１８に示すような指向特性を得ることができる。
【０１６０】
すなわち、携帯型記録装置２０は、一方及び他方の指向性マイクロホン２２及び２３を平行にすると、中心線ＣＬに対して一方及び他方の方向線ＤＡ１及びＤＡ２を所定の間隔を介して平行にさせる。
【０１６１】
よって携帯型記録装置２０は、一方及び他方の指向性マイクロホン２２及び２３により、上面前方に沿って一部を重ねながら伸びるような一方及び他方の集音可能領域ＲＡ１及びＲＡ２で外部音声を集音可能な指向特性を得ることができる。
【０１６２】
これにより携帯型記録装置２０は、一方及び他方の指向性マイクロホン２２及び２３の両方により上面前方の外部音声を集音し得るようになる。
【０１６３】
そして携帯型記録装置２０は、このように一方及び他方の指向性マイクロホン２２及び２３を平行にすると、かかる指向特性により、上面前方で発生した外部音声の集音に対して、ステレオ感は弱いが極めて高い感度を得ることができる。因みに、図１８に示すような指向特性は、主に上面前方の音源により発せられる外部音声を集音するような場合に適している。
【０１６４】
さらに携帯型記録装置２０は、図１２に示したように、個別回動形態や連動回動形態で手動により又は自動的に一方の指向性マイクロホン２２を基準回動角度よりも右回転方向へ60度の回転角度まで回転させ、かつ他方の指向性マイクロホン２３を基準回動角度よりも左回転方向へ60度の回転角度まで回転させて、これら一方及び他方の指向性マイクロホン２２及び２３がＶ字を描くようにして、互いのマイク先端部２２Ｂ及び２３Ｂを引き離すと、全体として図１９に示すような指向特性を得ることができる。
【０１６５】
すなわち、携帯型記録装置２０は、一方及び他方の指向性マイクロホン２２及び２３を、Ｖ字を描くように回動させると、中心線ＣＬに対し一方及び他方の方向線ＤＡ１及びＤＡ２を右回転方向及び左回転方向へそれぞれ60度の角度に傾ける（すなわち、一方及び他方の方向線ＤＡ１及びＤＡ２を 120度の角度に開く）。
【０１６６】
よって携帯型記録装置２０は、一方及び他方の指向性マイクロホン２２及び２３により、ほとんど重ならない、斜め右前方に伸びる一方の集音可能領域ＲＡ１と斜め左前方に伸びる他方の集音可能領域ＲＡ２とで外部音声を集音可能な指向特性を得ることができる。
【０１６７】
これにより携帯型記録装置２０は、上面前方と共に斜め右前方や斜め左前方の広い範囲で一方の指向性マイクロホン２２や他方の指向性マイクロホン２３により外部音声を集音し得るようになる。
【０１６８】
そして携帯型記録装置２０は、このように一方及び他方の指向性マイクロホン２２及び２３を、Ｖ字を描くように回動させると、外部音声を集音する際、かかる指向特性により左右に広がり感のあるステレオ音像を得ることができる。因みに、図１９に示すような指向特性は、オーケストラによる演奏等を集音する場合に適している。
【０１６９】
さらに携帯型記録装置２０は、図１３に示したように、個別回動形態で手動により一方の指向性マイクロホン２２を基準回動角度よりも右回転方向へ60度の回転角度まで回転させ、かつ他方の指向性マイクロホン２３を基準回動角度よりも右回転方向へ45度の回転角度まで回転させて、これら一方及び他方の指向性マイクロホン２２及び２３のマイク先端部２２Ｂ及び２３Ｂを共に斜め右前方へ向けると、全体として図２０に示すような指向特性を得ることができる。
【０１７０】
すなわち、携帯型記録装置２０は、一方及び他方の指向性マイクロホン２２及び２３を共に斜め右前方へ向けると、中心線ＣＬに対して一方及び他方の方向線ＤＡ１及びＤＡ２を共に斜め右前方へ傾ける。
【０１７１】
よって携帯型記録装置２０は、一方及び他方の指向性マイクロホン２２及び２３により、その斜め右前方に沿って一部を重ねながら伸びるような一方及び他方の集音可能領域ＲＡ１及びＲＡ２で外部音声を集音可能な指向特性を得ることができる。
【０１７２】
これにより携帯型記録装置２０は、一方及び他方の指向性マイクロホン２２及び２３の両方により斜め右前方の外部音声を集音し得るようになる。
【０１７３】
そして携帯型記録装置２０は、このように一方及び他方の指向性マイクロホン２２及び２３を共に斜め右前方へ向けると、かかる指向特性により、斜め右前方で発生した外部音声の集音に対して、ステレオ感は弱いが極めて高い感度を得ることができる。因みに、図２０に示すような指向特性は、主に斜め右前方の音源により発せられる外部音声を集音するような場合に適している。
【０１７４】
さらに携帯型記録装置２０は、図１４に示したように、個別回動形態で手動により一方の指向性マイクロホン２２を基準回動角度よりも左回転方向へ45度の回転角度まで回転させ、かつ他方の指向性マイクロホン２３を基準回動角度よりも左回転方向へ60度の回転角度まで回転させて、これら一方及び他方の指向性マイクロホン２２及び２３のマイク先端部２２Ｂ及び２３Ｂを共に斜め左前方へ向けると、全体として図２１に示すような指向特性を得ることができる。
【０１７５】
すなわち、携帯型記録装置２０は、一方及び他方の指向性マイクロホン２２及び２３を共に斜め左前方へ向けると、中心線ＣＬに対して一方及び他方の方向線ＤＡ１及びＤＡ２を共に斜め左前方へ傾ける。
【０１７６】
よって携帯型記録装置２０は、一方及び他方の指向性マイクロホン２２及び２３により、その斜め左前方に沿って一部を重ねながら伸びるような一方及び他方の集音可能領域ＲＡ１及びＲＡ２で外部音声を集音可能な指向特性を得ることができる。
【０１７７】
これにより携帯型記録装置２０は、一方及び他方の指向性マイクロホン２２及び２３の両方により斜め左前方の外部音声を集音し得るようになる。
【０１７８】
そして携帯型記録装置２０は、このように一方及び他方の指向性マイクロホン２２及び２３を共に斜め左前方へ向けると、かかる指向特性により、斜め左前方で発生した外部音声の集音に対して、ステレオ感は弱いが極めて高い感度を得ることができる。因みに、図２１に示すような指向特性は、主に斜め左前方の音源により発せられる外部音声を集音するような場合に適している。
【０１７９】
（３−２）携帯型記録装置の回路構成
次いで、携帯型記録装置２０の回路構成について説明する。図２２に示すように、携帯型記録装置２０は、例えばマイクロプロセッサ構成の制御部７０を有している。
【０１８０】
かかる制御部７０は、携帯型記録装置２０内部に設けられた不揮発性メモリ等でなる内蔵メモリ７１に予め記憶された各種プログラムに従って、その携帯型記録装置２０全体を制御すると共に、上述した各種操作ボタン２８Ａ乃至２８Ｋや各種操作スイッチ、リモートコマンダ等からなる操作部７２からユーザ操作に応じて入力される各種命令に応じた各種処理を実行する。
【０１８１】
これにより制御部７０は、操作部７２からユーザ操作に応じて録音命令が与えられると、一方の指向性マイクロホン２２により外部音声を集音して得られるアナログのオーディオ信号を、一方の増幅器７３を介して一方のアナログ／デジタル変換器７４に取り込む。
【０１８２】
また制御部７０は、このとき他方の指向性マイクロホン２３により外部音声を集音して得られるアナログのオーディオ信号を、他方の増幅器７５を介して他方のアナログ／デジタル変換器７６に取り込む。
【０１８３】
一方のアナログ／デジタル変換器７４は、一方の指向性マイクロホン２２から一方の増幅器７３を介して取り込んだアナログのオーディオ信号を、デジタルのオーディオデータに変換して混合部７７に送出する。
【０１８４】
また他方のアナログ／デジタル変換器７６は、他方の指向性マイクロホン２３から他方の増幅器７５を介して取り込んだアナログのオーディオ信号を、デジタルのオーディオデータに変換して混合部７７に送出する。
【０１８５】
ここで、一方及び他方の指向性マイクロホン２２及び２３については、上述したように一方の指向性マイクロホン２２が筐体上面２１Ｅの右側に配置され、他方の指向性マイクロホン２３が筐体上面２１Ｅの左側に配置されている。
【０１８６】
従って、混合部７７は、一方の指向性マイクロホン２２により外部音声を集音するようにして得られたオーディオデータ（すなわち、一方のアナログ／デジタル変換器７４から与えられたオーディオデータ）を、順次所定単位毎に、再生時には右耳で聴かせるＲ（Right ）チャンネル用（すなわち、右チャンネル用）の音声のオーディオデータとして扱うことを示す識別子を付加してＲチャンネル用のオーディオデータとする。
【０１８７】
また混合部７７は、他方の指向性マイクロホン２３により外部音声を集音するようにして得られたオーディオデータ（すなわち、他方のアナログ／デジタル変換器７６から与えられたオーディオデータ）を、順次所定単位毎に、再生時には左耳で聴かせるＬ（Left）チャンネル用（すなわち、左チャンネル用）の音声のオーディオデータとして扱うことを示す識別子を付加してＬチャンネル用のオーディオデータとする。
【０１８８】
因みに、以下の説明では、オーディオデータを、Ｒチャンネル用のオーディオデータとして扱うことを示す識別子をＲチャンネル識別子とも呼び、Ｌチャンネル用のオーディオデータとして扱うことを示す識別子をＬチャンネル識別子とも呼ぶ。
【０１８９】
そして混合部７７は、これらＲチャンネル用のオーディオデータと、Ｌチャンネル用のオーディオデータとを所定単位毎に順次交互に繋げるようにして１本のオーディオデータを生成し、当該生成したオーディオデータをＤＳＰ（Digital Signal Processor）でなる前処理部７８に送出する。
【０１９０】
前処理部７８は、混合部７７から与えられるオーディオデータに対しリミッタ処理やイコライジング処理等のような記録前の所定の処理を施した後、バッファメモリ７９に送出して一時記録する。
【０１９１】
このとき、ＤＳＰでなる記録再生処理部８０は、バッファメモリ７９から、これに一時記録されているオーディオデータを順次読み出して記録メディア８１に送出することにより、当該記録メディア８１に対し、そのオーディオデータを記録する。
【０１９２】
このようにして制御部７０は、一方及び他方の指向性マイクロホン２２及び２３それぞれによって集音した外部音声を、Ｒチャンネル及びＬチャンネルのステレオ音声として録音することができる。
【０１９３】
ところで制御部７０は、外部音声を録音する際、操作部７２からユーザ操作に応じて録音命令と共に一時停止命令が与えられると、一方及び他方の指向性マイクロホン２２及び２３により外部音声を集音することにより、上述と同様にして一方及び他方の増幅器７３及び７５から前処理部７８にかけて生成したオーディオデータをバッファメモリ７９に一時記録する。
【０１９４】
ただし、制御部７０は、このとき記録再生処理部８０を、オーディオデータを記録メディア８１へは記録させずに、ヘッドホンから出力させるように制御する。
【０１９５】
よって記録再生処理部８０は、この際、バッファメモリ７９からオーディオデータを読み出すと共に、当該読み出したオーディオデータをデジタル／アナログ変換器８２を介してアナログのオーディオ信号に変換した後、ヘッドホンジャック３６を介してヘッドホンに送出する。
【０１９６】
これにより制御部７０は、一方及び他方の指向性マイクロホン２２及び２３によって集音している外部音声を、ヘッドホンからステレオ音声として出力させてユーザに聴かせる。
【０１９７】
そして制御部７０は、この際、ユーザにより手動で、一方及び他方の指向性マイクロホン２２及び２３が個別回動形態や連動回動形態で回動されると、当該一方及び他方の指向性マイクロホン２２及び２３が手動で回動されている間も、ユーザに対し、その一方及び他方の指向性マイクロホン２２及び２３によって集音している外部音声を、ヘッドホンによりステレオ音声として聴かせる。
【０１９８】
また制御部７０は、この際、ユーザ操作に応じてモータ８４を駆動制御して一方及び他方の指向性マイクロホン２２及び２３を連動させて自動で回動させることもできる。
【０１９９】
そして制御部７０は、このように一方及び他方の指向性マイクロホン２２及び２３を自動で回動させている間も、ユーザに対し、その一方及び他方の指向性マイクロホン２２及び２３によって集音している外部音声を、ヘッドホンによりステレオ音声として聴かせる。
【０２００】
このようにして制御部７０は、ユーザに対し一方及び他方の指向性マイクロホン２２及び２３により外部音声を集音して得られるステレオ音声を聴かせながら、当該一方及び他方の指向性マイクロホン２２及び２３を回動させることで、その一方及び他方の指向性マイクロホン２２及び２３の回動により、ステレオ音声のステレオ感がどのように変化するのか（すなわち、一方及び他方の指向性マイクロホン２２及び２３のマイク先端部２２Ｂ及び２３Ｂの向きが変化するとステレオ音像がどのように変化するのか）を確認させることができる。
【０２０１】
よって制御部７０は、ユーザに対し、一方及び他方の指向性マイクロホン２２及び２３により外部音声を集音して得られるステレオ音声を実際に聴かせながら、好みのステレオ感のステレオ音声を得るように、その一方及び他方の指向性マイクロホン２２及び２３を適宜回動させてマイク先端部２２Ｂ及び２３Ｂの向きを調整させることができる。
【０２０２】
そして制御部７０は、このようにしてユーザにより、一方及び他方の指向性マイクロホン２２及び２３のマイク先端部２２Ｂ及び２３Ｂの向きが調整されたうえで、操作部７２からユーザ操作に応じて一時停止解除命令が与えられると、録音の一時停止を解除することにより、記録再生処理部８０を、バッファメモリ７９から読み出したオーディオデータを記録メディア８１へ記録させるように制御する。
【０２０３】
これにより制御部７０は、録音の一時停止を解除すると、その時点からは上述と同様に、一方及び他方の指向性マイクロホン２２及び２３により外部音声を集音して得られるオーディオデータを記録メディア８１に記録するようにして、当該外部音声を録音することができる。
【０２０４】
このようにして制御部７０は、外部音声を録音する際には、事前に、一方及び他方の指向性マイクロホン２２及び２３により外部音声を集音してステレオ音声として聴かせながら、当該外部音声を発する音源の規模や、音源と携帯型記録装置２０との距離等に応じて、一方及び他方の指向性マイクロホン２２及び２３のマイク先端部２２Ｂ及び２３Ｂの向きを調整させることができる。
【０２０５】
一方、制御部７０は、操作部７２からユーザ操作に応じて、そのユーザにより指定されたオーディオデータを再生する再生命令が与えられると、記録再生処理部８０に対し、ユーザにより指定されたオーディオデータを通知すると共に、再生開始を指示する。
【０２０６】
これにより記録再生処理部８０は、記録メディア８１から、ユーザにより指定されたオーディオデータを読み出し、当該読み出したオーディオデータを、例えばデジタル／アナログ変換器８２を介してアナログのオーディオ信号に変換した後、ヘッドホンジャック３６を介してヘッドホンに送出する。
【０２０７】
このようにして制御部７０は、ヘッドホンからオーディオデータに基づくステレオ音声を出力させてユーザに聴かせることができる。
【０２０８】
因みに、制御部７０は、例えば、操作部７２からユーザ操作に応じてメニュー画面を表示するための画面表示命令が与えられると、これに応じて内蔵メモリ７１から、メニュー画面データを読み出して表示部２５に送出する。
【０２０９】
これにより制御部７０は、表示部２５の表示パネル２５Ａにメニュー画面データに基づくメニュー画面（図示せず）を表示する。
【０２１０】
そして制御部７０は、ユーザによる操作部７２の操作に応じてメニュー画面上で、種々の設定項目が選択決定されると、その選択決定された設定項目に対する条件や数値等をユーザに対し任意に選択又は入力させて設定することができる。
【０２１１】
また制御部７０は、外部音声の録音時、内蔵メモリ７１から録音画面データを読み出すと共に、外部音声の録音状況に応じて、その録音画面データを適宜加工して表示部２５に送出する。
【０２１２】
これにより制御部７０は、表示部２５の表示パネル２５Ａに対し録音画面データに基づく録音画面を表示し、かくして録音画面を介して録音時間や録音日時、録音中の外部音声の音量、記録メディア８１の空容量、バッテリ３４の残容量等の各種情報を通知し得るようになされている。
【０２１３】
さらに制御部７０は、音声の再生時、内蔵メモリ７１から再生画面データを読み出すと共に、音声の再生状況に応じて、その再生画面データを適宜加工して表示部２５に送出する。
【０２１４】
これにより制御部７０は、表示部２５の表示パネル２５Ａに対し再生画面データに基づく再生画面を表示し、かくして再生画面を介して再生時間や、再生中の音声の音量、バッテリ３４の残容量等の各種情報を通知し得るようになされている。
【０２１５】
ところで、携帯型記録装置２０は、外部音声の録音時、ユーザにより、前方の音源に対して筐体上面２１Ｅと共に一方及び他方の指向性マイクロホン２２及び２３が向けられ、そのユーザから見て一方の指向性マイクロホン２２を右側に位置させると共に、他方の指向性マイクロホン２３を一方の指向性マイクロホン２３よりも左側に位置させるようにして取り扱われるものと想定されている。
【０２１６】
そして携帯型記録装置２０では、外部音声の録音時、そのような取り扱いに従い、ユーザにより右の耳で主に聴かれている外部音声を、右側に位置する一方の指向性マイクロホン２２によって集音し、左の耳で主に聴かれている外部音声を、左側に位置する他方の指向性マイクロホン２３によって集音するものと仮定している。
【０２１７】
このため携帯型記録装置２０では、上述したように混合部７７において一方の指向性マイクロホン２２により得られたオーディオデータをＲチャンネル用のオーディオデータとし、他方の指向性マイクロホン２３により得られたオーディオデータをＬチャンネル用のオーディオデータとしている。
【０２１８】
実際に携帯型記録装置２０では、図１１乃至図１４及び図１８乃至図２１について上述したように、一方の指向性マイクロホン２２のマイク先端部２２Ｂを他方の指向性マイクロホン２３のマイク先端部２３Ｂよりも右側に向けると、ユーザにより右の耳で主に聴かれている外部音声を一方の指向性マイクロホン２２によって集音し、左の耳で主に聴かれている外部音声を他方の指向性マイクロホン２３によって集音することができる。
【０２１９】
よって携帯型記録装置２０では、このように一方及び他方の指向性マイクロホン２２及び２３により、一方及び他方の方向線ＤＡ１及びＤＡ２を交差させないようなマイク先端部２２Ｂ及び２３Ｂの向きで外部音声を集音すると、ユーザにより右の耳で主に聴かれている外部音声に相当するオーディオデータ（すなわち、一方の指向性マイクロホン２２により集音された外部音声に相当するオーディオデータ）をＲチャンネル用のオーディオデータとすることができる。
【０２２０】
また携帯型記録装置２０は、この際、ユーザの左の耳で主に聴かれている外部音声に相当するオーディオデータ（すなわち、他方の指向性マイクロホン２３により集音された外部音声に相当するオーディオデータ）をＬチャンネル用のオーディオデータとすることができる。
【０２２１】
ただし、携帯型記録装置２０には、一方及び他方の指向性マイクロホン２２及び２３が、上述したように逆Ｖ字やＶ字を描くような回動角度まで回動する、いわゆる、ＸＹ型の配置が可能なように設けられいてる。
【０２２２】
すなわち、携帯型記録装置２０では、図１０及び図１７について上述したように、実際に一方の指向性マイクロホン２２のマイク先端部２２Ｂを他方の指向性マイクロホン２３のマイク先端部２３Ｂよりも左側に向けると、ユーザにより右の耳で主に聴かれている外部音声を他方の指向性マイクロホン２３によって集音し、左の耳で主に聴かれている外部音声を一方の指向性マイクロホン２２によって集音している。
【０２２３】
そして携帯型記録装置２０では、このように一方及び他方の指向性マイクロホン２２及び２３により、一方及び他方の方向線ＤＡ１及びＤＡ２を交差させるようなマイク先端部２２Ｂ及び２３Ｂの向きで外部音声を集音しても、混合部７７により、一方の指向性マイクロホン２２を介して得られたオーディオデータを（実際にはユーザにより左の耳で主に聴かれている外部音声に相当するオーディオデータである）、Ｒチャンネル用のオーディオデータとしている。
【０２２４】
また携帯型記録装置２０では、この際、混合部７７により、他方の指向性マイクロホン２３を介して得られたオーディオデータを（実際にはユーザにより右の耳で主に聴かれている外部音声に相当するオーディオデータである）、Ｌチャンネル用のオーディオデータとしている。
【０２２５】
このため携帯型記録装置２０では、このように一方及び他方の指向性マイクロホン２２及び２３により、一方及び他方の方向線ＤＡ１及びＤＡ２を交差させるようなマイク先端部２２Ｂ及び２３Ｂの向きで外部音声を集音すると、一方の指向性マイクロホン２２を介して得られた、実際にはユーザにより左の耳で主に聴かれている外部音声に相当するオーディオデータを、混合部７７において一旦はＲチャンネル用のオーディオデータとするものの、その混合部７７よりも後段で、再生時には左耳で聴かせるように扱うＬチャンネル用のオーディオデータとしている。
【０２２６】
また携帯型記録装置２０では、このように一方及び他方の指向性マイクロホン２２及び２３により、一方及び他方の方向線ＤＡ１及びＤＡ２を交差させるようなマイク先端部２２Ｂ及び２３Ｂの向きで外部音声を集音すると、他方の指向性マイクロホン２３を介して得られた、実際にはユーザにより右の耳で主に聴かれている外部音声に相当するオーディオデータを、混合部７７において一旦はＬチャンネル用のオーディオデータとするものの、その混合部７７よりも後段で、再生時には右耳で聴かせるように扱うＲチャンネル用のオーディオデータとしている。
【０２２７】
このようにして携帯型記録装置２０では、一方及び他方の指向性マイクロホン２２及び２３により、一方及び他方の方向線ＤＡ１及びＤＡ２を交差させるようなマイク先端部２２Ｂ及び２３Ｂの向きで外部音声を集音すると、一方及び他方の指向性マイクロホン２２及び２３を介して得られたＲチャンネル用のオーディオデータと、Ｌチャンネル用のオーディオデータとを、ユーザが両耳で外部音声を直接聴いている状態を再現するように入れ替えている（すなわち、交換している）。
【０２２８】
実際に携帯型記録装置２０は、例えば、図１５について上述した第１の回転規制部５８において他方の腕部５８Ｂの内側面に、押しボタンスイッチでなる形態切換検出部８３が設けられている。
【０２２９】
そして形態切換検出部８３は、切換操作つまみ５６に対する反時計回り方向への回動操作に応じて、切換操作軸５５の回動体５５Ｂにより押下されると、一方及び他方の指向性マイクロホン２２及び２３の回動形態が個別回動形態から連動回動形態へと切り換えられたことを検出して、その検出結果を示す形態切換検出信号を制御部７０に送出する。
【０２３０】
因みに、形態切換検出部８３は、一方及び他方の指向性マイクロホン２２及び２３の回動形態が連動回動形態に切り換えられている間、切換操作軸５５の回動体５５Ｂによる継続的な押下に応じて（すなわち、回動体５５Ｂにより押下されている間）形態切換検出信号を制御部７０に送出し続ける。
【０２３１】
また形態切換検出部８３は、一方及び他方の指向性マイクロホン２２及び２３の回動形態を連動回動形態から個別回動形態へと切り換えるための切換操作つまみ５６に対する時計回り方向への回動操作に応じて、切換操作軸５５の回動体５５Ｂによる押下が解除されると、制御部７０に対する形態切換検出信号の送出を停止する。
【０２３２】
これにより制御部７０は、一方及び他方の指向性マイクロホン２２及び２３の回動形態が連動回動形態に切り換えられている間は、形態切換検出部８３から与えられる形態切換検出信号により、当該一方及び他方の指向性マイクロホン２２及び２３の回動形態が連動回動形態であると認識することができる。
【０２３３】
そして制御部７０は、外部音声を録音する際に一方及び他方の指向性マイクロホン２２及び２３の回動形態が連動回動形態に切り換えられていると、入替検出部８５を、Ｒチャンネル用のオーディオデータとＬチャンネル用のオーディオデータとを入れ替えるか否かを検出させるように制御する。
【０２３４】
ここで、入替検出部８５は、一方及び他方の指向性マイクロホン２２及び２３が連動して互いに反対方向へ回動したときの当該一方及び他方の指向性マイクロホン２２及び２３の回動角度に応じて、Ｒチャンネル用のオーディオデータとＬチャンネル用のオーディオデータとを入れ替えるか否かを検出している。
【０２３５】
ところで一方及び他方の指向性マイクロホン２２及び２３は、その回動形態が連動回動形態に切り換えられていると、連動して互いに反対方向、すなわち右回転方向及び左回転方向の２方向へ回動する。
【０２３６】
ただし、回動軸５０については、一方及び他方の指向性マイクロホン２２及び２３が連動して互いに反対の２方向へ回動したとき、その回動に連動して右回転方向及び左回転方向の何れか１方向へ回動する。
【０２３７】
そして回動軸５０は、このように一方及び他方の指向性マイクロホン２２及び２３と連動して回動することより、その回動軸５０の回動角度は、連動して互いに反対方向へ回動する一方及び他方の指向性マイクロホン２２及び２３両方の回動角度を表していると言える。
【０２３８】
よって入替検出部８５は、Ｒチャンネル用のオーディオデータとＬチャンネル用のオーディオデータとを入れ替えるか否かを検出するために、一方及び他方の指向性マイクロホン２２及び２３両方の回動角度をそれぞれ利用するわけではなく、実際には、これら一方及び他方の指向性マイクロホン２２及び２３両方の回動角度として、代わりに回動軸５０の回動角度を利用している。
【０２３９】
図２３に示すように、入替検出部８５は、例えば、連動回動機構４５の回動軸５０に歯車を介して連結された回動角度検出用のポテンショメータ８５Ａを有している。
【０２４０】
かかるポテンショメータ８５Ａは、回動角度検出用の抵抗（以下、これを角度検出用抵抗とも呼ぶ）Ｒ１の一端に電源Ｖ１の正極が接続されると共に、他端に当該電源Ｖ１の負極が接続され、その角度検出用抵抗Ｒ１に対する分圧用の接点（以下、これを分圧用接点とも呼ぶ）を、回動軸５０の回動角度に応じて変位させるように形成されている。
【０２４１】
よってポテンショメータ８５Ａは、電源Ｖ１により角度検出用抵抗Ｒ１の一端及び他端間に所定電圧を印加した状態で、その所定電圧を回動軸５０の回動角度に応じた位置の分圧用接点で分圧することにより、当該分圧用接点を介して回動軸５０の回動角度に応じた電圧値の電圧を得ている。
【０２４２】
このようにしてポテンショメータ８５Ａは、連動して互いに反対方向へ回動する一方及び他方の指向性マイクロホン２２及び２３それぞれの回動角度として、回動軸５０の回動角度を検出している。
【０２４３】
そしてポテンショメータ８５Ａは、回動軸５０の回動角度として検出した、当該回動角度に応じた電圧値の電圧を、角度検出電圧としてコンパレータ８５Ｂの反転入力端に与える。
【０２４４】
因みに、ポテンショメータ８５Ａは、例えば、図１０及び図１７について上述したように一方及び他方の指向性マイクロホン２２及び２３の一方及び他方の方向線ＤＡ１及びＤＡ２を直交させるように回動軸５０が左回転方向へ回転した状態から、図１２及び図１９について上述したように一方及び他方の指向性マイクロホン２２及び２３の一方及び他方の方向線ＤＡ１及びＤＡ２を 120度の角度に開くように当該回動軸５０が右回転方向へ回転するほど、分圧用接点で得られる角度検出電圧の電圧値を線形に増加させるように形成されている。
【０２４５】
すなわち、ポテンショメータ８５Ａは、一方の指向性マイクロホン２２が基準回動角度よりも左回転方向へ45度の回転角度まで回転し、かつこれに連動して他方の指向性マイクロホン２３が基準回動角度よりも右回転方向へ45度の回転角度まで回転するように回動軸５０が左回転方向へめいっぱい回転したとき、最も低い電圧値の角度検出電圧を得る。
【０２４６】
またポテンショメータ８５Ａは、一方の指向性マイクロホン２２が基準回動角度よりも右回転方向へ60度の回転角度まで回転し、かつこれに連動して他方の指向性マイクロホン２３が基準回動角度よりも左回転方向へ60度の回転角度まで回転するように回動軸５０が右回転方向へめいっぱい回転したとき、最も高い電圧値の角度検出電圧を得るように形成されている。
【０２４７】
これに加えて、入替検出部８５には、回動軸５０の回動角度の中で、Ｒチャンネル用のオーディオデータとＬチャンネル用のオーディオデータとを入れ替えるための基準となる回動角度（以下、これを入替基準角度とも呼ぶ）に応じた電圧値の電圧（以下、これを入替基準電圧とも呼ぶ）を生成する電圧生成回路８５Ｃが設けられている。
【０２４８】
かかる電圧生成回路８５Ｃは、一端に所定の電圧Ｖｉｎが印加される、入替基準電圧を生成するための抵抗（以下、これを電圧生成用抵抗とも呼ぶ）Ｒ２の他端が、抵抗Ｒ３を介して接地されて形成されている。
【０２４９】
また電圧生成回路８５Ｃは、電圧生成用抵抗Ｒ２に対する分圧用接点を適宜変位させることにより、当該電圧生成用抵抗Ｒ２に印加されている電圧Ｖｉｎの分圧比を調整可能なように形成されている。
【０２５０】
ところで入替基準角度は、回動軸５０の回動角度の中で、Ｒチャンネル用のオーディオデータとＬチャンネル用のオーディオデータとを入れ替える角度範囲と、入れ替えない角度範囲との境界となる回動角度である。
【０２５１】
そして入替基準角度は、例えば、一方の指向性マイクロホン２２を基準回動角度よりもわずかに（例えば、１度）左回転方向へ回転させ、かつこれに連動させて他方の指向性マイクロホン２３を基準回動角度よりもわずかに（例えば、１度）右回転方向へ回転させるような所定の回動角度に選定されている。
【０２５２】
よって電圧生成回路８５Ｃは、例えば、携帯型記録装置２０の製造時に初期状態として、回動軸５０がその選定された入替基準角度に回動したときポテンショメータ８５Ａによって検出される角度検出電圧の電圧値と、同じ電圧値の入替基準電圧を得るように、電圧生成用抵抗Ｒ２に対する分圧用接点の位置（すなわち、電圧Ｖｉｎの分圧比）が設定されている。
【０２５３】
これにより電圧生成回路８５Ｃは、電圧生成用抵抗Ｒ２に印加されている電圧Ｖｉｎを分圧用接点で分圧することにより、その分圧用接点を介して、予め選定された入替基準角度に応じた電圧値の入替基準電圧を得て、その入替基準電圧をコンパレータ８５Ｂの非反転入力端に与えている。
【０２５４】
コンパレータ８５Ｂは、非反転入力端に与えられる入替基準電圧と、反転入力端に与えられる角度検出電圧とを比較し、角度検出電圧の電圧値が入替基準電圧の電圧値よりも高いと、論理「Ｌ」レベルの信号を、Ｒチャンネル用のオーディオデータとＬチャンネル用のオーディオデータとを入れ替えないように指示する非入替指示信号として記録再生処理部８０に送出する。
【０２５５】
またコンパレータ８５Ｂは、角度検出電圧の電圧値が入替基準電圧の電圧値以下であると、論理「Ｈ」レベルの信号を、Ｒチャンネル用のオーディオデータとＬチャンネル用のオーディオデータとを入れ替えるように指示する入替指示信号として記録再生処理部８０に送出する。
【０２５６】
このようにして入替検出部８５は、回動軸５０の回動角度、及びＲチャンネル用のオーディオデータとＬチャンネル用のオーディオデータとを入れ替えるための基準となる入替基準角度を、角度検出電圧、及び入替基準電圧として比較する。
【０２５７】
そして入替検出部８５は、その比較結果に応じて、外部音声の録音時に連動回動形態で一方の指向性マイクロホン２２が基準回動角度まで回動し又は基準回動角度よりも右回転方向へ回転していると共に、これに連動して他方の指向性マイクロホン２３が基準回動角度まで回動し又は基準回動角度よりも左回転方向へ回転している（すなわち、一方及び他方の方向線ＤＡ１及びＤＡ２が交差してはいない）間は、記録再生処理部８０に対し非入替指示信号によりＲチャンネル用のオーディオデータとＬチャンネル用のオーディオデータとを入れ替えないように指示する。
【０２５８】
これに対して入替検出部８５は、その比較結果に応じて、外部音声の録音時に連動回動形態で一方の指向性マイクロホン２２が基準回動角度よりも左回転方向へ回転していると共に、これに連動して他方の指向性マイクロホン２３が基準回動角度よりも右回転方向へ回転している（すなわち、一方及び他方の方向線ＤＡ１及びＤＡ２が交差している）間は、記録再生処理部８０に対し入替指示信号によりＲチャンネル用のオーディオデータとＬチャンネル用のオーディオデータとを入れ替えるように指示する。
【０２５９】
これにより図２４に示すように、記録再生処理部８０は、外部音声の録音時に入替検出部８５から非入替指示信号が与えられている間は、その非入替指示信号に従い、バッファメモリ７９から、これに一時記録されていたオーディオデータを読み出しながら、当該オーディオデータのＲチャンネル識別子が付加された複数のＲチャンネル用の部分（Ｒ０、……、ＲＮ）を、そのままＲチャンネル用の部分（ｒ０、……、ｒＮ）とする。
【０２６０】
また記録再生処理部８０は、このときバッファメモリ７９から、そのオーディオデータを読み出しながら、当該オーディオデータのＬチャンネル識別子が付加されていた複数のＬチャンネル用の部分（Ｌ０、……、ＬＮ）を、そのままＬチャンネル用の部分（ｌ０、……、ｌＮ）とする。
【０２６１】
よって記録再生処理部８０は、前処理部７８によりバッファメモリ７９に一時記録されたオーディオデータを、Ｒチャンネル用の部分（Ｒ０、……、ＲＮ）とＬチャンネル用の部分（Ｌ０、……、ＬＮ）とを何ら入れ替えずに、そのまま記録メディア８１に記録する。
【０２６２】
これに対して図２５に示すように、記録再生処理部８０は、外部音声の録音時に入替検出部８５から入替指示信号が与えられている間は、その入替指示信号に従い、バッファメモリ７９から、これに一時記録されたオーディオデータを読み出しながら、当該オーディオデータの複数のＲチャンネル用の部分（Ｒ０、……、ＲＮ）を順次、Ｒチャンネル識別子をＬチャンネル識別子に変更してＬチャンネル用の部分（ｌ０、……、ｌＮ）とする。
【０２６３】
また記録再生処理部８０は、このときバッファメモリ７９から、そのオーディオデータを読み出しながら、当該オーディオデータの複数のＬチャンネル用の部分（Ｌ０、……、ＬＮ）を順次、Ｌチャンネル識別子をＲチャンネル識別子に変更してＲチャンネル用の部分（ｒ０、……、ｒＮ）とする。
【０２６４】
よって記録再生処理部８０は、この際には前処理部７８によりバッファメモリ７９に一時記録されたオーディオデータを、Ｒチャンネル用の部分（Ｒ０、……、ＲＮ）とＬチャンネル用の部分（Ｌ０、……、ＬＮ）とを入れ替えて記録メディア８１に記録する。
【０２６５】
このようにして記録再生処理部８０は、外部音声の録音時に連動回動形態で一方の指向性マイクロホン２２が基準回動角度まで回動し又は基準回動角度よりも右回転方向へ回転していると共に、これに連動して他方の指向性マイクロホン２３が基準回動角度まで回動し又は基準回動角度よりも左回転方向へ回転していると、前処理部７８によりバッファメモリ７９に一時記録されたオーディオデータを、Ｒチャンネル用の部分（Ｒ０、……、ＲＮ）とＬチャンネル用の部分（Ｌ０、……、ＬＮ）とを入れ替えずに記録メディア８１に記録する。
【０２６６】
また記録再生処理部８０は、外部音声の録音時に連動回動形態で一方の指向性マイクロホン２２が基準回動角度よりも左回転方向へ回転していると共に、これに連動して他方の指向性マイクロホン２３が基準回動角度よりも右回転方向へ回転していると、前処理部７８によりバッファメモリ７９に一時記録されたオーディオデータを、Ｒチャンネル用の部分（Ｒ０、……、ＲＮ）とＬチャンネル用の部分（Ｌ０、……、ＬＮ）とを入れ替えたうえで記録メディア８１に記録する。
【０２６７】
ところで、制御部７０は、一方及び他方の指向性マイクロホン２２及び２３の回動形態が連動回動形態に切り換えられている状態において、表示部２５の表示パネル２５Ａに表示しているメニュー画面上で、ユーザにより操作部７２を介して入替基準角度を任意に設定するように要求される（すなわち、入替基準角度を設定するための設定項目が選択決定される）と、その入替基準角度を設定するための角度設定処理を開始する。
【０２６８】
制御部７０は、このように角度設定処理を開始すると、入替検出部８５のコンパレータ８５Ｂの動作を一時的に停止させることにより、その入替検出部８５から非入替指示信号及び入替指示信号の何れも記録再生処理部８０には送出させないようにする。
【０２６９】
この状態で、制御部７０は、一方及び他方の指向性マイクロホン２２及び２３により外部音声を集音することにより、上述した外部音声の録音の際と同様にして一方及び他方の増幅器７３及び７５から前処理部７８にかけて生成したオーディオデータをバッファメモリ７９に一時記録する。
【０２７０】
ただし、制御部７０は、このとき記録再生処理部８０を、バッファメモリ７９に一時記録されたオーディオデータのＲチャンネル用の部分（Ｒ０、……、ＲＮ）とＬチャンネル用の部分（Ｌ０、……、ＬＮ）とを入れ替えないように制御している。
【０２７１】
また制御部７０は、その記録再生処理部８０を、角度設定処理の間、バッファメモリ７９から読み出したオーディオデータを、記録メディア８１へは記録させずに、ヘッドホンから出力させるように制御している。
【０２７２】
よって記録再生処理部８０は、この際、前処理部７８によってバッファメモリ７９に一時記録されたオーディオデータを読み出しながらＲチャンネル用の部分（Ｒ０、……、ＲＮ）とＬチャンネル用の部分（Ｌ０、……、ＬＮ）とを入れ替えずにデジタル／アナログ変換器８２を介してアナログのオーディオ信号に変換した後、ヘッドホンジャック３６を介してヘッドホンに送出する。
【０２７３】
これにより制御部７０は、一方及び他方の指向性マイクロホン２２及び２３によって集音している外部音声をヘッドホンからステレオ音声として出力させてユーザに聴かせる。
【０２７４】
そして制御部７０は、この際、ユーザにより一方及び他方の指向性マイクロホン２２及び２３を連動させて手動で回動されると、当該一方及び他方の指向性マイクロホン２２及び２３が手動で回動されている間も、ユーザに対し、その一方及び他方の指向性マイクロホン２２及び２３によって集音している外部音声を、ヘッドホンによりステレオ音声として聴かせる。
【０２７５】
また制御部７０は、この際、ユーザ操作に応じてモータ８４を駆動制御して一方及び他方の指向性マイクロホン２２及び２３を連動させて自動で回動させることもできる。
【０２７６】
そして制御部７０は、このように一方及び他方の指向性マイクロホン２２及び２３を自動で回動させている間も、ユーザに対し、その一方及び他方の指向性マイクロホン２２及び２３によって集音している外部音声を、ヘッドホンによりステレオ音声として聴かせる。
【０２７７】
このようにして制御部７０は、一方及び他方の指向性マイクロホン２２及び２３により外部音声を集音して得られるステレオ音声を聴かせながら、当該一方及び他方の指向性マイクロホン２２及び２３を連動させて回動させることで、その一方及び他方の指向性マイクロホン２２及び２３の連動した回動により、ステレオ音声の聴こえ方がどのように変化するのかを確認させることができる。
【０２７８】
そして制御部７０は、ユーザに対し、一方及び他方の指向性マイクロホン２２及び２３により外部音声を集音して得られるステレオ音声を実際に聴かせながら、当該一方及び他方の指向性マイクロホン２２及び２３を連動させて適宜回動させ、そのステレオ音声の聴こえ方の変化に合せて、Ｒチャンネル用のオーディオデータとＬチャンネル用のオーディオデータとを入れ替えるための基準となる入替基準角度を選択させることができる。
【０２７９】
すなわち、制御部７０は、この際、ユーザが集音中の外部音声をステレオ音声として聴きながら、一方及び他方の指向性マイクロホン２２及び２３を連動させて所望の回動角度まで回動させたうえで、操作部７２からユーザ操作に応じて角度選択命令が与えられると、入替検出部８５のポテンショメータ８５Ａから、その時点に検出された角度検出電圧（すなわち、その時点の回動軸５０の回動角度に応じた電圧値の角度検出電圧）を取り込む。
【０２８０】
また制御部７０は、その角度検出電圧を、ユーザにより任意に選択された入替基準角度に応じた入替基準電圧とする。
【０２８１】
さらに制御部７０は、入替検出部８５の電圧生成回路８５Ｃにおいて、そのユーザにより入替基準角度として任意に選択された入替基準電圧を得るように、電圧生成用抵抗Ｒ２に対する分圧用接点の位置（すなわち、電圧Ｖｉｎの分圧比）を設定する。
【０２８２】
これにより制御部７０は、入替検出部８５に対し、回動軸５０の回動角度を、ユーザにより選択された入替基準角度と比較するように設定する。
【０２８３】
そして制御部７０は、入替検出部８５のコンパレータ８５Ｂを再び動作させることにより、当該入替検出部８５を、角度検出電圧（すなわち、回動軸５０の回動角度）と、新たに設定した入替基準電圧（すなわち、Ｒチャンネル用のオーディオデータとＬチャンネル用のオーディオデータとを入れ替えるための基準としてユーザにより選択された入替基準角度）とを比較して上述と同様に入替指示命令や非入替指示命令を記録再生処理部８０に送出するように制御する。
【０２８４】
よって記録再生処理部８０は、一方及び他方の指向性マイクロホン２２及び２３の連動した回動に応じて、入替検出部８５から入替指示信号が与えられると、これに応じて上述と同様に、バッファメモリ７９からオーディオデータを読み出しながらＲチャンネル用の部分（Ｒ０、……、ＲＮ）とＬチャンネル用の部分（Ｌ０、……、ＬＮ）とを入れ替える。
【０２８５】
そして記録再生処理部８０は、このようにＲチャンネル用の部分（Ｒ０、……、ＲＮ）とＬチャンネル用の部分（Ｌ０、……、ＬＮ）とを入れ替えたオーディオデータをデジタル／アナログ変換器８２を介してアナログのオーディオ信号に変換した後、ヘッドホンジャック３６を介してヘッドホンに送出する。
【０２８６】
また記録再生処理部８０は、一方及び他方の指向性マイクロホン２２及び２３の連動した回動に応じて、入替検出部８５から非入替指示信号が与えられると、これに応じてバッファメモリ７９からオーディオデータを読み出しながらＲチャンネル用の部分（Ｒ０、……、ＲＮ）とＬチャンネル用の部分（Ｌ０、……、ＬＮ）とを入れ替えずにデジタル／アナログ変換器８２を介してアナログのオーディオ信号に変換した後、ヘッドホンジャック３６を介してヘッドホンに送出する。
【０２８７】
このようにして制御部７０は、新たな入替基準角度が選択された後には、一方及び他方の指向性マイクロホン２２及び２３を連動させて適宜回動させると、ユーザにより選択された入替基準角度を基準としてオーディオデータに対するＲチャンネル用の部分（Ｒ０、……、ＲＮ）とＬチャンネル用の部分（Ｌ０、……、ＬＮ）との入れ替えび非入れ替えを適宜切り換える。
【０２８８】
これにより制御部７０は、ユーザに対し、集音中の外部音声をステレオ音声として聴かせながら、実際に一方及び他方の指向性マイクロホン２２及び２３を連動させて回動させ、その結果、一方及び他方の指向性マイクロホン２２及び２３により外部音声を集音して得られるステレオ音声が違和感無く聴こえるかどうかを（すなわち、ユーザにより選択された入替基準角度に応じてステレオ音声の左右の音が、ユーザに対し何ら違和感を抱かせないように的確に入れ替えられているか否かを）確認させることができる。
【０２８９】
ところで制御部７０は、ユーザに対し、角度選択命令を入力させて入替基準角度を選択させても、一方及び他方の指向性マイクロホン２２及び２３により外部音声を集音して得られるステレオ音声に対し違和感が残るときには、選択解除命令を入力させることができる。
【０２９０】
制御部７０は、操作部７２からユーザ操作に応じて選択解除命令が与えられると、上述した角度設定処理の開始時と同様に、再び入替検出部８５においてコンパレータ８５Ｂの動作を一時的に停止させると共に、記録再生処理部８０を、オーディオデータのＲチャンネル用の部分（Ｒ０、……、ＲＮ）とＬチャンネル用の部分（Ｌ０、……、ＬＮ）とを入れ替えないように制御する。
【０２９１】
これにより制御部７０は、ユーザに対し再び、一方及び他方の指向性マイクロホン及び１３により集音して得られるステレオ音声を聴かせながら、入替基準角度を選択し直させることができる。
【０２９２】
そして制御部７０は、ユーザにより入替基準角度が任意に選択された状態で、例えば、ユーザにより再生ボタン２８Ｄが押下操作され、操作部７２から決定命令が与えられると、その入替基準角度の選択を決定する。
【０２９３】
これにより制御部７０は、そのとき入替検出部８５の電圧生成回路８５Ｃにおいて、ユーザにより選択された入替基準角度に応じて設定していた電圧生成用抵抗Ｒ２に対する分圧用接点の位置をそのままにして、角度設定処理を終了する。
【０２９４】
よって制御部７０は、この後、外部音声の録音時に一方及び他方の指向性マイクロホン２２及び２３を連動して回動させたときには、ユーザにより選択された入替基準角度に応じてＲチャンネル用のオーディオデータとＬチャンネル用のオーディオデータとを入れ替えるか否かを検出する。
【０２９５】
ところで、制御部７０は、このような入替基準角度の設定を、ユーザの要求に応じて、回数に制限無く実行することができる。
【０２９６】
これにより制御部７０は、例えば、外部音声の録音時における携帯型記録装置２０と音源との距離や、集音場所が屋内と屋外との何れであるか等の集音条件に応じて、ユーザにより入替基準角度を変更するように要求されたときでも、その要求に応じて入替基準角度を設定し直すことができる。
【０２９７】
よって制御部７０は、上述したように一方及び他方の指向性マイクロホン２２及び２３を個別回動形態及び連動回動形態の何れでも任意に選択させて所望の回動角度まで回動させることができると共に、連動回動形態で利用する入替基準角度までも適宜設定し直すことができることにより、ユーザの好みのステレオ音像を構築するような最適な集音条件で外部音声を集音しステレオ音声として録音することができる。
【０２９８】
因みに、制御部７０は、角度設定処理において入替基準角度を設定した状態で、ユーザにより例えば一時停止ボタン２８Ｆが押下操作され、操作部７２から一時停止解除命令が与えられると、これに応じて入替基準角度の選択を決定して角度設定処理を終了する。
【０２９９】
また制御部７０は、このとき一方及び他方の指向性マイクロホン２２及び２３により集音していた外部音声を引き続き集音するようにして、その時点から外部音声を録音することもできる。
【０３００】
さらに制御部７０は、角度設定処理を開始したときには、内蔵メモリ７１から角度設定画面データを読み出す。そして制御部７０は、角度設定処理を実行している間、その角度設定画面データを表示部２５に送出することにより、表示部２５の表示パネル２５Ａに対し角度設定画面データに基づき、図２６に示すような角度設定画面９０を表示する。
【０３０１】
この場合、角度設定画面９０には、外部音声の録音中であることを表す例えば、「ＲＥＣ」という録音通知文字９１と、外部音声の録音を一時停止していることを表す一時停止通知マーク９２とが並べて表示されている。
【０３０２】
これにより制御部７０は、角度設定画面９０内に組み合せて表示した録音通知文字９１及び一時停止通知マーク９２によって、ユーザに対し、一方及び他方の指向性マイクロホン２２及び２３により外部音声を集音しながら、その集音している外部音声を録音はせずにステレオ音声として聴くことができることを通知している。
【０３０３】
また角度設定画面９０には、ユーザによる入替基準角度の選択の有無を通知するための角度選択通知部９３が設けられている。
【０３０４】
さらに角度設定画面９０には、Ｒチャンネル用のオーディオデータとＬチャンネル用のオーディオデータとの入れ替えの有無を通知するための入替通知部９４も設けられている。
【０３０５】
そして制御部７０は、ユーザにより角度選択命令が入力されるまでの間や、選択解除命令が入力された際には、角度設定画面９０の角度選択通知部９３内に、入替基準角度が選択されてはいないことを示す、例えば「非選択」という文字を表示する。
【０３０６】
これに対して制御部７０は、ユーザにより角度選択命令が入力され、入替基準角度が選択されている間は、角度設定画面９０の角度選択通知部９３内に、入替基準角度が選択されていることを示す、例えば「選択」という文字を表示する。
【０３０７】
これにより制御部７０は、ユーザに対し、入替基準角度が選択されているか否かを、角度設定画面９０を介して確認させることができる。
【０３０８】
また制御部７０は、記録再生処理部８０によりオーディオデータのＲチャンネル用の部分（Ｒ０、……、ＲＮ）とＬチャンネル用の部分（Ｌ０、……、ＬＮ）とが入れ替えられていない間は、角度設定画面９０の入替通知部９４内に、Ｒチャンネル用のオーディオデータとＬチャンネル用のオーディオデータとを入れ替えてはいないことを表す例えば、「ＯＦＦ」という文字を表示する。
【０３０９】
これに対して制御部７０は、ユーザにより選択された入替基準角度に応じて、記録再生処理部８０によりオーディオデータのＲチャンネル用の部分（Ｒ０、……、ＲＮ）とＬチャンネル用の部分（Ｌ０、……、ＬＮ）とが入れ替えている間は、角度設定画面９０の入替通知部９４内に、Ｒチャンネル用のオーディオデータとＬチャンネル用のオーディオデータとを入れ替えていることを表す例えば、「ＯＮ」という文字を表示する。
【０３１０】
これにより制御部７０は、集音中の外部音声をステレオ音声として聴いているユーザに対し、そのステレオ音声の左右の音が入れ替えられているか否かを、角度設定画面９０を介して確認させることができる。
【０３１１】
また制御部７０は、屋内や屋外のような特定の集音環境下で外部音声を集音して録音する際、一方及び他方の指向性マイクロホン２２及び２３の回動形態が連動回動形態に切り換えられている状態において、表示部２５の表示パネル２５Ａに表示しているメニュー画面上でユーザにより操作部７２を介して、その集音環境に合せた外部音声の集音条件を任意に定めて登録するように要求される（すなわち、集音条件を任意に定めて登録するための設定項目が選択決定される）と、その集音条件を任意に定めて登録するための集音条件登録処理を開始する。
【０３１２】
制御部７０は、このように集音条件登録処理を開始すると、入替検出部８５を、Ｒチャンネル用のオーディオデータとＬチャンネル用のオーディオデータとを入れ替えるか否かを検出させるように制御する。
【０３１３】
また制御部７０は、この際、記録再生処理部８０を、バッファメモリ７９から読み出したオーディオデータを、記録メディア８１へは記録させずに、ヘッドホンから出力させるように制御する。
【０３１４】
この状態で、制御部７０は、実際に集音条件を定めるための集音環境で、一方及び他方の指向性マイクロホン２２及び２３により外部音声を集音することにより、上述した外部音声の録音の際と同様にして一方及び他方の増幅器７３及び７５から前処理部７８にかけて生成したオーディオデータをバッファメモリ７９に一時記録する。
【０３１５】
よって記録再生処理部８０を、この際、入替検出部８５から入替指示信号が与えられていると、バッファメモリ７９からオーディオデータを読み出しながらＲチャンネル用の部分（Ｒ０、……、ＲＮ）とＬチャンネル用の部分（Ｌ０、……、ＬＮ）とを入れ替える。
【０３１６】
そして記録再生処理部８０は、このようにＲチャンネル用の部分（Ｒ０、……、ＲＮ）とＬチャンネル用の部分（Ｌ０、……、ＬＮ）とを入れ替えたオーディオデータをデジタル／アナログ変換器８２を介してアナログのオーディオ信号に変換した後、ヘッドホンジャック３６を介してヘッドホンに送出する。
【０３１７】
また記録再生処理部８０は、入替検出部８５から非入替指示信号が与えられていると、バッファメモリ７９からオーディオデータを読み出しながらＲチャンネル用の部分（Ｒ０、……、ＲＮ）とＬチャンネル用の部分（Ｌ０、……、ＬＮ）とを入れ替えずにデジタル／アナログ変換器８２を介してアナログのオーディオ信号に変換した後、ヘッドホンジャック３６を介してヘッドホンに送出する。
【０３１８】
これにより制御部７０は、一方及び他方の指向性マイクロホン２２及び２３によって集音している外部音声を、ヘッドホンからステレオ音声として出力させてユーザに聴かせる。
【０３１９】
そして制御部７０は、この際、ユーザにより一方及び他方の指向性マイクロホン２２及び２３を連動させて手動で回動されると、当該一方及び他方の指向性マイクロホン２２及び２３が手動で回動されている間も、ユーザに対し、その一方及び他方の指向性マイクロホン２２及び２３によって集音している外部音声を、ヘッドホンによりステレオ音声として聴かせる。
【０３２０】
また制御部７０は、この際、ユーザ操作に応じてモータ８４を駆動制御して一方及び他方の指向性マイクロホン２２及び２３を連動させて自動で回動させることもできる。
【０３２１】
そして制御部７０は、このように一方及び他方の指向性マイクロホン２２及び２３を自動で回動させている間も、ユーザに対し、その一方及び他方の指向性マイクロホン２２及び２３によって集音している外部音声を、ヘッドホンによりステレオ音声として聴かせる。
【０３２２】
このようにして制御部７０は、ユーザに対し一方及び他方の指向性マイクロホン２２及び２３により外部音声を集音して得られるステレオ音声を聴かせながら、当該一方及び他方の指向性マイクロホン２２及び２３を回動させることで、その一方及び他方の指向性マイクロホン２２及び２３の回動により、ステレオ音声のステレオ感がどのように変化するのか（すなわち、一方及び他方の指向性マイクロホン２２及び２３のマイク先端部２２Ｂ及び２３Ｂの向きが変化するとステレオ音像がどのように変化するのか）を確認させることができる。
【０３２３】
そして制御部７０は、ユーザに対し、一方及び他方の指向性マイクロホン２２及び２３により外部音声を集音して得られるステレオ音声を聴かせながら、実際に外部音声を集音して録音するときに、好みのステレオ感のステレオ音声を得ることができるよう、一方及び他方の指向性マイクロホン２２及び２３を適宜回動させてマイク先端部２２Ｂ及び２３Ｂを向ける方向を任意に選定させることができる。
【０３２４】
すなわち、制御部７０は、ユーザが集音中の外部音声をステレオ音声として聴きながら、一方及び他方の指向性マイクロホン２２及び２３のマイク先端部２２Ｂ及び２３Ｂを所望の方向へ向けた状態で、操作部７２からユーザ操作に応じて方向選定命令が与えられると、入替検出部８５のポテンショメータ８５Ａから、その時点に検出された角度検出電圧（すなわち、その時点の回動軸５０の回動角度に応じた電圧値の角度検出電圧）を取り込む。
【０３２５】
そして制御部７０は、その角度検出電圧に基づいて、その時点の回動軸５０の回動角度を検出する。
【０３２６】
また制御部７０は、その検出した回動角度を、外部音声を集音して録音するときに一方及び他方の指向性マイクロホン２２及び２３のマイク先端部２２Ｂ及び２３Ｂをユーザにより選定された方向へ向けるために回動軸５０を回動させるための回動角度情報として、一時的に保持する。
【０３２７】
また制御部７０は、入替検出部５０から、このとき検出されたＲチャンネル用のオーディオデータとＬチャンネル用のオーディオデータとを入れ替えるか否かを示す入替指示信号及び非入替指示信号も取り込む。
【０３２８】
そして制御部７０は、その入替指示信号及び非入替指示信号に基づき、実際に外部音声を集音して録音するときに、Ｒチャンネル用のオーディオデータとＬチャンネル用のオーディオデータとを入れ替えるか否かを検出し、その検出結果を示す（すなわち、Ｒチャンネル用のオーディオデータとＬチャンネル用のオーディオデータとを入れ替えるか否かを示す）入替情報を一時的に保持する。
【０３２９】
さらに制御部７０は、操作部７２からユーザ操作に応じて、現在の特定の集音環境下で定められる集音条件に対し任意に付された名称（以下、これを条件名とも呼ぶ）や、その集音環境を示す情報（以下、これを環境情報とも呼ぶ）が入力されると、これら条件名や環境情報も一時的に保持する。
【０３３０】
因みに、環境情報は、この際に外部音声を集音する集音場所の名称や、集音場所の広さ（すなわち、音源が舞台上の楽器等である場合、その舞台の横幅や奥行き等である）、音源と携帯型記録装置２０との距離、音源の構成（すなわち、屋外の野鳥や、屋内のオーケストラ、ビックバンド、ソロ演奏等）等のように集音環境を示す種々の情報から形成されている。
【０３３１】
そして制御部７０は、例えば、ユーザにより再生ボタン２８Ｄが押下操作され、操作部７２から決定命令が与えられると、このとき一時的に保持していた条件名、環境情報、回動角度情報及び入替情報を、ユーザにより定められた登録用の集音条件（以下、登録集音条件とも呼ぶ）を示す情報（以下、これを登録集音条件情報とも呼ぶ）として内蔵メモリ７１に送出する。
【０３３２】
これにより図２７に示すように、制御部７０は、内蔵メモリ７１内に予め構築している登録集音条件情報を登録するためのデータテーブル（以下、これを登録集音条件テーブルとも呼ぶ）１００に、登録集音条件情報としての条件名、環境情報、回動角度情報及び入替情報を対応付けて登録するようにして、当該内蔵メモリ７１に登録集音条件情報を記憶する。
【０３３３】
そして制御部７０は、このように登録集音条件テーブル１００に登録集音条件情報（すなわち、条件名、環境情報、回動角度情報及び入替情報）を登録すると、集音条件登録処理を終了する。
【０３３４】
このようにして制御部７０は、屋内や屋外の種々の集音環境で外部音声を集音する際、ユーザの要求に応じて、その場所で外部音声を集音するための登録集音条件を定めて登録することができる。
【０３３５】
因みに、制御部７０は、条件名、環境情報、回動角度情報及び入替情報を一時的に保持している状態で、例えば、ユーザにより一時停止ボタン２８Ｆが押下操作され、操作部７２から一時停止解除命令が与えられると、これに応じて、上述と同様に登録集音条件情報を内蔵メモリ７１に記憶（すなわち、登録集音条件テーブル１００に登録）した後、集音条件登録処理を終了する。
【０３３６】
また制御部７０は、このとき一方及び他方の指向性マイクロホン２２及び２３によって集音していた外部音声を引き続き集音するようにして、その時点から外部音声を録音する。
【０３３７】
このようにして制御部７０は、集音条件登録処理を実行した場合、条件名、環境情報、回動角度情報及び入替情報を一時的に保持した状態では、簡易な操作で登録集音条件を登録すると共に、そのときユーザにより定められた登録集音条件をそのまま利用して外部音声の録音に移行することができる。
【０３３８】
ところで図２８に示すように、制御部７０は、内蔵メモリ７１に対し、例えば、携帯型記録装置２０のメーカにより、種々の集音環境で外部音声を集音して録音するために推奨された複数の集音条件（以下、推奨集音条件とも呼ぶ）を示す情報（以下、これを推奨集音条件情報とも呼ぶ）を、これらを登録するようにして生成されたデータテーブル（以下、これを推奨集音条件テーブルとも呼ぶ）１０１として記憶している。
【０３３９】
かかる推奨集音条件テーブル１０１に登録された推奨集音条件毎の推奨集音条件情報には、その推奨集音条件を示す表示子（以下、これを条件通知アイコンとも呼ぶ）が含まれている。
【０３４０】
また推奨集音条件毎の推奨集音条件情報には、外部音声を集音するときに、一方及び他方の指向性マイクロホン２２及び２３のマイク先端部２２Ｂ及び２３Ｂを、推奨された方向へ向けるために回動軸５０を回動させるための回動角度を示す回動角度情報も含まれている。
【０３４１】
さらに推奨集音条件毎の推奨集音条件情報には、外部音声を集音するときに、Ｒチャンネル用のオーディオデータとＬチャンネル用のオーディオデータとを入れ替えるか否かを示す入替情報も含まれている。
【０３４２】
ところで、推奨集音条件情報に含まれる条件通知アイコンは、例えば、音源の種類や音源の場所等に応じて、人形の絵柄を組み合せて形成され、また山並みの遠景の絵柄等によって形成されている。
【０３４３】
これにより条件通知アイコンは、後述するようにユーザに提示されたとき、例えば、ソロやビックバンド、オーケストラの演奏や、屋外の野鳥の声等のように、どのような音源から発せられる外部音声を集音するための推奨集音条件であるのかを直感的に認識させることができるようになされている。
【０３４４】
そして制御部７０は、屋内や屋外で外部音声を集音する際、表示部２５の表示パネル２５Ａに表示しているメニュー画面上で、ユーザにより操作部７２を介して、集音条件を設定するように要求される（すなわち、集音条件を設定するための設定項目が選択決定される）と、その集音条件を設定するための集音条件設定処理を開始する。
【０３４５】
制御部７０は、集音条件設定処理を開始すると、内蔵メモリ７１から登録集音条件テーブル１００に登録されている全ての登録集音条件情報と、推奨集音条件テーブル１０１に登録されている全ての推奨集音条件情報とを読み出す。
【０３４６】
そして制御部７０は、その登録集音条件情報及び推奨集音条件情報を用いて集音条件選択画面データを生成し、当該生成した集音条件選択画面データを表示部２５に送出する。
【０３４７】
これにより制御部７０は、表示部２５の表示パネル２５Ａに対し、集音条件選択画面データに基づく図２９に示すような集音条件選択画面１０２を表示する。
【０３４８】
この場合、集音条件選択画面１０２には、選択可能な集音条件を示す複数の条件選択行１０３Ａ乃至１０３Ｇが画面垂直方向へ沿って並べられて形成された選択条件リスト１０３が表示されている。
【０３４９】
そして集音条件選択画面１０２において選択条件リスト１０３の各条件選択行１０３Ａ乃至１０３Ｇ内には、選択可能な集音条件がメーカによって推奨された推奨集音条件の場合、対応する推奨集音条件情報に含まれる条件通知アイコンが表示されている。
【０３５０】
また集音条件選択画面１０２において選択条件リスト１０３の各条件選択行１０３Ａ乃至１０３Ｇ内には、選択可能な集音条件がユーザによって任意に定められた登録集音条件の場合、対応する登録集音条件情報に含まれる条件名や環境情報が文字で表現されて表示されている。
【０３５１】
制御部７０は、表示パネル２５Ａに集音条件選択画面１０２を表示した状態で、ユーザにより操作部７２を介して集音条件選択画面１０２上で所望の１つの集音条件が、対応する１つの条件選択行１０２Ａ乃至１０３Ｇとして選択されると、当該選択された集音条件を示す登録集音条件情報又は推奨集音条件情報を判別する。
【０３５２】
また制御部７０は、このとき形態切換検出部８３から形態切換検出信号が与えられているか否かに基づき、一方及び他方の指向性マイクロホン２２及び２３の現在の回動形態が連動回動形態であるか否かを判別する。
【０３５３】
さらに制御部７０は、このとき入替検出部８５のポテンショメータ８５Ａから、その時点に検出された角度検出電圧（すなわち、その時点の回動軸５０の回動角度に応じた電圧値の角度検出電圧）を取り込み、当該取り込んだ角度検出電圧に基づき、現在の回動軸５０の回動角度を検出する。
【０３５４】
そして制御部７０は、ユーザにより選択された集音条件を示す登録集音条件情報又は推奨集音条件と、回動形態の判別結果と、回動角度の検出結果とに基づいて集音条件設定画面データを生成し、当該生成した集音条件設定画面データを表示部２５に送出する。
【０３５５】
これにより制御部７０は、表示部２５の表示パネル２５Ａに対し、集音条件設定画面データに基づく図３０に示すような集音条件設定画面１０５を表示する。
【０３５６】
この場合、集音条件設定画面１０５には、ユーザにより選択された集音条件を通知するための選択条件通知欄１０６が設けられている。
【０３５７】
かかる選択条件通知欄１０６内には、ユーザにより選択された集音条件がメーカによって推奨された推奨集音条件の場合、対応する条件通知アイコンが表示される。
【０３５８】
これに対して選択条件通知欄１０６内には、ユーザにより選択された集音条件が、そのユーザにより任意に定められた登録集音条件の場合、対応する条件名が表示される。
【０３５９】
また集音条件設定画面１０５には、外部音声の集音においてＲチャンネル用のオーディオデータとＬチャンネル用のオーディオデータとを入れ替えるか否かを通知するための入替通知欄１０７も設けられている。
【０３６０】
かかる入替通知欄１０７内には、ユーザにより選択された集音条件において、Ｒチャンネル用のオーディオデータとＬチャンネル用のオーディオデータとを入れ替えるように指定しているときには、これを示す例えば「ＯＮ」という文字が表示される。
【０３６１】
これに対して入替通知欄１０７内には、ユーザにより選択された集音条件において、Ｒチャンネル用のオーディオデータとＬチャンネル用のオーディオデータとを入れ替えないように指定しているときには、これを示す例えば「ＯＦＦ」という文字が表示される。
【０３６２】
さらに集音条件設定画面１０５には、一方及び他方の指向性マイクロホン２２及び２３の回動形態が現在、連動回動形態に切り換えられているか否かを通知するための回動形態通知欄１０８も設けられている。
【０３６３】
かかる回動形態通知欄１０８内には、一方及び他方の指向性マイクロホン２２及び２３の回動形態が現在、連動回動形態に切り換えられていると、これを示す例えば「ＯＫ」という文字が表示される。
【０３６４】
これに対して回動形態通知欄１０８内には、一方及び他方の指向性マイクロホン２２及び２３の回動形態が現在、個別回動形態に切り換えられていると、連動回動形態には切り換えられていないことを示す例えば「ＮＯ」という文字が表示される。
【０３６５】
さらにまた集音条件設定画面１０５には、外部音声を集音するために一方及び他方の指向性マイクロホン２２及び２３のマイク先端部２２Ｂ及び２３Ｂが所望の方向（すなわち、ユーザにより選定された方向、又は推奨された方向）へ向いているか否かを通知するための方向通知部１０９も設けられている。
【０３６６】
因みに、方向通知部１０９には、一方及び他方の指向性マイクロホン２２及び２３を連動させて回動させるために回動軸５０が回動可能な回動角度範囲を、所定長さの直線によって示す表示子（以下、これを角度範囲通知アイコンとも呼ぶ）１０９Ａが表示されている。
【０３６７】
また方向通知部１０９には、一方及び他方の指向性マイクロホン２２及び２３のマイク先端部２２Ｂ及び２３Ｂを所望の方向へ向けるための回動軸５０の回動角度（すなわち、回動軸５０を回動させるための目標値となる回動角度）を示す表示子（以下、これを目標角度通知アイコンとも呼ぶ）１０９Ｂが、角度範囲通知アイコン１０９Ａ上の対応する位置に表示されている。
【０３６８】
さらに方向通知部１０９には、現在の回動軸５０回動角度を示す表示子（以下、これを現在角度通知アイコンとも呼ぶ）１０９Ｃも、角度範囲通知アイコン１０９Ａ上の対応する位置に表示されている。
【０３６９】
よって制御部７０は、集音条件設定画面１０５の選択条件通知欄１０６により、ユーザに、選択された集音条件を確認させることができる。
【０３７０】
また制御部７０は、集音条件設定画面１０５の入替通知欄１０７により、ユーザに対し、外部音声を集音するときにＲチャンネル用のオーディオデータとＬチャンネル用のオーディオデータとを入れ替えるか否かを通知することができる。
【０３７１】
さらに制御部７０は、集音条件設定画面１０５の回動形態通知欄１０８により、一方及び他方の指向性マイクロホン２２及び２３の回動形態が現在、連動回動形態に切り換えられているか否かを通知すると共に、個別回動形態に切り換えられている場合には、連動回動形態に切り換えるように促すことができる。
【０３７２】
さらにまた制御部７０は、集音条件設定画面１０５の方向通知部１０９により、ユーザに対し、一方及び他方の指向性マイクロホン２２及び２３のマイク先端部２２Ｂ及び２３Ｂが所望の方向へ向いているか否かを確認させることができる。
【０３７３】
そして制御部７０は、このとき一方及び他方の指向性マイクロホン２２及び２３のマイク先端部２２Ｂ及び２３Ｂの向きが所望の方向へは向いていない状態で、操作部７２からユーザ操作に応じて、マイク先端部２２Ｂ及び２３Ｂの向きを自動で合せるための方向合せ命令が入力されると、回動軸５０の現在の回動角度と、ユーザにより選択された集音条件で指定している回動角度とを比較する。
【０３７４】
これにより制御部７０は、その比較結果に応じてモータ８４を駆動制御するようにして回動軸５０と共に一方及び他方の指向性マイクロホン２２及び２３を連動させて回動させることにより、一方及び他方の指向性マイクロホン２２及び２３のマイク先端部２２Ｂ及び２３Ｂを自動的に所望の方向へ向ける。
【０３７５】
ところで、制御部７０は、このとき集音条件設定画面１０５の方向通知部１０９において、回動軸５０の回動に応じて角度範囲通知アイコン１０９Ａ上で現在角度通知アイコン１０９Ｃを移動させる。
【０３７６】
そして制御部７０は、回動軸５０を目標の回動角度まで回動させて一方及び他方の指向性マイクロホン２２及び２３のマイク先端部２２Ｂ及び２３Ｂの向きを所望の方向へ向けると、その集音条件設定画面１０５の方向通知部１０９において、角度範囲通知アイコン１０９Ａ上で目標角度通知アイコン１０９Ｂに現在角度通知アイコン１０９Ｃを重ねる。
【０３７７】
これにより制御部７０は、このように回動軸５０と共に一方及び他方の指向性マイクロホン２２及び２３を自動的に回動させてマイク先端部２２Ｂ及び２３Ｂの向きを合せたときには、集音条件設定画面１０５の方向通知部１０９により、一方及び他方の指向性マイクロホン２２及び２３のマイク先端部２２Ｂ及び２３Ｂが所望の方向へ向いたことを確認させることができる。
【０３７８】
これに対して制御部７０は、一方及び他方の指向性マイクロホン２２及び２３のマイク先端部２２Ｂ及び２３Ｂの向きが所望の方向へは向いていない状態で、ユーザにより一方の指向性マイクロホン２２（又は、他方の指向性マイクロホン２３）が手動で回動されると、その間、入替検出部８５のポテンショメータ８５Ａから角度検出電圧を取り込みながら一方及び他方の指向性マイクロホン２２及び２３と共に回動している回動軸５０の回動角度を検出する。
【０３７９】
また制御部７０は、このとき集音条件設定画面１０５の方向通知部１０９において、回動軸５０の回動角度の検出結果に応じて角度範囲通知アイコン１０９Ａ上で現在角度通知アイコン１０９Ｃを移動させる。
【０３８０】
これにより制御部７０は、ユーザに対し、集音条件設定画面１０５の方向通知部１０９を介して、一方の指向性マイクロホン２２（又は、他方の指向性マイクロホン２３）のマイク先端部２２Ｂ及び２３Ｂを所望の方向へ向けるには、当該一方の指向性マイクロホン２２（又は、他方の指向性マイクロホン２３）を何れの方向へどれだけ回動させれば良いのかを確認させながら回動させるように支援することができる。
【０３８１】
そして制御部７０は、一方及び他方の指向性マイクロホン２２及び２３のマイク先端部２２Ｂ及び２３Ｂの向きが所望の方向へ向いたときには、これに応じて回動軸５０が目標の回動角度まで回動したことで、集音条件設定画面１０５の方向通知部１０９において、角度範囲通知アイコン１０９Ａ上で目標角度通知アイコン１０９Ｂに現在角度通知アイコン１０９Ｃを重ねる。
【０３８２】
これにより制御部７０は、ユーザに対し、集音条件設定画面１０５の方向通知部１０９により、一方及び他方の指向性マイクロホン２２及び２３のマイク先端部２２Ｂ及び２３Ｂが所望の方向へ向いたことを通知することができる。
【０３８３】
このようにして制御部７０は、集音条件に従い一方及び他方の指向性マイクロホン２２及び２３のマイク先端部２２Ｂ及び２３Ｂの向きを変更する場合、自動及び手動の何れでも、当該一方及び他方の指向性マイクロホン２２及び２３のマイク先端部２２Ｂ及び２３Ｂを所望の方向へ容易に且つ確実に向けることができる。
【０３８４】
また制御部７０は、この際、入替検出部８５のコンパレータ８５Ｂの動作を一時的に停止させて、外部音声の集音の間、その入替検出部８５から非入替指示信号及び入替指示信号の何れも記録再生処理部８０には送出させないようにする。
【０３８５】
そして制御部７０は、集音条件により、Ｒチャンネル用のオーディオデータとＬチャンネル用のオーディオデータとを入れ替えないように指定されていると、外部音声の集音の間、記録再生処理部８０を、オーディオデータのＲチャンネル用の部分（Ｒ０、……、ＲＮ）とＬチャンネル用の部分（Ｌ０、……、ＬＮ）とを入れ替えないように設定する。
【０３８６】
これに対して制御部７０は、集音条件により、Ｒチャンネル用のオーディオデータとＬチャンネル用のオーディオデータとを入れ替えるように指定されていると、外部音声の集音の間、記録再生処理部８０を、オーディオデータのＲチャンネル用の部分（Ｒ０、……、ＲＮ）とＬチャンネル用の部分（Ｌ０、……、ＬＮ）とを入れ替えさせるように設定する。
【０３８７】
このようにして制御部７０は、外部音声の集音条件として一方及び他方の指向性マイクロホン２２及び２３のマイク先端部２２Ｂ及び２３Ｂの向き等を設定する。
【０３８８】
そして制御部７０は、外部音声の集音条件を設定し終えると、事前のユーザ設定に応じて自動で外部音声の録音を開始し、又は操作部７２からユーザ操作により入力される録音命令に応じて外部音声の録音を開始する。
【０３８９】
これにより制御部７０は、上述した場合と同様に一方及び他方の指向性マイクロホン２２及び２３により外部音声を集音しながら、その外部音声に相当するオーディオデータを記録メディア８１に記録する。
【０３９０】
このようにして制御部７０は、ユーザにより集音条件が選択されると、その選択された集音条件で外部音声を集音して録音することができる。
【０３９１】
次いで、図３１に示すフローチャートを用いて、外部音声を集音して録音するための記録処理について説明する。制御部７０は、ユーザによる例えば録音ボタン２８Ｃの押下操作に応じて操作部７２から録音命令が入力されると、内蔵メモリ７１に記憶している記録処理プログラムに従って図３１に示す記録処理手順ＲＴ１を開始する。
【０３９２】
制御部７０は、かかる記録処理手順ＲＴ１を開始すると、ステップＳＰ１において一方及び他方の指向性マイクロホン２２及び２３のマイク先端部２２Ｂ及び２３Ｂの向きが調整されるか否かを判別する。
【０３９３】
このステップＳＰ１において肯定結果が得られると、このことはユーザにより操作部７２が操作され録音命令が入力されたとき、例えば一時停止ボタン２８Ｆも押下操作され一時停止命令も合せて入力されたことを表している。そして制御部７０は、ステップＳＰ１において、かかる肯定結果を得ると、次のステップＳＰ２に移る。
【０３９４】
ステップＳＰ２において制御部７０は、一方及び他方の指向性マイクロホン２２及び２３により外部音声を集音しながら、当該集音した外部音声をステレオ音声としてヘッドホンから出力し始めて、次のステップＳＰ３に移る。
【０３９５】
ステップＳＰ３において制御部７０は、一方及び他方の指向性マイクロホン２２及び２３により集音している外部音声をステレオ音声としてユーザに聴かせながら、当該外部音声の録音を開始するように要求されることを待ち受ける。
【０３９６】
そして制御部７０は、ユーザにより、一方及び他方の指向性マイクロホン２２及び２３によって集音している外部音声がステレオ音声として聴かれながら、一方及び他方の指向性マイクロホン２２及び２３を適宜回動させて一方及び他方のマイク先端部２２Ｂ及び２３Ｂの向きが所望の方向へ向くように調整されたうえで、例えば一時停止ボタン２８Ｆが押下操作され操作部７２から一時停止解除命令が入力されると、録音の開始が要求されたと認識して、次のステップＳＰ４に移る。
【０３９７】
因みに、上述したステップＳＰ１において否定結果が得られると、このことはユーザにより操作部７２が操作され録音命令のみが入力されており、外部音声をステレオ音声として聴きながら、一方及び他方の指向性マイクロホン２２及び２３の一方及び他方のマイク先端部２２Ｂ及び２３Ｂの向きを調整するように特には要望されていないことを表している。
【０３９８】
すなわち、かかる否定結果は、ユーザにより、例えば、一方及び他方の指向性マイクロホン２２及び２３の一方及び他方のマイク先端部２２Ｂ及び２３Ｂを音源に向けるように合せられたうえで、録音命令が入力されたことを表している。そして制御部７０は、ステップＳＰ１において、かかる否定結果を得ると、ステップＳＰ４に移る。
【０３９９】
ステップＳＰ４において制御部７０は、一方及び他方の指向性マイクロホン２２及び２３の現在の回動形態が連動回動形態であるか否かを判別する。
【０４００】
その結果、制御部７０は、一方及び他方の指向性マイクロホン２２及び２３の回動形態が現在、連動回動形態に切り換えられていると、次のステップＳＰ５に移る。
【０４０１】
ステップＳＰ５において制御部７０は、入替検出部８５を、Ｒチャンネル用のオーディオデータとＬチャンネル用のオーディオデータとを入れ替えるか否かを検出するように制御する。
【０４０２】
また制御部７０は、記録再生処理部８０を、入替検出部８５による検出結果に応じてＲチャンネル用のオーディオデータとＬチャンネル用のオーディオデータとを入れ替え、またＲチャンネル用のオーディオデータとＬチャンネル用のオーディオデータとを入れ替えないように制御して、次のステップＳＰ６に移る。
【０４０３】
一方、制御部７０は、ステップＳＰ４において一方及び他方の指向性マイクロホン２２及び２３の現在の回動形態が連動回動形態であるか否かを判別した結果、当該一方及び他方の指向性マイクロホン２２及び２３の回動形態が現在、個別回動形態に切り換えられていると、ステップＳＰ７に移る。
【０４０４】
ステップＳＰ７において制御部７０は、入替検出部８５の動作を一時的に停止させると共に、記録再生処理部８０を、Ｒチャンネル用のオーディオデータとＬチャンネル用のオーディオデータとを入れ替えないように制御して、次のステップＳＰ６に移る。
【０４０５】
ステップＳＰ６において制御部７０は、一方及び他方の指向性マイクロホン２２及び２３により外部音声を集音しながら、当該集音した外部音声に相当するオーディオデータを記録メディア８１に記録し始めて、次のステップＳＰ８に移る。
【０４０６】
ステップＳＰ８において制御部７０は、一方及び他方の指向性マイクロホン２２及び２３により集音している外部音声を、オーディオデータとして記録しながら、その外部音声の録音の終了が要求されることを待ち受ける。
【０４０７】
そして制御部７０は、ユーザにより例えば停止ボタン２８Ｅが押下操作され操作部７２から録音停止命令が入力されると、これに応じて一方及び他方の指向性マイクロホン２２及び２３による外部音声の集音を停止させるようにして当該外部音声の録音を終了した後、次のステップＳＰ９に移り、記録処理手順ＲＴ１を終了する。
【０４０８】
次いで、図３２に示すフローチャートを用いて、上述した角度設定処理について説明する。制御部７０は、ユーザにより操作部７２を介して入替基準角度を任意に設定するように要求されると、内蔵メモリ７１に記憶している角度設定プログラムに従って図３２に示す角度設定処理手順ＲＴ２を開始する。
【０４０９】
制御部７０は、かかる角度設定処理手順ＲＴ２を開始すると、ステップＳＰ１１において記録再生処理部８０をオーディオデータのＲチャンネル用の部分（Ｒ０、……、ＲＮ）とＬチャンネル用の部分（Ｌ０、……、ＬＮ）とを入れ替えないように制御した状態で、一方及び他方の指向性マイクロホン２２及び２３による外部音声の集音を開始すると共に、その外部音声をステレオ音声としてヘッドホンから出力させて、次のステップＳＰ１２に移る。
【０４１０】
ステップＳＰ１２において制御部７０は、ユーザに対して一方及び他方の指向性マイクロホン２２及び２３により外部音声を集音して得られるステレオ音声を聴かせながら、当該一方及び他方の指向性マイクロホン２２及び２３を連動させて回動させるようにして、そのユーザにより、Ｒチャンネル用のオーディオデータとＬチャンネル用のオーディオデータとを入れ替えるための基準となる回動軸５０の入替基準角度が選択されることを待ち受ける。
【０４１１】
そしてステップＳＰ１２において制御部７０は、ユーザにより一方及び他方の指向性マイクロホン２２及び２３を連動させて所望の回動角度まで回動させたうえで、その一方及び他方の指向性マイクロホン２２及び２３と共に回動した回動軸５０の回動角度が入替基準角度として選択されると、次のステップＳＰ１３に移る。
【０４１２】
ステップＳＰ１３において制御部７０は、入替検出部８５において、回動軸５０の回動角度と比較する入替基準角度を、ユーザにより任意に選択された入替基準角度に設定して、次のステップＳＰ１４に移る。
【０４１３】
ステップＳＰ１４において制御部７０は、Ｒチャンネル用のオーディオデータとＬチャンネル用のオーディオデータとを入れ替えるための基準となる入替基準角度の設定が完了したか否かを判別する。
【０４１４】
このステップＳＰ１４において否定結果が得られると、このことは、選択された入替基準角度をもとに実際にＲチャンネル用のオーディオデータとＬチャンネル用のオーディオデータとを入れ替えるようにして、ユーザに対し、一方及び他方の指向性マイクロホン２２及び２３により外部音声を集音して得られるステレオ音声を聴かせたところ、一方及び他方の指向性マイクロホン２２及び２３を連動させて回動させている途中で、そのステレオ音声の左右の音に違和感があったために、入替基準角度を選択し直すように要求されたことを表している。
【０４１５】
そして制御部７０は、ステップＳＰ１４において、かかる否定結果を得ると、ステップＳＰ１２に戻る。よって制御部７０は、この際、ステップＳＰ１２乃至ステップＳＰ１４の処理を改めて順次実行することにより、ユーザに対し入替基準角度を選択し直させる。
【０４１６】
またステップＳＰ１４において肯定結果が得られると、このことは、選択された入替基準角度をもとに実際にＲチャンネル用のオーディオデータとＬチャンネル用のオーディオデータとを入れ替えるようにして、ユーザに対し、一方及び他方の指向性マイクロホン２２及び２３により外部音声を集音して得られるステレオ音声を聴かせたところ、一方及び他方の指向性マイクロホン２２及び２３を連動させて回動させても、そのステレオ音声の左右の音に何ら違和感が無かったため、ユーザにより入替基準角度の選択が決定されたことを表している。
【０４１７】
よって制御部７０は、ステップＳＰ１４において、かかる肯定結果を得ると、次のステップＳＰ１５に移り、角度設定処理手順ＲＴ２を終了する。
【０４１８】
次いで、図３３に示すフローチャートを用いて、上述した集音条件登録処理について説明する。制御部７０は、ユーザにより操作部７２を介して外部音声の登録集音条件を任意に定めて登録するように要求されると、内蔵メモリ７１に記憶している条件登録プログラムに従って図３３に示す集音条件登録処理手順ＲＴ３を開始する。
【０４１９】
制御部７０は、かかる集音条件登録処理手順ＲＴ３を開始すると、ステップＳＰ２１において入替検出部８５をＲチャンネル用のオーディオデータとＬチャンネル用のオーディオデータとを入れ替えるか否かを検出させるように制御した状態で、一方及び他方の指向性マイクロホン２２及び２３による外部音声の集音を開始すると共に、その外部音声をステレオ音声としてヘッドホンから出力させて、次のステップＳＰ２２に移る。
【０４２０】
ステップＳＰ２２において制御部７０は、ユーザに対して一方及び他方の指向性マイクロホン２２及び２３により外部音声を集音して得られるステレオ音声を聴かせながら、当該一方及び他方の指向性マイクロホン２２及び２３を連動させて回動させるようにして、そのユーザにより、好みのステレオ感のステレオ音声を得るように、一方及び他方の指向性マイクロホン２２及び２３のマイク先端部２２Ｂ及び２３Ｂを向ける方向が任意に選定されることを待ち受ける。
【０４２１】
そしてステップＳＰ２２において制御部７０は、ユーザにより一方及び他方の指向性マイクロホン２２及び２３のマイク先端部２２Ｂ及び１３に対する所望の向きが選定されると、次のステップＳＰ２３に移る。
【０４２２】
ステップＳＰ２３において制御部７０は、一方及び他方の指向性マイクロホン２２及び２３のマイク先端部２２Ｂ及び２３Ｂが所望の方向へ向けられたときの回動軸５０の回動角度を検出すると共に、Ｒチャンネル用のオーディオデータとＬチャンネル用のオーディオデータとの入れ替えの有無を検出して、次のステップＳＰ２４に移る。
【０４２３】
ステップＳＰ２４において制御部７０は、その検出した回動軸５０の回動角度を示す回動角度情報と、Ｒチャンネル用のオーディオデータとＬチャンネル用のオーディオデータとの入れ替えの有無を示す入替情報とを、このときユーザにより入力された条件名及び環境情報と共に登録集音条件を示す登録集音条件情報として内蔵メモリ７１内の登録集音条件テーブル１００に登録した後、次のステップＳＰ２５に移って、集音条件登録処理手順ＲＴ３を終了する。
【０４２４】
次いで、図３４に示すフローチャートを用いて、上述した集音条件設定処理について説明する。制御部７０は、ユーザにより操作部７２を介して集音条件を設定するように要求されると、内蔵メモリ７１に記憶している条件設定プログラムに従って図３４に示す集音条件設定処理手順ＲＴ４を開始する。
【０４２５】
制御部７０は、かかる集音条件設定処理手順ＲＴ４を開始すると、ステップＳＰ３１において表示部２５の表示パネル２５Ａに集音条件選択画面１０２を表示することにより、ユーザに対し、その集音条件選択画面１０２を介して複数の集音条件を提示して、次のステップＳＰ３２に移る。
【０４２６】
ステップＳＰ３２において制御部７０は、ユーザにより集音条件選択画面１０２上で所望の集音条件が選択されることを待ち受ける。
【０４２７】
そしてステップＳＰ３２において制御部７０は、ユーザにより集音条件選択画面１０２上で、所望の集音条件が選択されると、次のステップＳＰ３３に移る。
【０４２８】
ステップＳＰ３３において制御部７０は、表示部２５の表示パネル２５Ａに、その選択された集音条件に応じた集音条件設定画面１０５を表示した状態で、一方及び他方の指向性マイクロホン２２及び２３のマイク先端部２２Ｂ及び２３Ｂを、集音条件により指定された方向へ自動で向けて、又は一方及び他方の指向性マイクロホン２２及び２３のマイク先端部２２Ｂ及び２３Ｂを、集音条件により指定された方向へユーザを支援しながら手動で向けさせて、次のステップＳＰ３４に移る。
【０４２９】
ステップＳＰ３４において制御部７０は、集音条件に従い、記録再生処理部８０に対し、オーディオデータのＲチャンネル用の部分（Ｒ０、……、ＲＮ）とＬチャンネル用の部分（Ｌ０、……、ＬＮ）とを入れ替えさせるか否かを設定した後、次のステップＳＰ３５に移って、集音条件設定処理手順ＲＴ４を終了する。
【０４３０】
（３−３）動作及び効果
以上の構成において、携帯型記録装置２０は、装置筐体２１の筐体上面２１Ｅに、外部音声を集音可能な、一方及び他方の指向性マイクロホン２２及び２３を個別に右回転方向及び左回転方向へ回動可能に保持している。
【０４３１】
そして携帯型記録装置２０は、回動形態切換部４６に対する操作に応じて一方及び他方の指向性マイクロホン２２及び２３の回動形態を、連動回動機構４５により一方及び他方の指向性マイクロホン２２及び２３を連動させて互いに反対方向へ回動させる連動回動形態と、連動回動機構４５による一方及び他方の指向性マイクロホン２２及び２３の連結を解除して当該一方及び他方の指向性マイクロホン２２及び２３を個別に回動可能な個別回動形態とのうち所望の回動形態に切り換える。
【０４３２】
従って携帯型記録装置２０は、外部音声の録音時、当該携帯型記録装置２０と音源との位置関係や音源の構成等に応じて、一方及び他方の指向性マイクロホン２２及び２３を連動回動形態と個別回動形態とのうち所望の回動形態に切り換えて、当該一方及び他方の指向性マイクロホン２２及び２３を連動回動形態と個別回動形態との何れでも、それぞれマイク先端部２２Ｂ及び２３Ｂを所望の方向へ向けるように所望の回動角度まで回動させることができる。
【０４３３】
以上の構成によれば、携帯型記録装置２０において、一方及び他方の指向性マイクロホン２２及び２３を個別に回動可能なように保持し、その一方及び他方の指向性マイクロホン２２及び２３を連動させて互いに反対方向へ回動させる連動回動機構４５と、一方及び他方の指向性マイクロホン２２及び２３の回動形態を、連動回動機構４５により連動させて互いに反対方向へ回動させる連動回動形態と、個別に回動可能な個別回動形態とのうち所望の回動形態に切り換える回動形態切換部４６とを設けるようにした。
【０４３４】
これにより携帯型記録装置２０は、外部音声の録音時、ユーザの要望に応じて一方及び他方の指向性マイクロホン２２及び２３の回動形態を連動回動形態と個別回動形態とのうち所望の回動形態に切り換えて、当該一方及び他方の指向性マイクロホン２２及び２３を連動回動形態と個別回動形態との何れでもそれぞれマイク先端部２２Ｂ及び２３Ｂを所望の方向へ向けるように所望の回動角度まで回動させることができる。よって、携帯型記録装置２０は、従来に比して格段的に使い勝手を向上させることができる。
【０４３５】
また携帯型記録装置２０は、連動回動機構４５に対し、一方の指向性マイクロホン２２と連動して回動するローラ５２と、他方の指向性マイクロホン２３と連動して回動するプーリ５１とを、回動軸５０を中心に回動可能にし、かつ一方及び他方の指向性マイクロホン２２及び２３が対称的な傾きとなるように回動したときに、互いの凸部５１ＡＸ及び５１ＡＹと凹部５２ＡＸ及び５２ＡＹとを対向させるように位置合せてして設けるようにした。
【０４３６】
従って携帯型記録装置２０は、一方及び他方の指向性マイクロホン２２及び２３が個別に回動すると、これに応じてローラ５２及びプーリ５１も個別に回動するものの、一方及び他方の指向性マイクロホン２２及び２３を互いに反対方向へめいっぱい回動させるだけで、ローラ５２とプーリ５１とを、凸部５１ＡＸ及び５１ＡＹと凹部５２ＡＸ及び５２ＡＹとを対向させるように位置合せすることができる。
【０４３７】
よって携帯型記録装置２０は、一方及び他方の指向性マイクロホン２２及び２３の回動形態を個別回動形態から連動回動形態へ切り換える際、ローラ５２とプーリ５１とを位置合せするための微調整のような煩雑な調整を何ら行わせることなく、一方及び他方の指向性マイクロホン２２及び２３を連動させて互いに反対方向へ対称的に回動させるように、そのローラ５２とプーリ５１とを容易に連結させることができる。
【０４３８】
さらに携帯型記録装置２０は、外部音声の録音時、一方の指向性マイクロホン２２により外部音声を集音するようにして生成したオーディオデータをＲチャンネル用のオーディオデータとし、かつ他方の指向性マイクロホン２３により外部音声を集音するようにして生成したオーディオデータをＬチャンネル用のオーディオデータとしている。
【０４３９】
そして携帯型記録装置２０は、外部音声の録音時、予め選定された入替基準角度をもとに、一方及び他方の指向性マイクロホン２２及び２３を連動させて一方及び他方の方向線ＤＡ１及びＤＡ２を交差させない回動角度まで回動させたことを検出すると、一方の指向性マイクロホン２２により外部音声を集音するようにして生成したオーディオデータをＲチャンネル用のオーディオデータのままとし、かつ他方の指向性マイクロホン２３により外部音声を集音するようにして生成したオーディオデータをＬチャンネル用のオーディオデータのままとする。
【０４４０】
これに対して携帯型記録装置２０は、外部音声の録音時、予め選定された入替基準角度をもとに、一方及び他方の指向性マイクロホン２２及び２３を連動させて一方及び他方の方向線ＤＡ１及びＤＡ２を交差させる回動角度まで回動させたことを検出すると、一方の指向性マイクロホン２２により外部音声を集音するようにして生成したＲチャンネル用のオーディオデータをＬチャンネル用とし、かつ他方の指向性マイクロホン２３により外部音声を集音するようにして生成したＬチャンネル用のオーディオデータをＲチャンネル用とするように、Ｒチャンネル用のオーディオデータとＬチャンネル用のオーディオデータとを入れ替えるようにした。
【０４４１】
従って携帯型記録装置２０は、外部音声の録音時に一方及び他方の指向性マイクロホン２２及び２３を連動させて一方及び他方の方向線ＤＡ１及びＤＡ２を交差させるように回動させた場合、当該一方及び他方の指向性マイクロホン２２及び２３により外部音声を集音して生成したオーディオデータに基づくステレオ音声の左右の音が、実際に左右の耳で外部音声を聴いた場合とは入れ替わることを回避することができる。
【０４４２】
そして携帯型記録装置２０は、Ｒチャンネル用のオーディオデータとＬチャンネル用のオーディオデータとを入れ替えるための基準となる入替基準角度が予め選定されているものの、ユーザに対し、一方及び他方の指向性マイクロホン２２及び２３により集音した外部音声をステレオ音声として実際に聴かせながら、携帯型記録装置２０と音源との位置関係や音源の種類等に起因するステレオ音声の聴感の違いに応じて入替基準角度を任意に選定させ、すでに設定している入替基準角度を、その選定された入替基準角度に設定し直すようにした。
【０４４３】
従って携帯型記録装置２０は、外部音声の録音時、一方及び他方の指向性マイクロホン２２及び２３を連動させて互いに反対方向の何れの回動角度まで回動させて外部音声を集音しても、ユーザに対し左右の音に何ら違和感を抱かせないようなステレオ音声のオーディオデータを生成することができる。
【０４４４】
さらに携帯型記録装置２０は、外部音声の集音環境に応じて、ユーザにより任意に選定された一方及び他方の指向性マイクロホン２２及び２３の一方及び他方のマイク先端部２２Ｂ及び２３Ｂの向きと、また一方及び他方の指向性マイクロホン２２及び２３により、その選定された一方及び他方のマイク先端部２２Ｂ及び２３Ｂの向きで外部音声を集音するときのＲチャンネル用のオーディオデータとＬチャンネル用のオーディオデータとの入れ替えの有無とを登録集音条件として登録するようにした。
【０４４５】
そして携帯型記録装置２０は、外部音声の録音時に、登録集音条件が選択されると、当該選択された登録集音条件に従って、一方及び他方の指向性マイクロホン２２及び２３の一方及び他方のマイク先端部２２Ｂ及び２３Ｂの向きを設定すると共に、Ｒチャンネル用のオーディオデータとＬチャンネル用のオーディオデータとの入れ替えの有無も設定したうえで、外部音声を集音して録音するようにした。
【０４４６】
従って携帯型記録装置２０は、現在の外部音声の集音環境が、過去に外部音声を録音用に集音したときの集音環境とほぼ同じ場合、その都度、ユーザに対し、一方及び他方の指向性マイクロホン２２及び２３により外部音声を集音してステレオ音声として聴かせながら、一方及び他方のマイク先端部２２Ｂ及び２３Ｂの向きを調整させることなく、外部音声を集音するために最適な集音条件を容易に設定することができる。
【０４４７】
また携帯型記録装置２０は、Ｒチャンネル用のオーディオデータとＬチャンネル用のオーディオデータとの入れ替えの有無も登録集音条件として登録していることにより、登録集音条件を登録した後、入替基準角度が変更されても、その変更に何ら影響されることなく、外部音声を集音するために最適な集音条件を容易に再現して設定することができる。
【０４４８】
さらに携帯型記録装置２０は、種々の集音環境で推奨される複数の推奨集音条件を予め記憶しており、外部音声の録音時に、その推奨集音条件が選択されると、当該選択された推奨集音条件に従って、一方及び他方の指向性マイクロホン２２及び２３の一方及び他方のマイク先端部２２Ｂ及び２３Ｂの向きを設定すると共に、Ｒチャンネル用のオーディオデータとＬチャンネル用のオーディオデータとの入れ替えの有無も設定したうえで、外部音声を集音して録音するようにした。
【０４４９】
従って携帯型記録装置２０は、推奨集音条件に対応する集音環境で外部音声を集音する場合、そのような集音環境で外部音声を集音するのが始めてであっても、また幾度目かであっても、最適な集音条件を容易に設定して外部音声を集音し録音することができる。
【０４５０】
また携帯型記録装置２０は、このように種々の集音環境で推奨される登録集音条件を、その集音環境を直感的に認識させ得るような条件通知アイコンとして提示するようにした。
【０４５１】
よって携帯型記録装置２０は、例えば、携帯型記録装置２０を初めて利用して外部音声を集音するようなユーザや、集音条件の設定に不慣れなユーザに対して、外部音声を集音するための集音環境に応じた集音条件を容易に選択させて設定することができる。
【０４５２】
（４）他の実施の形態
なお上述した実施の形態においては、携帯型記録装置２０に対し、回動軸５０と共に、プーリ５１、ローラ５２、回動ベルト５３及び５４から構成される連動回動機構４５を設けるようにした場合について述べたが、本発明はこれに限らず、携帯型記録装置２０に対し、例えば、図３５並びに図３６（Ａ）及び（Ｂ）に示すような連動回動機構１２０や、図３７に示すような連動回動機構１２１を設けるようにしても良い。
【０４５３】
ここで図３５並びに図３６（Ａ）及び（Ｂ）に示す連動回動機構１２０は、筐体厚み方向と平行な状態で右回転方向及び左回転方向に回動可能に保持され、互いにも平行な２本の一方及び他方の回動軸１３０及び１３１を有している。
【０４５４】
一方の回動軸１３０は、一方の歯車１３２の中心に穿設された貫通孔に圧入されて一体化され、これにより自己の回動に合せて歯車１３２を右回転方向及び左回転方向へ回動させ得るようになされている。
【０４５５】
また他方の回動軸１３１は、他方の歯車１３３の中心に穿設された貫通孔に挿入され、当該歯車１３３を自己の回動には同期させずに個別に右回転方向及び左回転方向へ回動させ得るようになされている。
【０４５６】
そして一方及び他方の歯車１３２及び１３３は、互いに歯合している。また一方の歯車１３２は、他方の指向性マイクロホン１３４のマイク根本部内に設けられた歯車（以下、これを他方のマイク歯車とも呼ぶ）１３５に歯合している。
【０４５７】
さらに他方の歯車１３３は、一方の指向性マイクロホン１３６のマイク根本部内に設けられた歯車（以下、これを一方のマイク歯車とも呼ぶ）１３７に歯合している。
【０４５８】
さらに、他方の回動軸１３１の近傍には、モータ１３８がその出力軸１３８Ａを一方及び他方の回動軸１３０及び１３１と平行にして配置されている。
【０４５９】
さらにモータ１３８の出力軸１３８Ａは、比較的厚い歯車（以下、これをモータ歯車とも呼ぶ）１３９の中心に穿設された貫通孔に圧入されて一体化されている。
【０４６０】
これによりモータ１３８は、出力軸１３８Ａの回動に合せてモータ歯車１３９を右回転方向及び左回転方向へ回動させ得るようになされている。そしてモータ歯車１３９は、その一端側を他方の歯車１３３に歯合している。
【０４６１】
ただし、他方の歯車１３３は、一面１３３Ａの中央部に、一端側にフランジでなる係止片が設けられた円筒状の変位用係止部１３３Ｂの他端が、その孔部に回動軸１３１を通した状態で固定されている。
【０４６２】
また他方の歯車１３３の一面１３３Ａと変位用係止部１３３Ｂの係止片との間には、切換操作軸５５の係止歯５５Ａの先端部が、当該係止歯５５Ａの間に変位用係止部１３３Ｂの円筒部分を介在させた状態で差し込まれている。
【０４６３】
そして連動回動機構１２０は、回動形態切換部４６の切換操作つまみ５６に対する時計回り方向への回動操作に応じて、切換操作軸５５よりも係止歯５５Ａの先端部を筐体正面２１Ａ側へ位置させるように当該切換操作軸５５が時計回り方向へ回転したとき、その係止歯５５Ａの先端部が他方の歯車１３３の変位用係止部１３３Ｂの係止片に押し付けられる。
【０４６４】
よって連動回動機構１２０は、一方及び他方の指向性マイクロホン１３６及び１３４を互いに反対方向へめいっぱい回動させた状態で、回動形態切換部４６の切換操作つまみ５６が時計回り方向へ回動操作されると、これに応じて他方の歯車１３３を、モータ歯車１３９には歯合させたまま回動軸１３１に沿って筐体正面２１Ａ側へ変位させて一方の歯車１３２及び他方のマイク歯車１３７から引き離す（すなわち、互いの歯合を解除する）。
【０４６５】
これにより連動回動機構４５は、一方及び他方の指向性マイクロホン１３６及び１３４を個別に回動させることができる。
【０４６６】
これに対して連動回動機構１２０は、回動形態切換部４６の切換操作つまみ５６に対する反時計回り方向への回動操作に応じて、切換操作軸５５よりも係止歯５５Ａの先端部を筐体背面２１Ｂ側へ位置させるように当該切換操作軸５５が反時計回り方向へ回転したとき、その係止歯５５Ａの先端部が他方の歯車１３３の一面１３３Ａに押し付けられる。
【０４６７】
従って連動回動機構１２０は、一方及び他方の指向性マイクロホン１３６及び１３４を、連動回動形態から個別回動形態へと切り換えられたときと同一の対称的な傾きとなるように、互いに反対方向へめいっぱい回動させた状態で、回動形態切換部４６の切換操作つまみ５６が反時計回り方向へ回動操作されると、これに応じて他方の歯車１３３を、モータ歯車１３９には歯合させたまま回動軸１３１に沿って筐体背面２１Ｂ側へ変位させて一方の歯車１３２及び一方のマイク歯車１３７に歯合させる。
【０４６８】
これにより連動回動機構１２０は、例えば、一方の指向性マイクロホン１３６を手動で回動させると、その回動を一方のマイク歯車１３７から他方の歯車１３３及び一方の歯車１３２を順次介して他方のマイク歯車１３５に伝達することができる。
【０４６９】
よって連動回動機構１２０は、このように他方の歯車１３３を一方の歯車１３２及び一方のマイク歯車１３７に歯合させると、一方の指向性マイクロホン１３６が手動で回動されたとき、その回動に連動させて他方の指向性マイクロホン１３４を、当該一方の指向性マイクロホン１３６とは反対方向へ回動させることができる。
【０４７０】
また連動回動機構１２０は、このように他方の歯車１３３を一方の歯車１３２及び一方のマイク歯車１３７に歯合させた状態で、ユーザ操作に応じてモータ１３８が駆動制御されると、当該モータ１３８の出力軸１３８Ａの回動を、モータ歯車１３９を介して他方の歯車１３３に伝達すると共に、かかる他方の歯車１３３の回動を一方のマイク歯車１３７に伝達し、かつ一方の歯車１３２を介して他方のマイク歯車１３５に伝達する。
【０４７１】
よって連動回動機構１２０は、このようなモータの駆動制御によっても、一方及び他方の指向性マイクロホン１３６及び１３４を連動させて互いに反対方向へ回動させることができる。
【０４７２】
そして、携帯型記録装置については、かかる構成の連動回動機構１２０が設けられた場合、一方及び他方の指向性マイクロホン１３６及び１３４の回動形態が個別回動形態に切り換えられている間、モータ１３８を動作させないようにしている。
【０４７３】
このため、かかる連動回動機構１２０は、一方及び他方の指向性マイクロホン１３６及び１３４を互いに反対方向へめいっぱい回動させた状態で、連動回動形態から個別回動形態へ切り換えると、他方の歯車１３３をモータ歯車１３９に歯合させたまま回動させずに、一方の歯車１３２及び他方のマイク歯車１３７から引き離したまま待避させておくことができる。
【０４７４】
よって、連動回動機構１２０は、一方及び他方の指向性マイクロホン１３６及び１３４を、連動回動形態から個別回動形態へと切り換えられたときと同一の対称的な傾きとなるように、互いに反対方向へめいっぱい回動させた状態で、個別回動形態から連動回動形態へと切り換えるように操作されると、他方の歯車１３３を一方の歯車１３２及び他方のマイク歯車１３７と位置合せして歯合させるための微調整のような煩雑な調整を何ら行わせることなく、一方及び他方の指向性マイクロホン１３６及び１３４を連動させて互いに反対方向へ対称的に回動させるように、当該他方の歯車１３３をモータ歯車１３９に歯合させたまま、一方の歯車１３２及び他方のマイク歯車１３７にも歯合させることができる。
【０４７５】
一方、図３７に示す連動回動機構１２１は、筐体厚み方向と平行な状態で右回転方向及び左回転方向に回動可能に保持され、互いにも平行な２本の一方及び他方の回動軸１５０及び１５１を有している。
【０４７６】
一方の回動軸１５０は、一方の歯車１５２の中心に穿設された貫通孔に圧入されて一体化され、これにより自己の回動に合せて歯車１５２を右回転方向及び左回転方向へ回動させ得るようになされている。
【０４７７】
また他方の回動軸１５１は、他方の歯車１５３の中心に穿設された貫通孔に圧入されて一体化され、これにより自己の回動に合せて歯車１５３を右回転方向及び左回転方向へ回動させ得るようになされている。
【０４７８】
そして一方及び他方の歯車１５２及び１５３は、互いに離間して配置され、当該一方の歯車１５２は、一方の指向性マイクロホン１５４のマイク根本部内に設けられた一方のマイク歯車１５５に歯合している。
【０４７９】
さらに他方の歯車１５３は、他方の指向性マイクロホン１５６のマイク根本部内に設けられた他方のマイク歯車１５７に歯合している。
【０４８０】
さらに、一方及び他方の回動軸１５０及び１５１の近傍には、それぞれ一方及び他方のモータ１５８及び１５９がその出力軸１５８Ａ及び１５９Ａを当該一方及び他方の回動軸１５０及び１５１と平行にして配置されている。
【０４８１】
そして一方のモータ１５８の出力軸１５８Ａは、歯車（以下、これを一方のモータ歯車とも呼ぶ）１６０の中心に穿設された貫通孔に圧入されて一体化されている。
【０４８２】
これにより一方のモータ１５８は、出力軸１５８Ａの回動に合せて一方のモータ歯車１６０を右回転方向及び左回転方向へ回動させ得るようになされている。そして一方のモータ歯車１６０は、一方の歯車１５２に歯合している。
【０４８３】
さらに他方のモータ１５９の出力軸１５９Ａも、歯車（以下、これを他方のモータ歯車とも呼ぶ）１６１の中心に穿設された貫通孔に圧入されて一体化されている。
【０４８４】
これにより他方のモータ１５９は、出力軸１５９Ａの回動に合せて他方のモータ歯車１６１を右回転方向及び左回転方向へ回動させ得るようになされている。そして他方のモータ歯車１６１は、他方の歯車１５３に歯合している。
【０４８５】
因みに、一方及び他方の回動軸１５０及び１５１には、それぞれ例えば図示しない歯車を介してポテンショメータが連結されている。
【０４８６】
携帯型記録装置については、かかる構成の連動回動機構１２１が設けられると、制御部が、一方及び他方の指向性マイクロホン１５４及び１５６の回動形態が個別回動形態に切り換えられた場合、一方及び他方のモータ１５８及び１５９を何ら駆動制御しないようにしている。これにより制御部は、一方及び他方の指向性マイクロホン１５４及び１５６を個別に回動させることができる。
【０４８７】
これに対して制御部は、一方及び他方の指向性マイクロホン１５４及び１５６の回動形態が連動回動形態に切り換えられた場合、例えば一方のモータ１５８が手動で回動されると、その回動角度を対応する一方のポテンショメータによって検出すると共に、当該検出した回動角度に応じて他方のモータ１５９を駆動制御して他方の指向性マイクロホン１５６を回動させる。
【０４８８】
このようにして制御部は、一方及び他方の指向性マイクロホン１５４及び１５６の回動形態が連動回動形態に切り換えられた場合、一方及び他方のポテンショメータや一方及び他方のモータ１５８及び１５９を利用して、一方及び他方の一方及び他方の指向性マイクロホン１５４及び１５６を連動させて互いに反対方向へ回動させる。
【０４８９】
ところで、携帯型記録装置については、かかる構成の連動回動機構１２１が設けられた場合、例えば、装置筐体に対し、一方及び他方の指向性マイクロホン１５４及び１５６の回動形態を個別回動形態と連動回動形態とのうち所望の回動形態に切り換えるための切換命令を入力可能な操作ボタンを設ける。
【０４９０】
そして制御部は、その操作ボタンの操作に応じて一方及び他方の指向性マイクロホン１５４及び１５６の回動形態を個別回動形態と連動回動形態とのうち所望の回動形態に切り換えるようにして当該一方及び他方の指向性マイクロホン１５４及び１５６の回動を制御する。
【０４９１】
そして制御部は、このように操作ボタンの操作に応じて一方及び他方の指向性マイクロホン１５４及び１５６の回動形態を切り換える場合、個別回動形態と連動回動形態とのうち何れの回動形態に切り換えられているのかを、当該操作ボタンの状態変化（すなわち、回動や装置筐体表面からの突出量等）や発光素子の発光、表示パネルの表示等によって通知する。
【０４９２】
これにより制御部は、ユーザに対し、一方及び他方の指向性マイクロホン１５４及び１５６の回動形態が、現在、個別回動形態と連動回動形態とのうち何れの回動形態に切り換えられているのかを確認させることができる。
【０４９３】
以上説明したように、携帯型記録装置に対しては、かかる構成の連動回動機構１２０及び１２１を設けるようにしても、上述した実施の形態の場合と同様に、一方及び他方の指向性マイクロホン１３６及び１３４、１５４及び１５６を、個別回動形態と連動回動形態とのうち所望の回動形態で回動させることができる。
【０４９４】
また上述した実施の形態においては、外部音声の録音時に一方及び他方の指向性マイクロホン２２及び２３の回動形態が連動回動形態に切り換えられていると、その一方及び他方の指向性マイクロホン２２及び２３の回動角度に応じてＲチャンネル用のオーディオデータとＬチャンネル用のオーディオデータとを入れ替えるようにした場合について述べたが、本発明はこれに限らず、外部音声の録音時に一方及び他方の指向性マイクロホン２２及び２３の回動形態が個別回動形態に切り換えられていても、その一方及び他方の指向性マイクロホン２２及び２３の回動角度に応じてＲチャンネル用のオーディオデータとＬチャンネル用のオーディオデータとを入れ替えるようにしても良い。
【０４９５】
ところで、携帯型記録装置２０では、このように個別回動形態でもＲチャンネル用のオーディオデータとＬチャンネル用のオーディオデータとを入れ替える場合、例えば、上述した連動回動機構４５のローラ５２において変位用係止部５２ＢＸの係止片を歯車として形成し、その歯車にポテンショメータを連結してローラ５２の回動角度も個別に検出可能なようにしておく。
【０４９６】
そして携帯型記録装置２０では、外部音声の録音時に一方及び他方の指向性マイクロホン２２及び２３の回動形態が個別回動形態に切り換えられていると、一方の指向性マイクロホン２２の回動角度（すなわち、ローラ５２の回動角度）と他方の指向性マイクロホン２２の回動角度（すなわち、回動軸５０の回動角度）とをそれぞれ検出する。
【０４９７】
また携帯型記録装置２０では、その回動角度の検出結果をもとに、一方及び他方の指向性マイクロホン２２及び２３が一方及び他方の方向線ＤＡ１及びＤＡ２を交差させるように回動しているか否かを判別する。
【０４９８】
これにより携帯型記録装置２０は、一方及び他方の指向性マイクロホン２２及び２３が一方及び他方の方向線ＤＡ１及びＤＡ２を交差させるように回動しているときには、Ｒチャンネル用のオーディオデータとＬチャンネル用のオーディオデータとを入れ替える。
【０４９９】
これに対して携帯型記録装置２０は、一方及び他方の指向性マイクロホン２２及び２３が一方及び他方の方向線ＤＡ１及びＤＡ２を交差させないように回動しているときには、Ｒチャンネル用のオーディオデータとＬチャンネル用のオーディオデータとを入れ替えないようにする。
【０５００】
かくして携帯型記録装置２０では、かかる構成により、外部音声の録音時に一方及び他方の指向性マイクロホン２２及び２３の回動形態が個別回動形態に切り換えられていても、その一方及び他方の指向性マイクロホン２２及び２３の回動角度に応じてＲチャンネル用のオーディオデータとＬチャンネル用のオーディオデータとを入れ替えることができる。
【０５０１】
そして携帯型記録装置２０では、このように個別回動形態でもＲチャンネル用のオーディオデータとＬチャンネル用のオーディオデータとを入れ替える場合、例えば、一方及び他方の方向線ＤＡ１及びＤＡ２がどの程度交差したらＲチャンネル用のオーディオデータとＬチャンネル用のオーディオデータとを入れ替えるのかのように、一方及び他方の指向性マイクロホン２２及び２３それぞれの入替基準角度をユーザに対し任意に選択させて設定し、当該一方及び他方の指向性マイクロホン２２及び２３それぞれの回動角度と、対応する入替基準角度とを比較し、その比較結果に応じて、例えば一方及び他方の方向線ＤＡ１及びＤＡ２が交差しているときにＲチャンネル用のオーディオデータとＬチャンネル用のオーディオデータとを入れ替えるようにしても良い。
【０５０２】
また、かかる携帯型記録装置２０では、このように２つのポテンショメータにより一方及び他方の指向性マイクロホン２２及び２３の回動角度をそれぞれ検出し得ることにより、連動回動形態においても、当該一方及び他方の指向性マイクロホン２２及び２３の回動角度それぞれに対する入替基準角度を設定して、Ｒチャンネル用のオーディオデータとＬチャンネル用のオーディオデータとを入れ替えるか否かを検出するために利用するようにしても良い。
【０５０３】
さらに上述した実施の形態においては、外部音声の録音時、記録再生処理部８０によりオーディオデータのＲチャンネル用の部分（Ｒ０、……、ＲＮ）とＬチャンネル用の部分（Ｌ０、……、ＬＮ）とを入れ替えるようにした場合について述べたが、本発明はこれに限らず、外部音声の録音時、混合部７７によりオーディオデータのＲチャンネル用の部分（Ｒ０、……、ＲＮ）とＬチャンネル用の部分（Ｌ０、……、ＬＮ）とを入れ替えるようにしても良い。
【０５０４】
また携帯型記録装置２０では、記録再生処理部８０によりオーディオデータのＲチャンネル用の部分（Ｒ０、……、ＲＮ）とＬチャンネル用の部分（Ｌ０、……、ＬＮ）とを入れ替えさせずに、そのＲチャンネル用のオーディオデータとＬチャンネル用のオーディオデータとを入れ替えるか否かを判別するための入替判別情報を付加して記録メディア８１に記録し、当該記録メディア８１からオーディオデータを読み出すときに、入替判別情報に従ってオーディオデータのＲチャンネル用の部分（Ｒ０、……、ＲＮ）とＬチャンネル用の部分（Ｌ０、……、ＬＮ）とを入れ替えるようにしても良い。
【０５０５】
さらに上述した実施の形態においては、登録集音条件を登録する際、ユーザに対し、一方及び他方の指向性マイクロホン２２及び２３のマイク先端部２２Ｂ及び２３Ｂの向きを選定させ、Ｒチャンネル用のオーディオデータとＬチャンネル用のオーディオデータとの入れ替えの有無については、一方及び他方の指向性マイクロホン２２及び２３のマイク先端部２２Ｂ及び２３Ｂを、選定された向きに合せたときに入替検出部８５から出力される非入替指示信号及び入替指示信号に基づいて判別するようにした場合について述べたが、本発明はこれに限らず、登録集音条件を登録する際、ユーザに対し、一方及び他方の指向性マイクロホン２２及び２３のマイク先端部２２Ｂ及び２３Ｂの向きを選定させると共に、Ｒチャンネル用のオーディオデータとＬチャンネル用のオーディオデータとの入れ替えの有無についても任意に選定させて登録集音条件を登録するようにしても良い。
【０５０６】
さらに上述した実施の形態においては、集音条件登録処理において、一方及び他方の指向性マイクロホン２２及び２３を連動回動形態で回動させるようにして外部音声を集音するための登録集音条件を登録するようにした場合について述べたが、本発明はこれに限らず、集音条件登録処理において、一方及び他方の指向性マイクロホン２２及び２３を個別回動形態で回動させるようにして外部音声を集音するための登録集音条件を登録するようにしても良い。
【０５０７】
ところで、携帯型記録装置２０では、このように一方及び他方の指向性マイクロホン２２及び２３を個別回動形態で回動させるようにして外部音声を集音するための登録集音条件を登録する場合、例えば、上述した連動回動機構４５のローラ５２において変位用係止部５２ＢＸの係止片を歯車として形成し、その歯車にもポテンショメータを連結してローラ５２の回動角度を個別に検出可能なようにしておく。
【０５０８】
また携帯型記録装置２０では、連動回動機構４５のローラ５２に対し、例えば変位用係止部５２Ｂの係止片としての歯車に対しモータを連結し、当該モータによりローラ５２と共に一方の指向性マイクロホン２２を個別に回動させ得るようにする。
【０５０９】
そして携帯型記録装置２０では、個別回動形態で一方及び他方の指向性マイクロホン２２及び２３が回動されてマイク先端部２２Ｂ及び２３Ｂの向きが選定されたときに当該一方の指向性マイクロホン２２の回動角度（すなわち、ローラ５２の回動角度）と他方の指向性マイクロホン２２の回動角度（すなわち、回動軸５０の回動角度）とをそれぞれ検出する。
【０５１０】
また携帯型記録装置２０では、一方及び他方の指向性マイクロホン２２及び２３により、その選定されたマイク先端部２２Ｂ及び２３Ｂの向きで外部音声を集音するときに、Ｒチャンネル用のオーディオデータとＬチャンネル用のオーディオデータとを入れ替えるか否かも選定させる。
【０５１１】
さらに携帯型記録装置２０では、このようにして選定されたマイク先端部２２Ｂ及び２３Ｂの向きを示す一方及び他方の指向性マイクロホン２２及び２３それぞれの回動角度と、同様に選定されたＲチャンネル用のオーディオデータとＬチャンネル用のオーディオデータとの入れ替えの有無とを、一方及び他方の指向性マイクロホン２２及び２３の回動形態が個別回動形態であることを示す回動形態情報や、条件名、環境情報と共に、登録集音条件として登録する。
【０５１２】
因みに、かかる構成の場合、携帯型記録装置２０では、集音条件登録処理において、一方及び他方の指向性マイクロホン２２及び２３を連動回動形態で回動させるようにして外部音声を集音するための登録集音条件についても、一方及び他方の指向性マイクロホン２２及び２３の回動形態が連動回動形態であることを示す回動形態情報を加えておく。
【０５１３】
これにより携帯型記録装置２０では、登録集音条件を設定する場合、登録集音条件に含まれる回動形態情報により、一方及び他方の指向性マイクロホン２２及び２３の回動形態が連動回動形態と個別回動形態との何れであるかを容易に認識することができる。
【０５１４】
そして携帯型記録装置２０では、外部音声の録音時に、一方及び他方の指向性マイクロホン２２及び２３を個別回動形態で回動させるようにして外部音声を集音するための登録集音条件に設定する場合、その登録集音条件に含まれる回動角度に応じて、回動軸５０に連結されたモータと、ローラ５２に連結されたモータとをそれぞれ駆動制御して一方及び他方の指向性マイクロホン２２及び２３を、それぞれマイク先端部２２Ｂ及び２３Ｂを、選定されていた方向へ向けるように自動で回動させる。
【０５１５】
あるいは、携帯型記録装置２０では、上述した実施の形態と同様に、集音条件設定画面により支援するようにして、一方及び他方の指向性マイクロホン２２及び２３のマイク先端部２２Ｂ及び２３Ｂそれぞれを、選定されていた方向へ向けさせる。
【０５１６】
このようにして携帯型記録装置２０では、一方及び他方の指向性マイクロホン２２及び２３を個別回動形態で回動させるようにして外部音声を集音するための登録集音条件を登録することができると共に、外部音声の録音時には、その登録集音条件に従い一方及び他方の指向性マイクロホン２２及び２３のマイク先端部２２Ｂ及び２３Ｂそれぞれを、選定された方向へ向けるように設定することができる。
【０５１７】
ところで、携帯型記録装置２０では、一方及び他方の指向性マイクロホン２２及び２３のマイク先端部２２Ｂ及び２３Ｂそれぞれを、選定されていた方向へ向けさせるように支援する場合、集音条件設定画面を利用するのではなく、上述した一方及び他方の指向性マイクロホン２２及び２３毎のレベル通知ランプ２６及び２７や、表示パネル２５Ａに表示する、一方及び他方の指向性マイクロホン２２及び２３毎のレベルメータ等を利用するようにしても良い。
【０５１８】
因みに、携帯型記録装置２０では、一方及び他方の指向性マイクロホン２２及び２３のマイク先端部２２Ｂ及び２３Ｂそれぞれを、選定されていた方向へ向けさせるように支援するために、一方及び他方の指向性マイクロホン２２及び２３毎のレベル通知ランプ２６及び２７を利用する場合、そのレベル通知ランプ２６及び２７を、マイク先端部２２Ｂ及び２３Ｂの向きと選定された方向との間の角度が大きい（すなわち、開いている）ほど、長い間隔で（すなわち、休止間隔を長くして）点滅させ、マイク先端部２２Ｂ及び２３Ｂの向きと選定された方向との間の角度が小さくなるほど、短い間隔で（すなわち、休止間隔を短くして）点滅させて当該マイク先端部２２Ｂ及び２３Ｂの向きと選定された方向とが一致したときに、点滅から点灯へ切り換える。
【０５１９】
また携帯型記録装置２０では、一方及び他方の指向性マイクロホン２２及び２３のマイク先端部２２Ｂ及び２３Ｂそれぞれを、選定されていた方向へ向けさせるように支援するために、表示パネル２５Ａに表示する、一方及び他方の指向性マイクロホン２２及び２３毎のレベルメータを利用する場合、マイク先端部２２Ｂ及び２３Ｂの向きと選定された方向との間の角度が大きい（すなわち、開いている）ほど、レベルメータの示すレベルを低くし、マイク先端部２２Ｂ及び２３Ｂの向きと選定された方向との間の角度が小さくなるほど、レベルメータの示すレベルを高くするようにして当該マイク先端部２２Ｂ及び２３Ｂの向きと選定された方向とが一致したときに、レベルメータにより最大レベルを示すようにする。
【０５２０】
このよにして携帯型記録装置２０では、一方及び他方の指向性マイクロホン２２及び２３のマイク先端部２２Ｂ及び２３Ｂそれぞれを、選定されていた方向へ向けさせるための支援に、一方及び他方の指向性マイクロホン２２及び２３毎のレベル通知ランプ２６及び２７や、表示パネル２５Ａに表示する、一方及び他方の指向性マイクロホン２２及び２３毎のレベルメータ等を利用しても、当該一方及び他方の指向性マイクロホン２２及び２３のマイク先端部２２Ｂ及び２３Ｂそれぞれを、選定されていた方向へ的確に向けさせることができる。
【０５２１】
さらに上述した実施の形態においては、集音条件を設定する際、自動及び手動の何れの手法でも、一方及び他方の指向性マイクロホン２２及び２３のマイク先端部２２Ｂ及び２３Ｂを、選定されていた方向へ向けることができるようにした場合について述べたが、本発明はこれに限らず、集音条件を設定する際、自動及び手動の何れか一方の手法でのみ、一方及び他方の指向性マイクロホン２２及び２３のマイク先端部２２Ｂ及び２３Ｂを、選定されていた方向へ向けるようにしても良い。
【０５２２】
さらに上述した実施の形態においては、集音条件を設定する際、登録集音条件や推奨集音条件を、条件通知アイコンや条件名によって選択させるようにした場合について述べたが、本発明はこれに限らず、登録集音条件や推奨集音条件に対し、環境情報として携帯型記録装置２０と音源との距離、集音場所の広さ（例えば、楽器が演奏される舞台の横幅や、演奏会が開かれるホールの横幅等）の情報を含めておき、集音条件を設定する際、携帯型記録装置２０と音源との距離や集音場所の広さ等の数値を入力させて、その数値により、外部音声の集音に利用する集音条件を検索するようにして選択させても良い。
【０５２３】
さらに上述した実施の形態においては、登録集音条件を登録し得るようにすると共に、推奨集音条件を予め記憶するようにした場合について述べたが、本発明はこれに限らず、推奨集音条件は記憶せずに、登録集音条件を登録し得るようにして、集音条件を設定する際に、その登録集音条件の中からのみ所望の登録集音条件を選択させ、又は登録集音条件を登録し得るようにはせずに、推奨集音条件を予め記憶しておき、集音条件を設定する際に、その推奨集音条件の中からのみ所望の推奨集音条件を選択させるようにしても良い。
【０５２４】
さらに上述した実施の形態においては、Ｒチャンネル用のオーディオデータとＬチャンネル用のオーディオデータとの入れ替えの有無を検出するためにポテンショメータ８５Ａによって回動軸５０の回動角度を検出し、当該検出した回動角度と入替基準角度とを比較するようにした場合について述べたが、本発明はこれに限らず、例えば回動軸５０に設けられた突起部と、当該回動軸５０が所定の回動角度まで回動したときに、その突起部によりオン／オフ操作されるスイッチとからなる入替検出部によりＲチャンネル用のオーディオデータとＬチャンネル用のオーディオデータとの入れ替えの有無を検出するようにしても良い。
【０５２５】
さらに上述した実施の形態においては、例えば、一方及び他方の指向性マイクロホン２２及び２３が一方及び他方の方向線ＤＡ１及びＤＡ２を交差させないように回動したことを基準としてＲチャンネル用のオーディオデータとＬチャンネル用のオーディオデータとを入れ替えさせないようにし、一方及び他方の指向性マイクロホン２２及び２３が一方及び他方の方向線ＤＡ１及びＤＡ２を交差させるように回動したときにＲチャンネル用のオーディオデータとＬチャンネル用のオーディオデータとを入れ替えさせるようにした場合について述べたが、本発明はこれに限らず、例えば、一方及び他方の指向性マイクロホン２２及び２３が一方及び他方の方向線ＤＡ１及びＤＡ２を交差させるように回動したことを基準としてＲチャンネル用のオーディオデータとＬチャンネル用のオーディオデータとを入れ替えさせないようにし、一方及び他方の指向性マイクロホン２２及び２３が一方及び他方の方向線ＤＡ１及びＤＡ２を交差させないように回動したときにＲチャンネル用のオーディオデータとＬチャンネル用のオーディオデータとを入れ替えさせるようにしても良い。
【０５２６】
すなわち、混合部７７が、一方の指向性マイクロホン２２により外部音声を集音して得られたオーディオデータをＬチャンネル用のオーディオデータとし、他方の指向性マイクロホン２３により外部音声を集音して得られたオーディオデータをＲチャンネル用のオーディオデータとして、これらＬチャンネル用のオーディオデータとＲチャンネル用のオーディオデータとを適宜入れ替えさせるようにしても良い。
【０５２７】
さらに上述した実施の形態においては、一方及び他方の指向性マイクロホン２２及び２３を連動回動形態で回動させる際、当該一方及び他方の指向性マイクロホン２２及び２３を連動させて互いに反対方向へ回動させるようにした場合について述べたが、本発明はこれに限らず、一方及び他方の指向性マイクロホン２２及び２３を連動回動形態で回動させる際、当該一方及び他方の指向性マイクロホン２２及び２３を連動させて互いに同一方向へ回動させるようにしても良い。
【０５２８】
さらに上述した実施の形態においては、携帯型記録装置２０の制御部７０が、内蔵メモリ７１に記憶された記録処理プログラム、角度設定プログラム、条件登録プログラム及び条件設定プログラムに従って図３１について上述した記録処理手順ＲＴ１、図３２について上述した角度設定処理手順ＲＴ２、図３３について上述した集音条件登録処理手順ＲＴ３、及び図３４について上述した集音条件設定理手順ＲＴ４を実行するようにした場合について述べたが、本発明はこれに限らず、携帯型記録装置２０に対し記録処理プログラム、角度設定プログラム、条件登録プログラム及び条件設定プログラムが記録されたコンピュータ読取可能な記録媒体によって記録処理プログラム、角度設定プログラム、条件登録プログラム及び条件設定プログラムをインストールして、制御部７０が、そのインストールした記録処理プログラム、角度設定プログラム、条件登録プログラム及び条件設定プログラムに従って記録処理手順ＲＴ１、角度設定処理手順ＲＴ２、集音条件登録処理手順ＲＴ３及び集音条件設定理手順ＲＴ４を実行するようにしても良い。
【０５２９】
その際、携帯型記録装置２０では、ローカルエリアネットワークやインターネット、デジタル衛星放送等の有線及び無線通信媒体を利用して外部から記録処理プログラム、角度設定プログラム、条件登録プログラム及び条件設定プログラムをインストールするようにしても良い。
【０５３０】
そして記録処理プログラム、角度設定プログラム、条件登録プログラム及び条件設定プログラムを携帯型記録装置２０にインストールして実行可能な状態にするためのコンピュータ読取可能な記録媒体としては、例えばフレキシブルディスクのようなパッケージメディアで実現しても良い。
【０５３１】
また記録処理プログラム、角度設定プログラム、条件登録プログラム及び条件設定プログラムを携帯型記録装置２０にインストールして実行可能な状態にするためのコンピュータ読取可能な記録媒体としては、ＣＤ−ＲＯＭ（Compact Disc-Read Only Memory ）のようなパッケージメディアで実現しても良い。
【０５３２】
さらに記録処理プログラム、角度設定プログラム、条件登録プログラム及び条件設定プログラムを携帯型記録装置２０にインストールして実行可能な状態にするためのコンピュータ読取可能な記録媒体としては、ＤＶＤ（Digital Versatile Disc）等のパッケージメディアで実現しても良い。
【０５３３】
さらに、かかるコンピュータ読取可能な記録媒体としては、パッケージメディアのみならず、各種プログラムが一時的もしくは永続的に記録される半導体メモリや磁気ディスク等で実現しても良い。
【０５３４】
また、これらコンピュータ読取可能な記録媒体に記録処理プログラム、角度設定プログラム、条件登録プログラム及び条件設定プログラムを記録する手段としては、ローカルエリアネットワークやインターネット、デジタル衛星放送等の有線及び無線通信媒体を利用するようにしても良い。
【０５３５】
さらにコンピュータ読取可能な記録媒体には、記録処理プログラム、角度設定プログラム、条件登録プログラム及び条件設定プログラムを、ルータやモデム等の各種通信インタフェースを介して記録するようにしても良い。
【０５３６】
さらに上述した実施の形態においては、本発明による集音装置及び記録装置を、図１乃至図３７について上述した集音装置１、記録装置１０、携帯型記録装置２０に適用するようにした場合について述べたが、本発明はこれに限らず、オーディオデータの記録部や再生部とは分離して形成された携帯型の集音装置、オーディオデータの記録部や再生部とは分離して又は一体化して形成され自宅やライブハウス、コンサートホール、監視小屋等に設置される据置型の集音装置や記録装置、一方及び他方の指向性マイクロホンが設けられるパーソナルコンピュータや携帯電話機、ＰＤＡ（Personal Digital Assistance ）等の情報処理装置等のように、この他種々の構成の集音装置及び記録装置に広く適用することができる。
【０５３７】
さらに上述した実施の形態においては、個別に回動可能なように筐体に保持された一方及び他方の指向性マイクロホンとして、図１乃至図３７について上述した集音装置１の一方及び他方の指向性マイクロホン２及び３や記録装置１０の一方及び他方の指向性マイクロホン１１及び１２、携帯型記録装置２０の単一指向性の一方及び他方の指向性マイクロホン２２及び２３、１３６及び１３４、１５４及び１５６を適用するようにした場合について述べたが、本発明はこれに限らず、鋭指向性や超指向性の一方及び他方の指向性マイクロホン等のように、この他種々の一方及び他方の指向性マイクロホンを広く適用することができる。
【０５３８】
さらに上述した実施の形態においては、一方及び他方の指向性マイクロホンを個別に回動可能なように保持する筐体として、図３乃至図３７について上述した携帯型記録装置２０の略直方体状の装置筐体２１を適用するようにした場合について述べたが、本発明はこれに限らず、一方及び他方の指向性マイクロホンを個別に回動可能なように保持することができれば、この他種々の形状の筐体を広く適用することができる。
【０５３９】
さらに上述した実施の形態においては、一方及び他方の指向性マイクロホンを連動させて回動させる連動回動部として、図１乃至図３７について上述した集音装置１の連動回動部４や記録装置１０の連動回動部１３、携帯型記録装置２０の連動回動機構４５、１２０及び１２１を適用するようにした場合について述べたが、本発明はこれに限らず、例えば、一方及び他方の指向性マイクロホンの間に４以上の偶数個の歯車を介在させる連動回動部等のように、この他種々の連動回動部を広く適用することができる。
【０５４０】
さらに上述した実施の形態においては、一方及び他方の指向性マイクロホンの回動形態を、当該一方及び他方の指向性マイクロホンを個別に回動可能な第１の回動形態と、連動回動部により連動させて回動させる第２の回動形態とのうちから所望の回動形態に切り換える回動形態切換部として、図１乃至図３７について上述した集音装置１の回動形態切換部５や記録装置１０の回動形態切換部１４、携帯型記録装置２０のクラッチ構造の回動形態切換部４６を適用するようにした場合について述べたが、本発明はこれに限らず、この他種々の構成の回動形態切換部を広く適用することができる。
【０５４１】
さらに上述した実施の形態においては、一方及び他方の指向性マイクロホンにより集音されている外部音声に基づき右チャンネル用のオーディオデータと左チャンネル用のオーディオデータとを生成するデータ生成部として、図３乃至図３７について上述した携帯型記録装置２０の増幅器７３及び７５と、アナログ／デジタル変換器７４及び７６と、混合部７７とを適用するようにした場合について述べたが、本発明はこれに限らず、増幅器７３及び７５と、アナログ／デジタル変換器７４及び７６と、ＤＳＰとからなるデータ生成部等のように、この他種々のデータ生成部を広く適用することができる。
【０５４２】
さらに上述した実施の形態においては、一方及び他方の指向性マイクロホンにより外部音声が集音されながらデータ生成部により右チャンネル用のオーディオデータと左チャンネル用のオーディオデータとが生成されている間、一方及び他方の指向性マイクロホンの回動角度に基づいて、右チャンネル用のオーディオデータを左チャンネル用とし、かつ左チャンネル用のオーディオデータを右チャンネル用とするように、右チャンネル用のオーディオデータと左チャンネル用のオーディオデータとを入れ替えるデータ入替部として、図３乃至図３７について上述した携帯型記録装置２０の記録再生処理部８０を適用するようにした場合について述べたが、本発明はこれに限らず、混合部７７等のように、この他種々のデータ入替部を広く適用することができる。
【０５４３】
さらに上述した実施の形態においては、一方及び他方の指向性マイクロホンの回動角度を検出する角度検出部として、図３乃至図３７について上述した携帯型記録装置２０のポテンショメータ８５Ａを適用するようにした場合について述べたが、本発明はこれに限らず、一方及び他方の指向性マイクロホンの回動角度を検出することができれば、この他種々の角度検出部を広く適用することができる。
【０５４４】
さらに上述した実施の形態においては、一方及び他方の指向性マイクロホンにより外部音声が集音されながらデータ生成部により右チャンネル用のオーディオデータと左チャンネル用のオーディオデータとが生成されている間、当該右チャンネル用のオーディオデータと左チャンネル用のオーディオデータとを入れ替えるための基準となる入替基準角度と、角度検出部により検出された回動角度とを比較し、当該比較結果に基づき、Ｒチャンネル用のオーディオデータとＬチャンネル用のオーディオデータとを入れ替えるか否かを検出する入替検出部として、図３乃至図３７について上述した携帯型記録装置２０の入替検出部８５を適用するようにした場合について述べたが、本発明はこれに限らず、上述した入替検出部８５からポテンショメータを除いた構成の入替検出部等のように、この他種々の入替検出部を広く適用することができる。
【０５４５】
さらに上述した実施の形態においては、一方及び他方の指向性マイクロホンにより外部音声が集音されながらデータ生成部により右チャンネル用のオーディオデータと左チャンネル用のオーディオデータとが生成されている間、当該生成された右チャンネル用のオーディオデータと左チャンネル用のオーディオデータとに基づきステレオ音声を出力する音声出力部として、図３乃至図３７について上述した携帯型記録装置２０に接続されるヘッドホンを適用するようにした場合について述べたが、本発明はこれに限らず、ステレオスピーカを適用することができる。
【０５４６】
さらに上述した実施の形態においては、音声出力部からステレオ音声が出力されながら、一方及び他方の指向性マイクロホンの一方及び他方の先端部が所望の方向に向けられたときに角度検出部によって検出された回動角度を、入替基準角度として選択するために用いられる基準角度選択部として、図３乃至図３７について上述した携帯型記録装置２０の操作部７２を適用するようにした場合について述べたが、本発明はこれに限らず、音声出力部からステレオ音声が出力されながら、一方及び他方の指向性マイクロホンの一方及び他方の先端部が所望の方向に向けられたときに角度検出部によって検出された回動角度を、入替基準角度として選択するために用いることができれば、この他種々の基準角度選択部を広く適用することができる。
【０５４７】
さらに上述した実施の形態においては、基準角度選択部を介して入替基準角度が選択されると、入替検出部に対し、回動角度を、選択された入替基準角度と比較するように設定する角度設定部として、図３乃至図３７について上述した携帯型記録装置２０の制御部７０を適用するようにした場合について述べたが、本発明はこれに限らず、基準角度選択部を介して入替基準角度が選択されると、入替検出部に対し、回動角度を、選択された入替基準角度と比較するように設定するハードウェア回路構成の角度設定回路等のように、この他種々の角度設定部を広く適用することができる。
【０５４８】
さらに上述した実施の形態においては、一方及び他方の指向性マイクロホンにより特定の集音環境で外部音声が集音されるときに、一方及び他方の先端部を所望の方向へ向けるための一方及び他方の指向性マイクロホンの回動角度を集音条件として記憶する条件記憶部として、図３乃至図３７について上述した携帯型記録装置２０の内蔵メモリ７１を適用するようにした場合について述べたが、本発明はこれに限らず、外部の記録媒体や、記録メディア８１等のように、この他種々の条件記憶部を広く適用することができる。
【０５４９】
さらに上述した実施の形態においては、条件記憶部により記憶された集音条件が選択されると、一方及び他方の指向性マイクロホンを選択された集音条件が示す回動角度まで自動で回動させるように制御する回動制御部として、図３乃至図３７について上述した携帯型記録装置２０の制御部７０及びモータ８４並びに歯車を適用するようにした場合について述べたが、本発明はこれに限らず、条件記憶部により記憶された集音条件が選択されると、一方及び他方の指向性マイクロホンを選択された集音条件が示す回動角度まで自動で回動させるように制御することができれば、この他種々の構成の回動制御部を広く適用することができる。
【０５５０】
さらに上述した実施の形態においては、音声出力部からステレオ音声が出力されながら、一方及び他方の指向性マイクロホンの一方及び他方の先端部が所望の方向に向けられたときに角度検出部によって検出された回動角度を、一方及び他方の指向性マイクロホンにより特定の集音環境で外部音声が集音されるときに一方及び他方の先端部を所望の方向へ向けるための一方及び他方の指向性マイクロホンの回動角度として選定するために用いられる角度選定部して、図３乃至図３７について上述した携帯型記録装置２０の操作部７２を適用するようにした場合について述べたが、本発明はこれに限らず、音声出力部からステレオ音声が出力されながら、一方及び他方の指向性マイクロホンの一方及び他方の先端部が所望の方向に向けられたときに角度検出部によって検出された回動角度を、一方及び他方の指向性マイクロホンにより特定の集音環境で外部音声が集音されるときに一方及び他方の先端部を所望の方向へ向けるための一方及び他方の指向性マイクロホンの回動角度として選定するために用いることができれば、この他種々の角度選定部を広く適用することができる。
【０５５１】
さらに上述した実施の形態においては、条件記憶部により記憶された集音条件が選択されると、一方及び他方の指向性マイクロホンを選択された集音条件が示す回動角度まで回動させるように支援する回動支援部として、図３乃至図３７について上述した携帯型記録装置２０の制御部７０及び表示部２５を適用するようにした場合について述べたが、本発明はこれに限らず、制御部７０及び発光部等のように、この他種々の構成の回動支援部を広く適用することができる。
【０５５２】
さらに上述した実施の形態においては、所望の回動形態で所望の回動角度まで回動した一方及び他方の指向性マイクロホンによって集音された外部音声に基づき、右チャンネル用のオーディオデータと左チャンネル用のオーディオデータとを生成するデータ生成部として、図２乃至図３７について上述した記録装置１０のデータ生成部１５や、携帯型記録装置２０の増幅器７３及び７５と、アナログ／デジタル変換器７４及び７６と、混合部７７とを適用するようにした場合について述べたが、本発明はこれに限らず、増幅器７３及び７５と、アナログ／デジタル変換器７４及び７６と、ＤＳＰとからなるデータ生成部等のように、この他種々のデータ生成部を広く適用することができる。
【０５５３】
さらに上述した実施の形態においては、データ生成部により生成された右チャンネル用のオーディオデータと左チャンネル用のオーディオデータとを記録する記録部として、図２乃至図３７について上述した記録装置１０の記録部１６や、携帯型記録装置２０の記録メディア８１を適用するようにした場合について述べたが、本発明はこれに限らず、内蔵メモリ７１や、外部の記録媒体等のように、この他種々の記録部を広く適用することができる。
【産業上の利用可能性】
【０５５４】
本発明は、携帯型記録装置や、据置型の記録装置、マイクロホンスタンドに取り付けられるマイクロホンシステム等のような集音装置や記録装置に利用することができる。
【図面の簡単な説明】
【０５５５】
【図１】本発明による集音装置の構成の概要を示すブロック図である。
【図２】本発明による記録装置の構成の概要を示すブロック図である。
【図３】本実施の形態による携帯型記録装置の外観構成（１）を示す略線的斜視図である。
【図４】本実施の形態による携帯型記録装置の外観構成（２）を示す略線的斜視図である。
【図５】指向性マイクロホンの構成を示す略線的斜視図である。
【図６】指向性マイクロホンの保持の説明に供する略線的斜視図である。
【図７】連動回動機構の説明に供する略線的正面図である。
【図８】連動回動機構及び回動形態切換部の構成を示す略線的斜視図である。
【図９】回動形態切換部の操作に応じた連動回動機構のローラの変位の説明に供する略線的側面図である。
【図１０】一方及び他方の指向性マイクロホンの連動した回動（１）の説明に供する略線的正面図である。
【図１１】一方及び他方の指向性マイクロホンの連動した回動（２）の説明に供する略線的正面図である。
【図１２】一方及び他方の指向性マイクロホンの連動した回動（３）の説明に供する略線的正面図である。
【図１３】一方及び他方の指向性マイクロホンの個別の回動（１）の説明に供する略線的正面図である。
【図１４】一方及び他方の指向性マイクロホンの個別の回動（２）の説明に供する略線的正面図である。
【図１５】切換操作軸に対する時計回り方向及び反時計回り方向への回動の規制の説明に供する略線的斜視図である。
【図１６】一方及び他方の指向性マイクロホンの指向特性の説明に供する略線図である。
【図１７】携帯型記録装置における一方及び他方の指向性マイクロホンによる指向特性（１）の説明に供する略線図である。
【図１８】携帯型記録装置における一方及び他方の指向性マイクロホンによる指向特性（２）の説明に供する略線図である。
【図１９】携帯型記録装置における一方及び他方の指向性マイクロホンによる指向特性（３）の説明に供する略線図である。
【図２０】携帯型記録装置における一方及び他方の指向性マイクロホンによる指向特性（４）の説明に供する略線図である。
【図２１】携帯型記録装置における一方及び他方の指向性マイクロホンによる指向特性（５）の説明に供する略線図である。
【図２２】携帯型記録装置の回路構成を示すブロック図である。
【図２３】入替検出部の構成を示す略線図である。
【図２４】Ｒチャンネル用のオーディオデータとＬチャンネル用のオーディオデータとの非入れ替えの説明に供する略線図である。
【図２５】Ｒチャンネル用のオーディオデータとＬチャンネル用のオーディオデータとの入れ替えの説明に供する略線図である。
【図２６】角度設定画面の構成を示す略線図である。
【図２７】登録集音条件テーブルの構成を示す略線図である。
【図２８】推奨集音条件テーブルの構成を示す略線図である。
【図２９】集音条件選択画面の構成を示す略線図である。
【図３０】集音条件設定画面の構成を示す略線図である。
【図３１】記録処理手順を示すフローチャートである。
【図３２】角度設定処理手順を示すフローチャートである。
【図３３】集音条件登録処理手順を示すフローチャートである。
【図３４】集音条件設定処理手順を示すフローチャートである。
【図３５】他の実施の形態による連動回動機構の構成（１）を示す略線的正面図である。
【図３６】回動形態切換部の操作に応じた連動回動機構の歯車の変位の説明に供する略線的下面図である。
【図３７】他の実施の形態による連動回動機構の構成（２）を示す略線的正面図である。
【符号の説明】
【０５５６】
１……集音装置、２、３、１１、１２、２２、２３、１３４、１３６、１５４、１５６……指向性マイクロホン、４、１３……連動回動部、５、１４、４６……回動形態切換部、２２Ｂ、２３Ｂ……マイク先端部、１０……記録装置、１５……データ生成部、１６……記録部、２０……携帯型記録装置、２１……装置筐体、２５……表示部、２１ＥＡ、２１ＥＢ、２１ＥＣ、２１ＥＤ……マイクロホン保持部、４５、１２０、１２１……連動回動機構、７０……制御部、７１……内蔵メモリ、７２……操作部、７３、７５……増幅器、７４、７６……アナログ／デジタル変換器、７７……混合部、８０……記録再生処理部、８１……記録メディア、８４……モータ、８５……入替検出部、８５Ａ……ポテンショメータ、ＤＡ１、ＤＡ２……方向線、ＲＴ１……記録処理手順、ＲＴ２……角度設定処理手順、ＲＴ３……集音条件登録処理手順、ＲＴ４……集音条件設定処理手順。
【図１】
2009171249.tif 000003
【図２】
2009171249.tif 000004
【図３】
2009171249.tif 000005
【図４】
2009171249.tif 000006
【図５】
2009171249.tif 000007
【図６】
2009171249.tif 000008
【図７】
2009171249.tif 000009
【図８】
2009171249.tif 000010
【図９】
2009171249.tif 000011
【図１０】
2009171249.tif 000012
【図１１】
2009171249.tif 000013
【図１２】
2009171249.tif 000014
【図１３】
2009171249.tif 000015
【図１４】
2009171249.tif 000016
【図１５】
2009171249.tif 000017
【図１６】
2009171249.tif 000018
【図１７】
2009171249.tif 000019
【図１８】
2009171249.tif 000020
【図１９】
2009171249.tif 000021
【図２０】
2009171249.tif 000022
【図２１】
2009171249.tif 000023
【図２２】
2009171249.tif 000024
【図２３】
2009171249.tif 000025
【図２４】
2009171249.tif 000026
【図２５】
2009171249.tif 000027
【図２６】
2009171249.tif 000028
【図２７】
2009171249.tif 000029
【図２８】
2009171249.tif 000030
【図２９】
2009171249.tif 000031
【図３０】
2009171249.tif 000032
【図３１】
2009171249.tif 000033
【図３２】
2009171249.tif 000034
【図３３】
2009171249.tif 000035
【図３４】
2009171249.tif 000036
【図３５】
2009171249.tif 000037
【図３６】
2009171249.tif 000038
【図３７】
2009171249.tif 000039